(57)【要約】    【構成】  撮影された被写体の画像データは、圧縮された状態でメモリカード６２に記録される。このメモリカード６２に記憶された個々の画像データには、任意にお気に入り符号を付加することができる。お気に入り符号が付加された画像データの情報は、メモリカード６２内のお気に入りファイル６６に記録される。再生時に、モードキー１８，セットキー２０およびジャンプキー２４の操作によってジャンプ再生モードが選択されると、お気に入り符号の付加された画像データのみが再生対象となる。    【効果】  オペレータは、自分の気に入った画像のデータにお気に入り符号を付加することで、その画像を容易に再生することができる。よって、所望の画像を検索するのに要する時間が短縮される。【選択図】  図１
2011199897.tif 000002
【特許請求の範囲】
【請求項１】
符号割り当て指示を受け付けたとき記録媒体に記録された任意の静止画像信号に符号を割り当てる割り当て手段、
再生指示を受け付けたとき前記符号が割り当てられた静止画像信号を前記記録媒体から再生する再生手段、および
更新指示を受け付けたとき前記再生手段によって再生された静止画像信号を前記符号が割り当てられた別の静止画像信号によって更新する更新手段を備える、画像処理装置。
【請求項２】
前記記録媒体は前記符号が割り当てられた静止画像信号のインデックス情報を記録し、前記更新手段は前記インデックス情報に基づいて更新を行う、請求項１記載の画像処理装置。
【請求項３】
前記再生手段は前記符号が割り当てられたＮ（Ｎ≧２）個の静止画像信号に基づくＮ個の静止画像をマルチ表示するマルチ表示手段を含み、
前記更新手段は前記マルチ表示手段によって表示された前記Ｎ個の静止画像をＭ（２≦Ｍ≦Ｎ）個ずつ更新するマルチ画像更新手段を含む、請求項１または２記載の画像処理装置。
【請求項４】
前記記録媒体に記録されたかつ互いに関連する複数の静止画像信号は共通の識別子を有し、
前記マルチ表示手段は前記共通の識別子を有する複数の静止画像信号の中から前記Ｎ個の静止画像信号を特定するＮ画像特定手段を含み、
前記マルチ画像更新手段は前記共通の識別子を有する複数の静止画像信号の中から前記Ｍ個の静止画像信号を特定するＭ画像特定手段を含む、請求項３記載の画像処理装置。
【請求項５】
前記共通の識別子を有する複数の静止画像信号は動画撮影モードで撮影された被写体の画像信号である、請求項４記載の画像処理装置。
【請求項６】
前記Ｎ個の静止画像の中から任意の静止画像を選択する選択手段、および
前記任意の静止画像に対応する静止画像信号に続く複数の静止画像信号を連続して再生する連続再生手段をさらに備える、請求項４または５記載の画像処理装置。
【請求項７】
一括消去指示を受け付けたとき前記符号が割り当てられた静止画像信号以外の静止画像信号を前記記録媒体から一括して消去する消去手段をさらに備える、請求項１ないし６のいずれかに記載の画像処理装置。
【請求項８】
請求項１ないし７のいずれかに記載の画像処理装置を備える、ディジタルカメラ。
【発明の詳細な説明】
【技術分野】
【０００１】
この発明は、画像処理装置に関し、特にたとえばディジタルカメラに適用され、記録媒体に記録された静止画像信号を再生する、画像処理装置に関する。
【背景技術】
【０００２】
この種の画像処理装置においては、記録媒体として半導体メモリ，磁気ディスク，光磁気ディスクなどが採用されている。さらに、最近は１[GB]を超える容量の記録媒体が登場しており、膨大な数の静止画像信号の記録が可能となっている。
【発明の開示】
【発明が解決しようとする課題】
【０００３】
さらに、別の背景技術が特許文献１に開示されている。
【特許文献１】特開２００１−８１６４号［Ｈ０４Ｎ  ５／９１、Ｇ０６Ｆ  ３／００、１２／００、１７／３０］    しかし、従来の画像処理装置では、静止画像信号は記録順にしか再生できず、記録媒体の大容量化に伴って当該静止画像信号の検索に時間が掛かるという問題があった。
【０００４】
それゆえに、この発明の主たる目的は、静止画像信号の検索に要する時間を短縮することができる、画像処理装置を提供することである。
【課題を解決するための手段】
【０００５】
第１の発明は、符号割り当て指示を受け付けたとき記録媒体に記録された任意の静止画像信号に符号を割り当てる割り当て手段、再生指示を受け付けたとき符号が割り当てられた静止画像信号を記録媒体から再生する再生手段、および更新指示を受け付けたとき再生手段によって再生された静止画像信号を当該符号が割り当てられた別の静止画像信号によって更新する更新手段を備える、画像処理装置である。
【０００６】
第２の発明は、第１の発明の画像処理装置を備える、ディジタルカメラである。
【０００７】
この発明では、符号割り当て指示が与えられると、割り当て手段が、記録媒体に記録された任意の静止画像信号に符号を割り当てる。そして、再生指示が与えられると、再生手段が、当該符号の割り当てられた静止画像信号を記録媒体から再生し、更新指示が与えられると、更新手段が、再生手段によって再生された静止画像信号を符号の割り当てられた別の静止画像信号によって更新する。つまり、符号の割り当てられた静止画像信号のみが、再生される。
【０００８】
この発明のある実施例では、記録媒体は、符号が割り当てられた静止画像信号のインデックス情報を記録し、更新手段は、当該インデックス情報に基づいて更新を行う。このようにインデックス情報に基づいて更新が行われるようにすることで、記録媒体に記録されている全ての静止画像信号の中から符号の割り当てられた静止画像信号を検索する場合に比べて、当該検索が容易になり、ひいては静止画像信号の更新に掛かる時間が短縮される。
【０００９】
この発明の他の実施例では、再生手段は、符号が割り当てられたＮ（Ｎ≧２）個の静止画像信号に基づくＮ個の静止画像をマルチ表示するマルチ表示手段を含む。そして、更新手段は、マルチ表示手段によって表示されたＮ個の静止画像をＭ（２≦Ｍ≦Ｎ）個ずつ更新するマルチ画像更新手段を含む。
【００１０】
この場合、記録媒体に記録されたかつ互いに関連する複数の静止画像信号は、共通の識別子を有するものとしてもよい。そして、マルチ表示手段は、当該共通の識別子を有する複数の静止画像信号の中からＮ個の静止画像信号を特定するＮ画像特定手段を含み、マルチ画像更新手段は、共通の識別子を有する複数の静止画像信号の中からＭ個の静止画像信号を特定するＭ画像特定手段を含むものとしてもよい。
【００１１】
このような共通の識別子を有する複数の静止画像信号としては、動画撮影モードで撮影された被写体の画像信号がある。
【００１２】
また、Ｎ個の静止画像の中から任意の静止画像を選択する選択手段、および任意の静止画像に対応する静止画像信号に続く複数の静止画像信号を連続して再生する連続再生手段をさらに備えてもよい。
【００１３】
この発明のさらに他の実施例では、一括消去指示を受け付けたとき符号が割り当てられた静止画像信号以外の静止画像信号を記録媒体から一括して消去する消去手段をさらに備える。つまり、かかる消去手段によれば、符号の割り当てられた静止画像信号については、保護される。
【発明の効果】
【００１４】
この発明によれば、符号の割り当てられた静止画像信号のみが再生される。したがって、再生を希望する静止画像信号に予め符号を付加しておけば、当該再生を希望する静止画像信号を容易に再生することができ、所望の静止画像信号を検索するのに要する時間が短縮される。
【００１５】
この発明の上述の目的，その他の目的，特徴および利点は、図面を参照して行う以下の実施例の詳細な説明から一層明らかとなろう。
【実施例】
【００１６】
図１を参照して、この実施例のディジタルカメラ１０は、静止画像撮影モード、連続撮影モードおよび動画像撮影モード、という３つの撮影モードを備えている。このうち、静止画像撮影モードは、シャッタボタン１２が押下される度に被写体の静止画像を１枚ずつ記録するモードであり、連続撮影モードは、１回のシャッタボタン１２の押下につき被写体の静止画像を所定枚数連続して記録するモードである。そして、動画像撮影モードは、シャッタボタン１２の押下に応答して被写体の動画像を記録するモードである。
【００１７】
なお、この実施例のディジタルカメラ１０は、シャッタボタン１２以外に、後述するモード選択ダイヤル１４，メインスイッチ１６，モードキー１８，セットキー２０，十字キー２２およびジャンプキー２４というそれぞれ独立した操作部品を備えている。これらの部品の各々は、図２に示すようにディジタルカメラ１０の背面２６または上面２８に設けられている。なお、十字キー２２は、上下左右の４つの接点を有している。また、ディジタルカメラ１０の背面２６には、後述する液晶モニタ３０も設けられている。
【００１８】
ここで、今、静止画像撮影モードが選択される、具体的にはメインスイッチ１６によって撮影モードが選択され、かつモード選択ダイヤル１４によって静止画像モードが選択されると、ＣＰＵ３２は、ＴＧ（Timing Generator）３４に対してプリ露光および間引き読み出しの繰り返しを命令する。ＴＧ３４は、この命令に対応するタイミング信号をイメージセンサ３６に供給し、イメージセンサ３６は、供給されたタイミング信号に従って、フォーカスレンズ３８を通して入射される被写体の光学像を露光するとともに、当該露光によって蓄積された電荷の一部を次の１フレーム期間に出力する。つまり、静止画像撮影モードが選択された当初は、低解像度の生画像信号が１フレーム期間毎にイメージセンサ３６から出力される。
【００１９】
イメージセンサ３６から出力された各フレームの生画像信号は、ＣＤＳ（Correlated Double Sampling）／ＡＧＣ（Automatic Gain Control）回路４０に入力され、ここで相関二重サンプリング処理およびゲイン調整処理を施された後、Ａ／Ｄ変換回路４２に入力される。Ａ／Ｄ変換回路４２は、入力された生画像信号をディジタル信号である生画像データに変換し、変換後の生画像データを信号処理回路４４に入力する。
【００２０】
信号処理回路４４は、入力された生画像データに色分離，白バランス調整，ガンマ補正，ＹＵＶ変換などの一連の処理を施す。この信号処理回路４４による処理後の画像データ（ＹＵＶデータ）は、メモリ制御回路４６によって、一旦、メインメモリとしてのＳＤＲＡＭ（Synchronous Dynamic RAM）４８の画像データ記憶領域４８ａに記憶された後、バッファメモリ５０に転送される。
【００２１】
バッファメモリ５０に転送された画像データは、混合回路５２に入力され、ここで、後述するＯＳＤメモリ５４から入力されるＯＳＤデータと混合される。ただし、この時点では、ＯＳＤメモリ５４からＯＳＤデータが入力されないので、混合回路５２は、バッファメモリ５０から入力される画像データをそのまま出力する。混合回路５２から出力された画像データは、ビデオエンコーダ５６に入力され、ここでＮＴＳＣ方式の複合画像信号に変換される。そして、変換後の複合画像信号は、上述した液晶モニタ３０に入力され、これによって液晶モニタ３０に被写体のリアルタイム動画像、いわゆるスルー画像が表示される。
【００２２】
この状態で、シャッタボタン１２が押下されると、ＣＰＵ３２は、静止画像記録動作に入る。すなわち、ＣＰＵ３２は、ＴＧ３４に対して１フレーム分の本露光および全画素読み出しを命令する。ＴＧ３４は、ＣＰＵ３２からの命令に対応するタイミング信号をイメージセンサ３６に供給する。これによって、イメージセンサ３６による本露光が行われ、この本露光によって蓄積された全電荷、つまり１フレーム分の高解像度生画像信号がイメージセンサ３６から出力される。
【００２３】
イメージセンサ３６から出力された生画像信号は、ＣＤＳ／ＡＧＣ回路４０による処理を経て、Ａ／Ｄ変換回路４２に入力され、ここで生画像データに変換される。この変換後の生画像データは、信号処理回路４４に入力され、ここで上述した一連の処理を施された後、メモリ制御回路４６によって、ＳＤＲＡＭ４８内の画像データ記憶領域４８ａに記憶される。さらに、信号処理回路４４は、ＣＰＵ３２による制御に従って、入力された生画像データからサムネイルデータを生成する。このサムネイルデータは、メモリ制御回路４６によって、ＳＤＲＡＭ４８内のサムネイルデータ記憶領域４８ｂに記憶される。
【００２４】
このサムネイルデータの記憶後、メモリ制御回路４６は、ＣＰＵ３２による制御に従って、画像データ記憶領域４８ａに記憶された高解像度の画像データを読み出し、読み出した画像データを圧縮伸長回路５８に入力する。圧縮伸長回路５８には、ＣＰＵ３２から圧縮命令が与えられており、圧縮伸長回路５８は、この圧縮命令に応答して、入力された画像データにＪＰＥＧ（Joint Photographic Expert Group）方式に従う圧縮処理を施し、ＪＰＥＧ圧縮画像ファイルを生成する。生成されたＪＰＥＧ圧縮画像ファイルは、メモリ制御回路４６によって、一旦、ＳＤＲＡＭ４８内の圧縮画像ファイル記憶領域４８ｃに記憶される。
【００２５】
メモリ制御回路４６はまた、サムネイルデータ記憶領域４８ｂに記憶されたサムネイルデータを読み出し、読み出したサムネイルデータを圧縮伸長回路５８に入力する。圧縮伸長回路５８は、このサムネイルデータに対してもＪＰＥＧ方式に従う圧縮処理を施す。この圧縮処理によって生成されたＪＰＥＧ圧縮サムネイルファイルは、メモリ制御回路４６によって、上述の圧縮画像ファイル記憶領域４８ｃに記憶されたＪＰＥＧ圧縮画像ファイルのオプション・マーカであるアプリケーション・マーカ・セグメント（ＡＰＰｎ）に埋め込まれる。このようにしてＪＰＥＧ圧縮サムネイルファイルが埋め込まれたＪＰＥＧ圧縮画像ファイル、いわゆるＥｘｉｆ（EXchange Image File format）ファイルは、メモリ制御回路４６によって読み出され、メモリインタフェース回路６０を介してメモリカード６２に入力される。
【００２６】
メモリカード６２内においては、周知のＤＣＦ（Design rule for Camera File System）規格に従って、図３に示すようにルート（ROOT）ディレクトリの下に“ＤＣＩＭ”というフォルダ６４が形成されている。ＣＰＵ３２は、メモリカード６２に入力されたＪＰＥＧ圧縮画像ファイル（Ｅｘｉｆファイル）に対して“ＳＴＩＬＸＸＸＸ．ｊｐｇ（ＸＸＸＸは撮影順を表すシリアル番号）”というファイル名を付し、これを当該ＤＣＩＭフォルダ内に記録する。
【００２７】
一方、連続撮影モードが選択された場合、具体的にはメインスイッチ１６によって撮影モードが選択され、かつモード選択ダイヤル１４によって連写モードが選択された場合も、上述の静止画像撮影モードが選択された場合と同様に、液晶モニタ３０にスルー画像が表示される。そして、この連続撮影モードが選択された状態でシャッタボタン１２が押下されると、ＣＰＵ３２は、連写画像記録動作に入る。
【００２８】
すなわち、ＣＰＵ３２は、ＴＧ３４に対して本露光および全画素読み出しを一定間隔（数フレーム間隔）で所定回数命令する。ＴＧ３４は、ＣＰＵ３２からの命令に対応するタイミング信号をイメージセンサ３６に供給する。これによって、イメージセンサ３６による本露光が所定回数行われ、それぞれの本露光によって蓄積された全電荷、つまり当該所定回数に応じたフレーム数の高解像度生画像信号が、イメージセンサ３６から順次出力される。なお、イメージセンサ３６による本露光の回数（所定回数）は、ここでは詳しく説明しないが、オペレータによって任意に設定できる。
【００２９】
イメージセンサ３６から出力された生画像信号は、１フレーム毎にＣＤＳ／ＡＧＣ回路４０による処理を経て、Ａ／Ｄ変換回路４２に入力され、ここで生画像データに変換される。そして、この生画像データは、信号処理回路４４に入力され、ここで上述した一連の処理を施された後、メモリ制御回路４６によって、ＳＤＲＡＭ４８内の画像データ記憶領域４８ａに記憶される。信号処理回路４４はまた、入力された生画像データからサムネイルデータを生成し、生成されたサムネイルデータは、メモリ制御回路４６によって、ＳＤＲＡＭ４８内のサムネイルデータ記憶領域４８ｂに記憶される。
【００３０】
このサムネイルデータの記憶後、メモリ制御回路４６は、ＣＰＵ３２による制御に従って、画像データ記憶領域４８ａに記憶された高解像度の画像データを１フレーム毎に読み出し、読み出した画像データを圧縮伸長回路５８に入力する。圧縮伸長回路５８は、ＣＰＵ３２から与えられる圧縮命令に応答して、入力された画像データにＪＰＥＧ方式に従う圧縮処理を施し、ＪＰＥＧ圧縮画像ファイルを生成する。生成されたＪＰＥＧ圧縮画像ファイルは、メモリ制御回路４６によって、一旦、ＳＤＲＡＭ４８内の圧縮画像ファイル記憶領域４８ｃに記憶される。
【００３１】
メモリ制御回路はまた、当該ＪＰＥＧ圧縮画像ファイルに対応するサムネイルデータをサムネイルデータ記憶領域４８ｂから読み出し、読み出したサムネイルデータを圧縮伸長回路５８に入力する。圧縮伸長回路５８は、入力されたサムネイルデータに対してＪＰＥＧ方式に従う圧縮処理を施す。この圧縮処理によって生成されたＪＰＥＧ圧縮サムネイルファイルは、メモリ制御回路４６によって、上述の圧縮画像ファイル記憶領域４８ｃに記憶されたＪＰＥＧ圧縮画像ファイルのアプリケーション・マーカ・セグメントに埋め込まれる。
【００３２】
このようにしてＪＰＥＧ圧縮画像ファイルを生成するとともに、このＪＰＥＧ圧縮画像ファイルのアプリケーション・マーカ・セグメントにＪＰＥＧ圧縮サムネイルファイルを埋め込むという処理は、イメージセンサ３６の本露光毎に得られる全ての画像データに対して行われる。そして、これらＪＰＥＧ圧縮サムネイルファイルが埋め込まれた複数のＪＰＥＧ圧縮画像ファイル（Ｅｘｉｆファイル）は、メモリ制御回路４６によって読み出され、メモリインタフェース回路６０を介してメモリカード６２に入力される。
【００３３】
ＣＰＵ３２は、１回の連写画像記録動作毎に、図３に示すように上述したＤＣＩＭフォルダ６４の下に“ＳＥＱＴＹＹＹＹ（ＹＹＹＹはフォルダの形成順を表すシリアル番号）”というフォルダを形成する。そして、ＣＰＵ３２は、メモリカード６２に入力された複数のＪＰＥＧ圧縮画像ファイルに対して“ＳＥＱＴＸＸＸＸ．ｊｐｇ（ＸＸＸＸは連続画像記録動作毎の撮影順を表すシリアル番号）”というファイル名を付し、これを当該ＳＥＱＴＹＹＹＹフォルダ内に記録する。
【００３４】
また、この連続撮影モードにおける特殊撮影機能として、露出を自動的に変化させながら複数枚の静止画像を記録するというＡＥ（Automatic Exposure）シフト連続撮影機能がある。この機能を有効化するための手順については、ここでは詳しく説明しないが、当該機能が有効化された場合、ＣＰＵ３２は、ＴＧ３６に対して本露光および全画素読み出しを所定回数命令する際に当該本露光に掛かる時間を徐々に変化させる。したがって、このＡＥシフト連続撮影機能が有効化されているときには、互いに露光期間の異なる複数のＪＰＥＧ圧縮画像ファイルが上述と同様の手順で１つのＳＥＱＴＹＹＹＹフォルダ内に記録される。
【００３５】
さらに、動画像撮影モードが選択された場合、具体的にはメインスイッチ１６によって撮影モードが選択され、かつモード選択ダイヤル１４によって動画像モードが選択された場合は、次のような動作となる。すなわち、静止画像撮影モードまたは連続撮影モードが選択された場合と同様に、液晶モニタ３０にスルー画像が表示される。そして、この動画像撮影モードが選択された状態で、シャッタボタン１２が押下されると、ＣＰＵ３２は、動画像記録動作に入る。
【００３６】
動画像記録動作に入ると、ＣＰＵ３２は、ＴＧ３４に対して本露光および予め設定された解像度に従う間引き読み出しの繰り返しを命令する。ＴＧ３４は、この命令に対応するタイミング信号をイメージセンサ３６に供給し、これによって、イメージセンサ３６から予め設定された解像度に従う生画像信号が１フレーム期間毎に順次出力される。
【００３７】
イメージセンサ３６から出力された各フレームの生画像信号は、ＣＤＳ／ＡＧＣ回路４０による処理を経て、Ａ／Ｄ変換回路４２に入力され、ここで生画像データに変換される。そして、この生画像データは、信号処理回路４４に入力され、ここで上述した一連の処理を施された後、メモリ制御回路４６によって、ＳＤＲＡＭ３８内の画像データ記憶領域４８ａに記憶される。信号処理回路４４はまた、入力された生画像データからサムネイルデータを生成する。生成されたサムネイルデータは、メモリ制御回路４６によって、ＳＤＲＡＭ４８内のサムネイルデータ記憶領域４８ｂに記憶される。
【００３８】
サムネイルデータの記憶後、メモリ制御回路４６は、ＣＰＵ３２による制御に従って、画像データ記憶領域４８ａに記憶された高解像度の画像データを１フレーム毎に順次読み出し、読み出した画像データを圧縮伸長回路５８に入力する。圧縮伸長回路５８は、ＣＰＵ３２から与えられる圧縮命令に応答して、入力された画像データに対しクイック・タイム・ムービ方式に従う圧縮処理を施し、単一フォークのムービファイル（動画クリップファイル）を生成する。生成されたムービファイルは、メモリ制御回路４６によって、一旦、ＳＤＲＡＭ４８内の圧縮画像ファイル記憶領域４８ｃに記憶される。
【００３９】
さらに、メモリ制御回路４６は、サムネイルデータ記憶領域４８ｂから各画像データのサムネイルデータを順次読み出し、読み出したサムネイルデータを圧縮伸長回路５８に入力する。圧縮伸長回路５８は、このサムネイルデータに対してＪＰＥＧ方式に従う圧縮処理を施す。この圧縮処理によって生成されたＪＰＥＧ圧縮サムネイルファイルは、メモリ制御回路４６によって、上述の圧縮画像ファイル記憶領域４８ｃに記憶されたムービファイルの先頭にある後述するプレビューアトムに格納される。
【００４０】
このようにして１フレーム毎に画像データを圧縮するとともに、各画像データに対応するＪＰＥＧ圧縮サムネイルファイルを付加するという処理は、再度シャッタボタン１２が押下されるまで続けられる。つまり、最初にシャッタボタン１２が押下されてから再度シャッタボタン１２が押下されるまでの間、動画像の撮影が行われる。そして、この一連の動画像撮影によって得られたムービファイルは、メモリ制御回路４６によって読み出され、メモリインタフェース回路６０を介してメモリカード６２に入力される。
【００４１】
ＣＰＵ３２は、図３に示すように上述したＤＣＩＭフォルダ６４の下に“ＶＣＬＰ”というフォルダを形成する。そして、ＣＰＵ３２は、メモリカード６２に入力されたムービファイルに対して“ＶＣＬＰＸＸＸＸ．ｊｐｇ（ＸＸＸＸは撮影順を表すシリアル番号）”というファイル名を付し、これを当該ＶＣＬＰフォルダ内に記録する。
【００４２】
なお、図には示さないが、この実施例のディジタルカメラ１０は、内蔵マイクを有しており、動画像記録動作においては、当該内蔵マイクで収音された音声も同時に記録される。この動画像記録動作における音声データは、圧縮された動画像のデータとともにムービファイル内の後述するムービデータアトムに格納される。
【００４３】
また、この実施例のディジタルカメラ１０では、上述の内蔵マイクまたは図示しないマイク入力端子に接続される外部マイクを用いて、撮影を伴わない音声のみの録音も可能である。この音声の録音手順については、ここでは詳しく説明しないが、収音された音声のデータは、ＷＡＶＥ形式で記録される。このＷＡＶＥ形式の音声データには、“ＳＵＮＤＸＸＸＸ．ｗａｖ（ＸＸＸＸは録音順を表すシリアル番号）”というファイル名が付され、当該音声データは、図３に示すようにＤＣＩＭフォルダの下に形成された“ＳＵＮＤ”というフォルダ内に記録される。
【００４４】
各撮影モードで記録された画像は、当該各撮影モードに対応する再生モードによって再生することができる。たとえば、静止画像撮影モードで記録された静止画像は、静止画像再生モードで再生することができる。そして、連続撮影モードで記録された複数の静止画像から成る連写画像は、連写画像再生モードで再生することができ、動画像撮影モードで記録された動画像は、動画像再生モードで再生することができる。
【００４５】
さらに、この実施例のディジタルカメラ１０では、オペレータが気に入った画像を容易に再生することができるよう工夫が施されている。具体的には、オペレータは、自分の気に入った画像をお気に入り画像として任意に登録することができる。そして、お気に入り画像については、容易に再生できるよう工夫されている。
【００４６】
このお気に入り画像の登録手順については、後で詳しく説明するが、たとえば静止画像については、図４に示すように個々の静止画像毎にお気に入り画像として登録することができる。なお、図４は、斜線模様が付された“ＳＴＩＬ０００２．ｊｐｇ”および“ＳＴＩＬ０００４．ｊｐｇ”というファイルで表される静止画像が、お気に入り画像として登録されている状態を示す。このようにお気に入り画像として登録された静止画像のファイルには、お気に入り画像であることを表す識別子としての符号、言わば“お気に入り符号”が付加される。具体的には、図５に示すように、上述したＪＰＥＧ圧縮画像ファイルのアプリケーション・マーカ・セグメントに、当該お気に入り符号が埋め込まれる。なお、このアプリケーション・マーカ・セグメントには、上述したようにＪＰＥＧ圧縮サムネイルファイルも埋め込まれる。
【００４７】
また、連写画像については、図６に示すように当該連写画像を構成する個々の静止画像毎にお気に入り画像として登録することができる。なお、図６は、“ＳＥＱＴ０００１”フォルダ内の“ＳＥＱＴ０００１．ｊｐｇ”および“ＳＥＱＴ０００７．ｊｐｇ”というファイルで表される静止画像がお気に入り画像として登録されている状態を示す。このお気に入り画像として登録された静止画像のファイルにも、上述の５に示す静止画像ファイルと同様にお気に入り符号が付加される。
【００４８】
そして、動画像については、図７に示すように当該動画像を構成するフレーム画像毎にお気に入り画像として登録することができる。なお、図７は、“ＶＣＬＰ０００１．ｍｏｖ”というムービファイル内の“３”フレーム目の画像と“Ｎ”フレーム目（最後尾フレーム）の画像とがお気に入り画像として登録されている状態を示す。このようにお気に入り画像を含むムービファイルにも、お気に入り符号が付加される。すなわち、周知の通り、ムービファイルは、図８に示すように上述したプレビューアトム，ムービデータアトム，ムービアトムおよびユーザ定義データアトムが、この順番で連続した構造を持つ。このうちのプレビューアトムに、ＪＰＥＧ圧縮サムネイルファイルが格納される。そして、ムービデータアトムに、動画像の圧縮データおよび音声データが格納され、ムービアトムに、当該ムービデータアトムに格納されている動画像データおよび音声データに関する各種情報（データの記録日時などの情報）が格納される。ユーザ定義データアトムには、任意のデータを格納することができ、このユーザ定義データアトムに、お気に入り符号が付加され、厳密には何フレーム目の画像がお気に入り画像として登録されているのかを表すデータが格納される。
【００４９】
さらに、メモリカード６２内においては、図３に示すようにルートディレクトリの下にＤＣＩＭフォルダ６４と並んで“お気に入りファイル”というファイル６６が形成され、このお気に入りファイル６６には、図９に示すように、お気に入り画像として登録された画像のファイルの一覧情報が記録される。なお、ムービファイルについては、注記（NOTE）としてお気に入り画像のフレーム番号の情報も記録される。
【００５０】
また、この実施例のディジタルカメラ１０は、撮影した画像に任意の文字（テキスト）を入力するという文字入力機能をも備えている。この文字入力機能によれば、周知のＡＳＣＩＩ（American Standard Code for Information Interchange）コードに従う文字の他に、ひらがな，カタカナ，漢字などをも入力することができる。この文字入力機能による文字の入力手順については、ここでは詳しく説明しないが、入力された文字のデータ（テキストデータ）は、図３に示すようにルートディレクトリの下にＤＣＩＭフォルダ６４およびお気に入りファイル６６と並んで形成された“入力文字ファイル”というファイル６８に記録される。具体的には、この入力文字ファイル６８には、図１０に示すように、文字が入力された画像ファイルの一覧と、これらの画像ファイルに入力された文字の一覧とが、互いに対応付けられた状態で記録される。
【００５１】
なお、静止画像については、個々の静止画像毎に任意の文字を入力することができるが、連写画像については、１つのフォルダ（ＳＥＱＴＸＸＸＸ）に格納された複数の静止画像の全てに共通の文字が入力され、換言すれば当該１つのフォルダにつき１種類の文字列が入力可能である。また、動画像については、個々の動画像を構成する全ての画像に対して共通の文字が入力され、換言すれば１つのムービファイルに対して１種類の文字列が入力可能である。
【００５２】
さらに、メモリカード６２内のルートディレクトリの下には、図３に示すようにＤＣＩＭフォルダ６４，お気に入りファイル６６および入力文字ファイル６８と並んで、“管理リストファイル”というファイル７０が形成される。この管理リストファイル７０には、図１１に示すように、メモリカード６２に記憶されている全ての画像ファイル（ＪＰＥＧ圧縮画像ファイルおよびムービファイル）および音声ファイルの一覧情報が、それぞれの記録日時の情報とともに、記録順に格納されている。そして、それぞれの画像ファイルについては、お気に入り符号が付加されているか否か、および文字入力機能による文字が入力されているか否かの情報も、記録されている。なお、図１１においては、“ＭＡＲＫ”の欄に“○”印が付されている画像ファイルに対してお気に入り符号が付加されていることを表す。また、“ＭＥＭＯ”の欄に“○”印が付されている画像ファイルに対して文字入力機能による文字が入力されていることを表す。
【００５３】
さて、今、複数の静止画像，連写画像および動画像の各ファイルがメモリカード６２に記録されており、そのうちのいくつかにお気に入り符号が付加され、または文字入力機能による文字が入力されているとする。このような状態で、静止画像再生モードが選択される、具体的にはメインスイッチ１６によって再生モードが選択され、かつモード選択ダイヤル１４によって静止画像モードが選択されると、ＣＰＵ３２は、まず、上述の管理リストファイル７０を参照し、静止画像撮影モードによって最後に記録されたＪＰＥＧ圧縮画像ファイルを特定する。そして、ＣＰＵ３２は、メモリ制御回路４６に対して、特定されたＪＰＥＧ圧縮画像ファイルの読み出しを命令する。
【００５４】
メモリ制御回路４６は、ＣＰＵ３２からの読み出し命令に応答して、メモリインタフェース回路６０を介してメモリカード６２から上述の特定された（最後に記録された）ＪＰＥＧ圧縮画像ファイルを読み出し、読み出したＪＰＥＧ圧縮画像ファイルを、一旦、ＳＤＲＡＭ４８内の圧縮画像ファイル記憶領域４８ｃに記憶する。そして、メモリ制御回路４６は、圧縮画像ファイル記憶領域４８ｃから当該ＪＰＥＧ圧縮画像ファイルを読み出し、読み出したＪＰＥＧ圧縮画像ファイルを圧縮伸長回路５８に入力する。
【００５５】
圧縮伸長回路５８には、ＣＰＵ３２から伸長命令が与えられており、圧縮伸長回路５８は、この伸長命令に応答して、入力されたＪＰＥＧ圧縮画像ファイルを伸長し、元の静止画像のデータを再現する。再現された画像データは、メモリ制御回路４６によって、一旦、ＳＤＲＡＭ４８の画像データ記憶領域４８ａに記憶された後、バッファメモリ５０を介して混合回路５２に入力される。
【００５６】
混合回路５２に入力された画像データは、さらにビデオエンコーダ５６に入力される。ビデオエンコーダ５６は、入力された画像データを複合画像信号に変換し、変換後の複合画像信号を液晶モニタ３０に入力する。これによって、液晶モニタ３０には、図１２に示すように、メモリカード６１から読み出されたＪＰＥＧ圧縮画像ファイルに従う静止画像が表示される。
【００５７】
ＣＰＵ３２はまた、上述の管理リストファイル７０を参照することで、メモリカード６２から読み出されたＪＰＥＧ圧縮画像ファイルに文字入力機能による文字が入力されているか否かを判断する。ここで、この文字が入力されているとき、ＣＰＵ３２は、上述した入力文字ファイル６８を参照し、当該文字の内容を認識する。そして、認識した文字をＯＳＤ表示するための上述したＯＳＤデータを生成し、生成したＯＳＤデータをＯＳＤメモリ５４に入力する。このＯＳＤメモリ５４に入力されたＯＳＤデータは、混合回路５２に入力され、ここでバッファメモリ５０から当該混合回路５２に入力された画像データと混合された後、ビデオエンコーダ５６に入力される。したがって、再生対象となるＪＰＥＧ圧縮画像ファイルに文字入力機能による文字が入力されているときは、液晶モニタ３０に表示されている静止画像上に、当該文字がＯＳＤ表示される。なお、この文字は、図１２に点線の矩形図形１００で示すように、液晶モニタ３０の画面の下側部分に横書きで表示
される。
【００５８】
このように液晶モニタ３０に任意の静止画像が表示されている、つまり再生されている状態で、たとえば十字キー２２の右ボタンが押下されたとする。すると、ＣＰＵ３２は、管理リストファイル７０を参照して、現在再生されている静止画像の次に撮影された静止画像、換言すれば現在再生されている静止画像の次に撮影日時が古い静止画像のＪＰＥＧ圧縮画像ファイルを特定する。なお、当該次に撮影された静止画像が存在しない場合、つまり現在再生されている静止画像が最後に撮影された静止画像である場合には、ＣＰＵ３２は、最初に撮影された（記録日時が最も古い）静止画像のＪＰＥＧ圧縮画像ファイルを特定する。そして、ＣＰＵ３２は、上述と同様の手順に従って、当該特定されたＪＰＥＧ圧縮画像ファイルに従う静止画像を液晶モニタ３０に表示させるとともに、このＪＰＥＧ圧縮画像ファイルに文字が入力されている場合にはその文字をＯＳＤ表示させる。これによって、液晶モニタ３０の画面表示は、図１３（ａ）に示すように任意の静止画像が表示されている状態から、図１３（ｂ）に示すように次の静止画像（または最初の静止画像）が表示された状態に遷移する。
【００５９】
一方、図１３（ａ）に示すように任意の静止画像が再生されている状態で、十字キー２２の左ボタンが押下されると、ＣＰＵ３２は、管理リストファイル７０を参照して、現在再生されている静止画像の前に撮影された静止画像、換言すれば現在再生されている静止画像の次に撮影日時が新しい静止画像のＪＰＥＧ圧縮画像ファイルを特定する。なお、当該前に撮影された静止画像が存在しない場合、つまり現在再生されている静止画像が最初に撮影された静止画像である場合には、ＣＰＵ３２は、最後に撮影された（記録日時が最も新しい）静止画像のＪＰＥＧ圧縮画像ファイルを特定する。そして、ＣＰＵ３２は、上述と同様の手順に従って、当該特定されたＪＰＥＧ圧縮画像ファイルに従う静止画像を液晶モニタ３０に表示させるとともに、このＪＰＥＧ圧縮画像ファイルに文字が入力されている場合にはその文字をＯＳＤ表示させる。これによって、液晶モニタ３０の画面表示は、図１３（ａ）に示すように任意の静止画像が表示されている状態から、図１３（ｃ）に示すように１つ前の静止画像（または最後の静止画像）が表示された状態に遷移する。
【００６０】
さらに、図１３（ａ）の状態で上述したモードキー１８が押下されると、ＣＰＵ３２は、図１３（ｄ）に示すような再生設定画面を液晶モニタ３０にＯＳＤ表示させるためのＯＳＤデータを生成し、ＯＳＤメモリ５４に入力する。これによって、液晶モニタ３０の画面上においては、図１３（ａ）における入力文字１００のＯＳＤ表示が解除され、代わりに、図１３（ｄ）に示すように、現在再生されている静止画像の撮影日時を表す文字列１０２と、当該静止画像のＪＰＥＧ圧縮画像ファイルに付されたシリアル番号を表す文字列１０４とが、画面の下側部分に上下２段にＯＳＤ表示される。また、ＪＰＥＧ圧縮画像ファイルに上述したお気に入り符号が付されている場合には、その旨を表す“＊”印１０６が、文字列（シリアル番号）１０４の右側にＯＳＤ表示される。
【００６１】
なお、図１３（ｄ）は、“西暦２００２年７月１５日１１時３５分”に撮影（厳密にはメモリカード６２に記録）され、かつ“０１２３”番というシリアル番号が付されたＪＰＥＧ圧縮画像ファイルに従う静止画像が表示されている状態を示す。また、この図１３（ｄ）において“＊”印１０６が表示されていることから、当該ＪＰＥＧ圧縮画像ファイルにお気に入り符号が付されていることが判る。なお、これらの撮影日時（文字列１０２），シリアル番号（文字列１０４）および“＊”印１０６の表示に当り、ＣＰＵ３２は、ＪＰＥＧ圧縮画像ファイルのヘッダ情報から当該撮影日時を認識し、ＪＰＥＧ圧縮画像ファイルのファイル名からシリアル番号を認識し、ＪＰＥＧ圧縮画像ファイルのアプリケーション・マーカ・セグメントからお気に入り符号の有無を判断する。これら撮影日時，シリアル番号およびお気に入り符号の有無は、上述した管理リストファイル７０を参照することによっても認識できる。
【００６２】
さらに、図１３（ｄ）の再生設定画面においては、当該画面の左側に４つのアイコン１０８〜１１４が縦１列にＯＳＤ表示されるとともに、一番上のアイコンを囲むように矩形のカーソル１１６がＯＳＤ表示される。なお、カーソル１１６は、十字キー２２の上ボタンまたは下ボタンの押下に従って、任意のアイコン１０８，１１０，１１２または１１４を囲むように上下方向に移動する。
【００６３】
この再生設定画面が表示されている状態でモードキー１８が押下されると、液晶モニタ３０の画面表示は、図１３（ａ）の状態に戻る。一方、一番上のアイコン１０８がカーソル１１６で囲まれた状態、つまり選択された状態で、セットキー２０が押下されると、液晶モニタ３０の画面表示は、図１４（ａ）に示すような状態に遷移する。
【００６４】
すなわち、液晶モニタ３０の画面には、セットキー２０が押下される直前に（図１３（ｄ）の状態で）再生されていた静止画像を先頭に、この先頭の静止画像の後に順番に撮影された８つの静止画像を含む合計９つの静止画像のサムネイル１１８，１１８，・・・が、縦３行×横３列のマトリクス状にマルチ表示される。そして、それぞれのサムネイル１１８の右下隅には、それぞれに対応する静止画像に割り当てられたシリアル番号を表す文字列１２０が表示される。さらに、お気に入り画像のサムネイル１１８には、その周囲を囲むように矩形のマーク１２２が付され、当該サムネイル１１８の左上隅には、対応する静止画像の撮影日を表す文字列１２４が表示される。さらに、左上隅に表示されたサムネイル１１８を指示するように、指差印のポインタ１２６が表示される。このポインタ１２６は、十字キー２２の操作に応じて任意のサムネイル１１８を指示するように上下左右に移動する。
【００６５】
なお、図１４（ａ）は、“０１２３”番〜“０１３１”番までのシリアル番号が割り当てられた各静止画像に対応するサムネイル１１８，１１８，・・・が表示されており、このうちの“０１２３”番，“０１２７”番，“０１２８”番および“０１３０”番の各シリアル番号が割り当てられた静止画像がお気に入り画像として登録されている状態を示す。
【００６６】
この図１４（ａ）に示すようないわゆるマルチ画面を表示させるために、上述の図１３（ｄ）に示す再生設定画面においてカーソル１１６によって言わばマルチ表示アイコン１０８が選択された状態でセットキー２０が押下されると、ＣＰＵ３２は、管理リストファイル７０を参照する。そして、ＣＰＵ３２は、当該セットキー２０が押下される直前に再生されていた静止画像と、この静止画像よりも後に撮影された静止画像のうち撮影日時の古い８つの静止画像との、合計９つの静止画像のＪＰＥＧ圧縮画像ファイルを特定する。そして、これら特定された９つのＪＰＥＧ圧縮画像ファイルの読み出しを、メモリ制御回路４６に命令する。
【００６７】
メモリ制御回路４６は、ＣＰＵ３２からの読み出し命令に応答して、メモリインタフェース回路６０を介してメモリカード６２から特定された９つのＪＰＥＧ圧縮画像ファイルを順次読み出し、読み出したＪＰＥＧ圧縮画像ファイルを、順次ＳＤＲＡＭ４８内の圧縮画像ファイル記憶領域４８ｃに記憶する。そして、メモリ制御回路４６は、圧縮画像ファイル記憶領域４８ｃから当該９つのＪＰＥＧ圧縮画像ファイルを順次読み出し、読み出したＪＰＥＧ圧縮画像ファイルを順次圧縮伸長回路５８に入力する。
【００６８】
圧縮伸長回路５８には、ＣＰＵ３２からサムネイル伸長命令が与えられており、圧縮伸長回路５８は、この伸長命令に応答して、入力されたＪＰＥＧ圧縮画像ファイルのアプリケーション・マーカ・セグメントに埋め込まれたＪＰＥＧ圧縮サムネイルファイルを伸長し、それぞれのサムネイルデータを再現する。再現されたサムネイルデータは、メモリ制御回路４６によって、一旦、ＳＤＲＡＭ４８の画像データ記憶領域４８ａに記憶され、ここでマルチ表示に対応するべく並べ替えを行われ、さらに１つの画像データとして纏められた後、バッファメモリ５０を介して混合回路５２に入力される。
【００６９】
ＣＰＵ３２はまた、メモリカード６２から読み出された各ＪＰＥＧ圧縮画像ファイルのファイル名から、当該各ＪＰＥＧ圧縮画像ファイルに割り当てられたシリアル番号を認識する。さらに、ＣＰＵ３２は、それぞれのＪＰＥＧ圧縮画像ファイルに対してお気に入り符号が付加されているか否かを判断する。そして、ＣＰＵ３２は、認識したシリアル番号に基づいて図１４（ａ）における文字列１２０，１２０，・・・をＯＳＤ表示するとともに、お気に入り符号の有無に基づいて上述したマーク１２２および文字列１２４をＯＳＤ表示し、さらに上述したポインタ１２６をＯＳＤ表示するためのためのＯＳＤデータを生成する。このＯＳＤデータは、混合回路５２に入力される。
【００７０】
混合回路５２は、バッファメモリ５０から入力される画像データと、ＯＳＤメモリ５４から入力されるＯＳＤデータとを混合し、混合後のデータをビデオエンコーダ５６に入力する。ビデオエンコーダ５６は、混合回路５２から入力されるデータを複合画像信号に変換し、変換後の複合画像信号を液晶モニタ３０に入力する。これによって、液晶モニタ３０に、図１４（ａ）に示すマルチ画面が表示される。
【００７１】
この図１４（ａ）に示すマルチ画面において、任意のサムネイル１１８上にポインタ１２６が置かれた状態でセットキー２０が押下される、つまり当該任意のサムネイル１１８が選択されると、上述の図１２に示す静止画像を再生するときと同様の手順に従って、当該選択されたサムネイル１１８に対応する静止画像が再生される。これによって、液晶モニタ３０には、図１４（ｂ）に示すように選択されたサムネイル１１８に対応する静止画像がいわゆるフルサイズで表示され、この静止画像に文字入力機能による文字が入力されている場合には、点線の矩形図形１００で示すように当該文字がＯＳＤ表示される。
【００７２】
また、図１４（ａ）に示すようにポインタ１２６が最上段のサムネイル１１８上に置かれている状態で、さらに十字キー２２の上ボタンが押下されると、図には示さないが、当該マルチ画面がスクロールダウンする。具体的には、現在表示されているサムネイル１１８，１１８，・・・のうち最下段に表示されている３つの（図１４（ａ）において“０１２９”番，“０１３０”番および“０１３１”番の各シリアル番号が付された）サムネイル１１８，１１８，１１８が画面から消去される。その代わりに、現在表示されているサムネイル１１８，１１８，・・・に対応する静止画像よりも前に撮影された静止画像のうち、撮影日時の新しい３つの静止画像のサムネイル１１８，１１８，１１８が、画面の最上段に新たに表示される。このように図１４（ａ）に示すマルチ画面がスクロールダウンするときも、ＣＰＵ３２やメモリ制御回路４６などの各回路は、当該図１４（ａ）に示すマルチ画面を表示させるときと同様の動作を行う。また、図１４（ａ）に示すようにポインタ１２６が左上隅のサムネイル１１８に置かれている状態で十字キー２２の左ボタンが押下された場合にも、画面は同様にスクロールダウンする。
【００７３】
一方、図には示さないが、ポインタ１２６が最下段のサムネイル１１８上に置かれている状態で、さらに十字キー２２の下ボタンが押下されると、画面はスクロールアップする。具体的には、現在表示されているサムネイル１１８，１１８，・・・のうち最上段に表示されている３つの（図１４（ａ）において“０１２３”番，“０１２４”番および“０１２５”番の各シリアル番号が付された）サムネイル１１８，１１８，１１８が画面から消去される。その代わりに、現在表示されているサムネイル１１８，１１８，・・・に対応する静止画像よりも後に撮影された静止画像のうち、撮影日時の古い３つの静止画像のサムネイル１１８，１１８，１１８が、画面の最下段に新たに表示される。このように図１４（ａ）に示すマルチ画面がスクロールアップするときも、ＣＰＵ３２やメモリ制御回路４６などの各回路は、当該図１４（ａ）に示すマルチ画面を表示させるときと同様の動作を行う。また、ポインタ１２６が右下隅のサムネイル１１８に置かれている状態で十字キー２２の右ボタンが押下された場合にも、画面は同様にスクロールアップする。
【００７４】
さらに、図１４（ａ）に示す状態で、十字キー２２の上ボタンと上述したジャンプキー２４とが同時に押下されると（厳密には先に十字キー２２の上ボタンが押下された状態でジャンプキー２４が押下されると）、液晶モニタ３０の画面表示が、図１４（ｃ）に示す状態に遷移する。すなわち、十字キー２２の上ボタンとジャンプキー２４とが押下される直前に表示されていた全てのサムネイル１１８，１１８，・・・が画面から消去され、代わりに当該サムネイル１１８，１１８，・・・に対応する静止画像よりも前に撮影された静止画像のうち、撮影日時の新しい９つの静止画像のサムネイル１１８，１１８，１１８が新たにマルチ表示される。このように全てのサムネイル１１８，１１８，・・・が更新されるときも、ＣＰＵ３２やメモリ制御回路４６などの各回路は、図１４（ａ）に示すマルチ画面を表示させるときと同様の動作を行う。
【００７５】
なお、図１４（ｃ）は、図１４（ａ）の状態から全てのサムネイル１１８，１１８，・・・が更新されて、“０１１４”番〜“０１２２”番までのシリアル番号が割り当てられた９つの静止画像に対応するサムネイル１１８，１１８，・・・が新たに表示された状態を示す。そして、“０１１８”番および“０１２２”番の各シリアル番号が割り当てられた静止画像がお気に入り画像として登録されている状態を示す。
【００７６】
一方、図１４（ａ）に示す状態で、十字キー２２の下ボタンと上述したジャンプキー２４とが同時に押下されると（厳密には先に十字キー２２の下ボタンが押下された状態でジャンプキー２４が押下されると）、液晶モニタ３０の画面表示は、図１４（ｄ）に示す状態に遷移する。すなわち、十字キー２２の下ボタンとジャンプキー２４とが押下される直前に表示されていた全てのサムネイル１１８，１１８，・・・が画面から消去され、代わりに当該サムネイル１１８，１１８，・・・に対応する静止画像よりも後に撮影された静止画像のうち、撮影日時の古い９つの静止画像のサムネイル１１８，１１８，１１８が新たにマルチ表示される。この場合も、ＣＰＵ３２やメモリ制御回路４６などの各回路は、図１４（ａ）に示すマルチ画面を表示させるときと同様の動作を行う。
【００７７】
なお、図１４（ｄ）は、図１４（ａ）の状態から全てのサムネイル１１８，１１８，・・・が更新されて、“０１３２”番〜“０１４０”番までのシリアル番号が割り当てられた９つの静止画像に対応するサムネイル１１８，１１８，・・・が新たに表示された状態を示す。そして、“０１３８”番のシリアル番号が割り当てられた静止画像がお気に入り画像として登録されている状態を示す。
【００７８】
このようにマルチ画面が表示されている状態で、モードキー３０が押下されると、液晶モニタ３０には、図１４（ｅ）に示すように、当該マルチ画面が表示される前に再生されていた静止画像が再度表示される。つまり、液晶モニタ３０の画面表示は、上述した図１３（ａ）に示す状態に戻る。
【００７９】
次に、図１３（ｄ）に示す再生設定画面において、カーソル１１６によって上から２番目のアイコン１１０が選択された状態でセットキー２０が押下されたとする。すると、液晶モニタ３２に、当該再生設定画面がＯＳＤ表示されるときと同様の手順に従って、図１５（ａ）に示すようなジャンプ再生設定画面がＯＳＤ表示される。
【００８０】
すなわち、図１３（ｄ）に示す画面からアイコン１０８〜１１４およびカーソル１１６が消去され、代わりに、画面の略中央に“ジャンプ再生”という横書きの文字列１２８がＯＳＤ表示される。そして、この文字列１２８の下方に、“設定”という横書きの文字列１３０と“戻る”という横書きの文字列１３２とが、上下２段に表示される。さらに、これら２つの文字列１３０および１３２の一方を囲むように、細長い矩形のカーソル１３４が表示される。このカーソル１３４は、十字キー２２の上ボタンまたは下ボタンの押下に従って、上下方向に移動する。なお、図１３（ｄ）において画面の下側に表示されていた撮影日時を表す文字列１０２およびシリアル番号を表す文字列１０４については、この図１５（ａ）のジャンプ再生設定画面においても継続して表示される。また、“＊”印１０６が表示されている場合には、この表示も当該ジャンプ再生設定画面に引き継がれる。
【００８１】
図１５（ａ）のジャンプ再生設定画面において、モードキー１８が押下されると、液晶モニタ３０の表示は、図１５（ｂ）に示すように当該ジャンプ再生設定画面が表示される前の画面、つまり再生設定画面に戻る。このことは、図１５（ａ）のジャンプ再生設定画面において、カーソル１３４によって文字列１３２（戻る）が選択された状態でセットキー２０が押下された場合も、同様である。
【００８２】
一方、図１５（ａ）のジャンプ再生設定画面において、カーソル１３４によって文字列１３０（設定）が選択された状態でセットキー２０が押下されると、液晶モニタ３０の画面表示は、図１５（ｃ）に示すようなメッセージ画面に遷移する。すなわち、図１５（ａ）における文字列１２８〜１３２およびカーソル１３４の表示に代えて、“ジャンプ再生を設定しました”という横書きの文字列（メッセージ）１３５が画面の略中央に表示される。これと同時に、ＣＰＵ３２に対して、後述するジャンプ再生モードという特殊な再生モードが設定される。そして、図１５（ｃ）のメッセージ画面が表示されてから一定時間（数秒程度）が経過すると、液晶モニタ３０の画面表示は、図１５（ｄ）に示すように再生設定画面に遷移する。なお、ＣＰＵ３２に対して上述のジャンプ再生モードが設定された場合は、再生設定画面における上から２番目のアイコン６２内の文字が“ＡＬＬ”から“ＪＭＰ”に変化する。
【００８３】
このようにしてジャンプ再生モードが設定されると、静止画像再生モードにおいて再生対象となる静止画像が、お気に入り画像に限定される。たとえば、図１６（ａ）に示すように任意のお気に入り静止画像が再生されている状態で、十字キー２２の右ボタンが押下されると、次のお気に入り静止画像、詳しくは図１６（ａ）の状態で再生されているお気に入り静止画像の次に撮影日時の古いお気に入り静止画像が、再生される。なお、当該次のお気に入り静止画像が存在しない場合には、記録日時が最も古いお気に入り静止画像が再生される。
【００８４】
一方、図１６（ａ）の状態で十字キー２２の左ボタンが押下されると、１つ前のお気に入り静止画像、詳しくは図１６（ａ）の状態で再生されているお気に入り静止画像の次に撮影日時の新しいお気に入り静止画像が、再生される。なお、当該１つ前のお気に入り静止画像が存在しない場合には、記録日時が最も新しいお気に入り静止画像が再生される。
【００８５】
さらに、図１６（ａ）の状態でモードキー１８が押下されると、図１６（ｄ）に示すように、液晶モニタ３０の画面表示が再生設定画面に遷移する。この再生設定画面が表示されている状態でモードキー１８が押下されると、液晶モニタ３０の画面表示は、図１６（ａ）の状態に戻る。一方、再生設定画面においてカーソル１１６によってマルチ表示アイコン１０８が選択された状態でセットキー２０が押下されると、液晶モニタ３０の画面表示は、図１６（ｅ）に示すような状態に遷移する。
【００８６】
すなわち、図１６（ｅ）に示すように、お気に入り画像として登録された静止画像のみのサムネイル１１８，１１８，・・・がマルチ表示される。したがって、これら全てのサムネイル１１８，１１８，・・・に対して、それぞれに対応する静止画像のシリアル番号を表す文字列１２０，１２０，・・・が表示されることは勿論のこと、当該各静止画像の撮影日を表す文字列１２４，１２４，・・・も表示される。そして、全てのサムネイル１１８，１１８，・・・の周囲にマーク１２２が付される。このマルチ画面表示においては、サムネイル１１８の表示対象がお気に入り静止画像に対応するものに限定される。このようにお気に入り静止画像のみに対応するサムネイル１１８，１１８，・・・が表示されるマルチ画面においても、ポインタ１２６の位置によっては十字キー２２の操作によって当該マルチ画面がスクロールし、または十字キー２２およびジャンプキー２４の操作によってサムネイル１１８，１１８，・・・が一括して更新される。
【００８７】
なお、ジャンプ再生モードを解除する場合には、図１６（ｄ）に示す再生設定画面において“ＪＭＰ”と記された上から２番目のアイコン１０がカーソル１１６によって選択された状態で、セットキー２０を押下する。すると、液晶モニタ３２の画面表示が、図１７（ａ）に示すようなジャンプ再生解除画面に遷移する。
【００８８】
このジャンプ再生解除画面においては、画面の略中央に“ジャンプ再生”という横書きの文字列１３６が表示される。そして、この文字列１３６の下方に、“解除”という横書きの文字列１３８と“戻る”という横書きの文字列１４０とが、上下２段に表示される。さらに、これら２つの文字列１３８および１４０の一方を囲むように、細長い矩形のカーソル１４２が表示される。このカーソル１４２は、十字キー２２の上ボタンまたは下ボタンの押下に従って上下方向に移動する。なお、上述の図１６（ｄ）において画面の下側に表示されている撮影日時を表す文字列１０２およびシリアル番号を表す文字列１０４については、この図１７（ａ）のジャンプ再生解除画面においても引き続き表示される。また、“＊”印１０６が表示されている場合には、この表示も当該ジャンプ再生解除画面に引き継がれる。
【００８９】
図１７（ａ）のジャンプ再生解除画面において、モードキー１８が押下されると、液晶モニタ３０の表示は、図１７（ｂ）に示すように再生設定画面に戻る。このことは、当該ジャンプ再生解除画面において、カーソル１４２によって文字列１４０（戻る）が選択された状態でセットキー２０が押下された場合も、同様である。
【００９０】
一方、図１７（ａ）のジャンプ再生解除画面において、カーソル１４２によって文字列１３８（解除）が選択された状態でセットキー２０が押下されると、液晶モニタ３０の画面表示は、図１７（ｃ）に示すようなメッセージ画面に遷移する。すなわち、図１７（ａ）における文字列１３６〜１４０およびカーソル１４２の表示に代えて、“ジャンプ再生を解除しました”という横書きの文字列（メッセージ）１４４が画面の略中央に表示される。これと同時に、ＣＰＵ３２に設定されていたジャンプ再生モードが解除される。そして、図１７（ｃ）のメッセージ画面が表示されてから一定時間（数秒程度）が経過すると、液晶モニタ３０の画面表示は、図１７（ｄ）に示すように再生設定画面に遷移する。このようにジャンプ再生モードが解除された場合は、再生設定画面における上から２番目のアイコン６２内の文字が“ＪＭＰ”から“ＡＬＬ”に戻る。
【００９１】
さらに、図１３（ｄ）に示す再生設定画面において（図１５（ｂ）や図１６（ｄ），図１７（ｄ）に示す再生設定画面においても同様）、カーソル１１６によって上から３番目のアイコン１１２が選択された状態でセットキー２０が押下されると、ＣＰＵ３２は、上述した管理リストファイル７０を参照する。そして、その参照結果に基づいて、液晶モニタ３０に図１８（ａ）に示すようなファイルリスト画面をＯＳＤ表示させる。このファイルリスト画面においては、メモリカード６２に記録されている全ての画像ファイルおよび音声ファイルの概要が一覧表示される。
【００９２】
すなわち、画面の上方に“記録日”，“モード”，“Ｎｏ．”および“テキスト”という横書きの４つの文字列１４６〜１５２が横１列に表示される。そして、文字列１４６（記録日）の下方に各ファイルが記録された年月日（年／月／日）を表す横書きの文字列１５４が縦１列に表示され、文字列１４８（モード）の下方に当該各記録日に記録されたファイルの種類（静止画像，連写画像，動画像および音声）を表す横書きの文字列１５６が縦１列に表示される。そして、文字列１５０（Ｎｏ．）の下方に、当該ファイルの種類別にいくつのファイルが記録されているのか（ファイル数）を表す横書きの文字列（数字）１５８が縦１列に表示される。さらに、それぞれのファイルの種類において、最初に記録されたファイルに上述した文字入力機能による文字が入力されている場合には、その文字を表す横書きの文字列１６０が、文字列１５２（テキスト）の下方に表示される。また、記録日（撮影日）を表す複数の文字列１５４，１５４，・・・のいずれかを囲むように、細長い矩形のカーソル１６１が表示される。このカーソル１６１は、十字キー２２の上ボタンまたは下ボタンの押下に従って上下方向に移動する。
【００９３】
なお、文字列１６０を表示するに当り、ＣＰＵ３２は、上述した入力文字ファイル６８を参照して、入力された文字を認識する。また、液晶モニタ３０の画面に全てのファイルの内容が一度に表示されない場合には、上述の十字キー２２の上ボタンまたは下ボタンの押下に従ってカーソル１６１が画面（文字列１５４〜１６０が表示されている部分）の上端または下端に移動したときに、当該画面の表示が上下方向にスクロールする。このファイルリスト画面の背景は青一色とされ、いわゆるブルーバックとされている。
【００９４】
かかるファイルリスト画面において、任意の記録日を表す文字列１５４がカーソル１６１によって選択された状態でセットキー２０が押下されると、液晶モニタ３０の画面表示は、上述したジャンプ再生モードが設定されているか否かに応じて、上述の図１４（ａ）または図１６（ｅ）と同様のマルチ画面表示に遷移する。たとえば、ジャンプ再生モードが設定されていない場合には、図１８（ｂ）に示すようなマルチ画面が表示される。
【００９５】
この図１８（ｂ）に示すマルチ画面では、選択された記録日（ここでは西暦２００２年７月１日）において最も早い（古い）時刻に記録された静止画像を先頭に、この先頭の静止画像以降順番に記録された合計９つの静止画像のサムネイル１１８，１１８，・・・が、図１４（ａ）と同じ要領でマルチ表示される。そして、この図１８（ｂ）に示すマルチ画面が表示されている状態でモードキー１８，セットキー２０，十字キー２２の上ボタンまたは下ボタン（ジャンプキー２４との併用を含む）が押下されると、液晶モニタ３０の画面表示は、図１４（ａ）に示すマルチ画面が表示されている状態でこれらのキーが押下されたときと同じ要領で遷移する。
【００９６】
なお、図１８（ａ）のファイルリスト画面において選択された記録日に記録された静止画像が存在しない場合には、当該選択された記録日よりも後に記録された静止画像のうち最も記録日時の古い静止画像が、先頭とされる。また、当該選択された記録日以降に記録された静止画像が存在しない場合には、全ての静止画像のうち最も記録日時の古い静止画像が、先頭とされる。
【００９７】
一方、ジャンプ再生モードが設定されている場合、図１８（ａ）のファイルリスト画面が表示されている状態でセットキー２０が押下されると、図には示さないが、お気に入り静止画像のみのサムネイルが、図１６（ｅ）と同じ要領でマルチ表示される。すなわち、図１８（ａ）のファイルリスト画面で選択された記録日において記録時刻の最も古いお気に入り静止画像が、先頭とされる。そして、この先頭のお気に入り静止画像以降に記録された静止画像のうち記録日時の古い９つのお気に入り静止画像のサムネイルが、マルチ表示される。
【００９８】
このようにお気に入り静止画像のみのサムネイルがマルチ表示されている状態でモードキー１８，セットキー２０，十字キー２２の上ボタンまたは下ボタン（ジャンプキー２４との併用を含む）が押下された場合も、液晶モニタ３０の画面表示は、図１６（ｅ）のマルチ画面が表示されている状態でこれらのキーが押下されたときと同じ要領で遷移する。また、図１８（ａ）のファイルリスト画面で選択された記録日に記録された静止画像が存在しない場合には、当該選択された記録日よりも後に記録された静止画像のうち最も記録日時の古いお気に入り静止画像が、先頭とされる。また、当該選択された記録日以降に記録された静止画像にお気に入り画像として登録された静止画像が存在しない場合、或いは当該選択された記録日以降に記録された静止画像が存在しない場合には、全てのお気に入り静止画像のうち最も記録日時の古いお気に入り静止画像が、先頭とされる。
【００９９】
図１８（ａ）のファイルリスト画面が表示されている状態でモードキー１８が押下されると、液晶モニタ３０の画面表示は、図１８（ｃ）に示すように、再生設定画面に戻る。
【０１００】
そして、図１３（ｄ）の再生設定画面において（図１８（ｃ）などに示す再生設定画面においても同様）、カーソル１１６によって一番下のアイコン１１４が選択された状態でセットキー２０が押下されると、ＣＰＵ３２は、液晶モニタ３０に図１９（ａ）に示すような消去方法選択画面をＯＳＤ表示させる。
【０１０１】
この消去方法選択画面では、画面の中央付近に“全て消去”，“グループ消去”，“１枚消去”および“戻る”という４つの横書きの文字列１６２〜１６８が縦１列に表示される。そして、文字列１６８（戻る）を囲むように、細長い矩形のカーソル１７０が表示される。このカーソル１７０は、十字キー２２の上ボタンまたは下ボタンの押下に従って任意の文字列１６２，１６４，１６６または１６８を囲むように上下方向に移動する。なお、画面の下側には、現在表示されている静止画像の撮影日時およびシリアル番号を表す文字列１０２および１０４が、図１３（ｄ）と同様に、上下２段に表示される。そして、当該静止画像がお気に入り画像である場合には、文字列１０４の右側に“＊”印１０６が表示される。
【０１０２】
この図１９（ａ）に示す消去方法選択画面において、モードキー１８が押下されると、液晶モニタ３０の表示は、図１９（ｂ）に示すように再生設定画面に戻る。このことは、当該消去方法選択画面において、カーソル１７０によって文字列１６８（戻る）が選択された状態でセットキー２０が押下された場合も、同様である。
【０１０３】
一方、この消去方法選択画面において、カーソル１７０によって文字列１６２（全て消去）または文字列１６４（グループ消去）が選択された状態でセットキー２０が押下されると、液晶モニタ３０には当該消去方法選択画面に代えて図１９（ｃ）に示すお気に入り消去確認画面がＯＳＤ表示される。
【０１０４】
このお気に入り消去確認画面では、画面の中央付近に“お気に入り画像を消去しますか？”という横書きの文字列１７２が２行にわたって表示される。そして、この文字列１７２の下方に、“ＹＥＳ”および“ＮＯ”という２つの横書きの文字列１７４および１７６が上下２段に表示される。さらに、これら２つの文字列１７４および１７６の一方を囲むように、細長い矩形のカーソル１７８が表示される。このカーソル１７８は、十字キー２２の上ボタンまたは下ボタンの押下に従って、上下方向に移動する。なお、画面の下側に表示された文字列１０２および１０４（または１０６）の表示は、図１９（ａ）の消去方法選択画面から引き継がれる。そして、このお気に入り消去確認画面が表示されている状態でセットキー２０が押下されると、液晶モニタ３０には当該お気に入り消去確認画面に代えて図１９（ｄ）に示す消去開始確認画面がＯＳＤ表示される。
【０１０５】
この消去開始確認画面では、画面の中央付近に“消去開始？”という横書きの文字列１８０が表示され、この文字列１８０の下方に、“ＹＥＳ”および“ＮＯ”という２つの横書きの文字列１８２および１８４が上下２段に表示される。さらに、文字列１８２および１８４の一方を囲むように、細長い矩形のカーソル１８６が表示される。このカーソル１８６は、十字キー２２の上ボタンまたは下ボタンの押下に従って上下方向に移動する。なお、画面の下側に表示された文字列１０２および１０４（または１０６）の表示は、この消去開始確認画面が表示される前のものがそのまま引き継がれる。また、図１９（ａ）の消去方法選択画面において、カーソル１７０によって文字列１６６（１枚消去）が選択された状態でセットキー２０が押下された場合は、液晶モニタ３０の画面表示は、図１９（ｃ）のお気に入り消去確認画面の表示を経ずに、直接、この消去開始確認画面に遷移する。
【０１０６】
この消去開始確認画面において、カーソル１８６によって文字列１８４（ＮＯ）が選択された状態でセットキー２０が押下されると、液晶モニタ３０の画面表示は、図１９（ａ）の消去方法選択画面に戻る。一方、カーソル１８６によって文字列１８２が選択された状態でセットキー２０が押下されると、液晶モニタ３０の画面表示は、図１９（ｅ）に示すメッセージ画面に遷移する。
【０１０７】
すなわち、このメッセージ画面では、図１９（ｄ）の消去開始確認画面における文字列１８０〜１８４およびカーソル１８６の表示に代えて、“画像消去中”という横書きの文字列（メッセージ）１８８が画面の略中央にＯＳＤ表示される。ここで、上述の図１９（ａ）の消去方法選択画面においてカーソル１７０によって文字列１６２が選択された状態でセットキー２０が押下され（つまり“全て消去”が選択され）、かつ図１９（ｃ）のお気に入り消去確認画面においてカーソル１７８によって文字列１７４が選択された状態でセットキー２０が押下された（つまり“ＹＥＳ”が選択された）場合、ＣＰＵ３２は、メモリカード６２に記録されている全ての画像ファイルおよび音声ファイルを消去する。一方、図１９（ａ）の消去方法選択画面において“全て消去”が選択され、かつ図１９（ｃ）のお気に入り消去確認画面において“ＮＯ”が選択された場合、ＣＰＵ３２は、メモリカード６２に記録されている画像ファイルのうちお気に入り画像のみを残して、それ以外の画像ファイルおよび音声ファイルの全てを消去する。
【０１０８】
また、図１９（ａ）の消去方法選択画面において“グループ消去”が選択され、かつ図１９（ｃ）のお気に入り消去確認画面において“ＹＥＳ”が選択された場合、ＣＰＵ３２は、図１９（ｅ）のメッセージ画面の表示と並行して、静止画像撮影モードで記録された全ての画像ファイル（ＪＰＥＧ圧縮画像ファイル）をメモリカード６２から消去する。一方、図１９（ａ）の消去方法選択画面において“グループ消去”が選択され、かつ図１９（ｃ）のお気に入り消去確認画面において“ＮＯ”が選択された場合、ＣＰＵ３２は、静止画像撮影モードで記録された画像ファイルのうちお気に入り画像のみを残して、それ以外の静止画像モードで記録された画像ファイルをメモリカード６２から全て消去する。
【０１０９】
さらに、図１９（ａ）の消去方法選択画面において“１枚消去”が選択された場合、ＣＰＵ３２は、図１９（ｅ）のメッセージ画面の表示と並行して、現在再生されている静止画像をメモリカード６２から消去する。
【０１１０】
このようにして図１９（ａ）の消去方法選択画面および図１９（ｃ）のお気に入り消去確認画面における各選択状況に応じてファイルの消去を行った後、ＣＰＵ３２は、この消去後のメモリカード６２内におけるファイルの記録状況に応じてお気に入りファイル６６，入力文字ファイル６８および管理リストファイル７０の各内容を更新する。そして、更新後の管理リストファイル７０を参照して、メモリカード６２内に静止画像撮影モードで記録された画像ファイルが残っているか否かを判断する。
【０１１１】
ここで、メモリカード６２内に静止画像撮影モードで記録された画像ファイルが残っていない場合、ＣＰＵ３２は、図１９（ｆ）に示すように“ファイルがありません”という横書きの文字列（メッセージ）１９０を、画面の略中央にブルーバックでＯＳＤ表示する。この場合、モード選択ダイヤル１４またはメインスイッチ１６が操作されるまで、当該図１９（ｆ）のメッセージ画面は表示され続ける。なお、このメッセージ画面は、静止画像再生モードが選択された直後に、メモリカード６２内に静止画像撮影モードで記録された画像ファイルが存在しない場合も表示される。
【０１１２】
一方、メモリカード６２内に静止画像撮影モードで記録された画像ファイルが残っている場合、ＣＰＵ３２は、図１９（ｇ）に示すように、再度、消去方法選択画面をＯＳＤ表示する。これと併せて、ＣＰＵ３２は、今回消去された静止画像の次に撮影日時の古い静止画像を再生する。なお、当該次に撮影日時の古い静止画像が存在しない場合には、ＣＰＵ３２は、撮影日時の最も古い静止画像を再生する。図１９（ｇ）は、“０１２３”番というシリアル番号が付された静止画像が消去され、その次の“０１２４”番というシリアル番号が付された静止画像が再生されている状態を示す。そして、この図１９（ｇ）では、図１９（ａ）のように“＊”印１０６が表示されていないので、このことから“０１２４”番のシリアル番号が付された静止画像はお気に入り画像ではないことが判る。
【０１１３】
そして、この図１９（ｇ）に示す消去方法選択画面において、モードキー１８が押下されるか、若しくはカーソル１７０によって文字列１６８（戻る）が選択された状態でセットキー２０が押下されると、液晶モニタ３０の表示は、上述の図１９（ａ）から図１９（ｂ）に遷移するのと同様に、図１９（ｈ）に示す再生設定画面に戻る。
【０１１４】
ところで、未だお気に入り画像として登録されていない静止画像をお気に入り画像として登録するには、次の手順による。
【０１１５】
すなわち、図２０（ａ）に示すように、お気に入り画像として登録されていない任意の静止画像が再生されている状態で、ジャンプキー２４が押下されると、ＣＰＵ３２は、液晶モニタ３０に図２０（ｂ）に示すようなお気に入り登録設定画面をＯＳＤ表示させる。
【０１１６】
このお気に入り登録設定画面では、画面の中央付近に“お気に入り登録”という横書きの文字列１９２が表示され、この文字列１９２の下方に“設定”および“戻る”という２つの横書きの文字列１９４および１９６が上下２段に表示される。そして、これら２つの文字列１９４および１９６のいずれか一方を囲むように、細長い矩形のカーソル１９８が表示される。このカーソル１９８は、十字キー２２の上ボタンまたは下ボタンの押下に従って上下方向に移動する。さらに、画面の下側には、上述した再生設定画面と同様、現在再生されている静止画像の撮影日時およびシリアル番号を表す文字列１０２および１０４が、上下２段に表示される。なお、この図２０（ｂ）は、“０１２４”番というシリアル番号が付された静止画像が表示されている状態を示す。この時点では、当該静止画像は未だお気に入り画像として登録されていないので、上述した“＊”印１０６は表示されていない。
【０１１７】
この図２０（ｂ）に示すお気に入り登録設定画面において、再度ジャンプキー２４が押下されると、液晶モニタ３０の表示は、当該お気に入り登録設定画面が表示される前の状態に戻る。このことは、お気に入り登録設定画面図において、カーソル１９８によって文字列１９６（戻る）が選択された状態でセットキー２０が押下された場合も、同様である。
【０１１８】
一方、このお気に入り登録設定画面において、カーソル１９８によって文字列１９４（設定）が選択された状態でセットキー２０が押下されると、液晶モニタ３０の画面表示は、図２０（ｃ）に示すようなメッセージ画面に遷移する。すなわち、図２０（ｂ）における文字列１９２〜１９６およびカーソル１９８の表示に代えて、“お気に入りに登録しました”という横書きの文字列（メッセージ）２００が画面の略中央に表示される。これと同時に、ＣＰＵ３２は、現在再生されている静止画像をお気に入りに登録し、具体的には当該静止画像のＪＰＥＧ圧縮画像ファイルのアプリケーション・マーカ・セグメントに上述したお気に入り符号を埋め込むとともに、当該ＪＰＥＧ圧縮画像ファイルをお気に入りファイル６６に追加する。このように現在再生されている静止画像がお気に入り画像として登録されることで、文字列１０４の右側に“＊”印１０６が新たに表示される。なお、ＣＰＵ３２は、上述のお気に入りファイル６６の更新に合わせて、管理リストファイル７０の内容をも更新する。
【０１１９】
そして、図２０（ｃ）のメッセージ画面が表示されてから一定時間（数秒程度）が経過すると、液晶モニタ３０の画面表示は、図２０（ｄ）に示すように、図２０（ａ）と同様の元の画像に戻る。
【０１２０】
このお気に入り画像の登録は、図２１（ａ）に示すように上述したマルチ画面が表示されている状態からも可能である。なお、このマルチ画面を表示させる手順については、図１４を参照して説明した通りである。
【０１２１】
すなわち、図２１（ａ）に示すように、未だお気に入り画像として登録されていない静止画像のサムネイル１１８を含むマルチ画面において、お気に入り画像として登録されていない任意の静止画像のサムネイル１１８上にポインタ１２６が置かれた状態でジャンプキー２４が押下されると、ＣＰＵ３２は、当該ポインタ１２６が置かれたサムネイル１１８に対応する静止画像を再生する。そして、ＣＰＵ３２は、図２１（ｂ）に示すように、当該再生された静止画像上に、お気に入り登録設定画面をＯＳＤ表示させる。
【０１２２】
この図２１（ｂ）に示すお気に入り登録設定画面は、上述した図２０（ｂ）に示すお気に入り登録設定画面と同様の画面であり、カーソル１９８によって文字列１９４（設定）が選択された状態でセットキー２０が押下されると、液晶モニタ３０の画面表示は、図２１（ｃ）に示すメッセージ画面に遷移する。この図２１（ｃ）に示すメッセージ画面もまた、図２０（ｃ）に示すメッセージ画面と同様の画面であり、このメッセージ画面の表示とともに、ＣＰＵ３２は、現在再生されている静止画像をお気に入り画像に登録する。
【０１２３】
そして、図２１（ｃ）のメッセージ画面が表示されてから一定時間（数秒程度）が経過すると、液晶モニタ３０の画面表示は、図２１（ｄ）に示すように、図２１（ａ）と同様のマルチ画面表示に戻る。ただし、図２１（ｄ）においては、お気に入り画像として今回新たに登録された静止画像に対応するサムネイル（図２１（ｄ）においては“０１２４”番のシリアル番号が付されたサムネイル）１１８に対して、新たにマーク１２２が付されるとともに、当該静止画像の撮影日を表す文字列１２４が表示される。
【０１２４】
一方、既にお気に入り画像として登録されている静止画像の当該登録を解除するにするには、次の手順による。
【０１２５】
すなわち、図２２（ａ）に示すように、既にお気に入り画像として登録されている任意の静止画像が再生されている状態で、ジャンプキー２４が押下されると、ＣＰＵ３２は、液晶モニタ３０に図２２（ｂ）に示すようなお気に入り登録解除画面をＯＳＤ表示させる。
【０１２６】
このお気に入り登録解除画面では、画面の中央付近に“お気に入り登録”という横書きの文字列２０２が表示され、この文字列２０２の下方に“解除”および“戻る”という２つの横書きの文字列２０４および２０６が上下２段に表示される。そして、これら２つの文字列２０４および２０６のいずれか一方を囲むように、細長い矩形のカーソル２０８が表示される。このカーソル２０８は、十字キー２２の上ボタンまたは下ボタンの押下に従って上下方向に移動する。さらに、画面の下側には、上述した再生設定画面と同様、現在再生されている静止画像の撮影日時およびシリアル番号を表す文字列１０２および１０４が、上下２段に表示される。なお、この図２２（ｂ）は、“０１２３”番というシリアル番号が付された静止画像が表示されている状態を示す。また、この時点では、当該静止画像はお気に入り画像として登録されている状態にあるので、その旨を表す“＊”印１０６が文字列１０４の右側に表示される。
【０１２７】
この図２２（ｂ）に示すお気に入り登録解除画面において、再度ジャンプキー２４が押下されると、液晶モニタ３０の表示は、当該お気に入り登録解除画面が表示される前の状態に戻る。このことは、お気に入り登録解除画面図において、カーソル２０８によって文字列２０６（戻る）が選択された状態でセットキー２０が押下された場合も、同様である。
【０１２８】
一方、このお気に入り登録解除画面において、カーソル２０８によって文字列２０４（解除）が選択された状態でセットキー２０が押下されると、液晶モニタ３０の画面表示は、図２２（ｃ）に示すようなメッセージ画面に遷移する。すなわち、図２２（ｂ）における文字列２０２〜２０６およびカーソル２０８の表示に代えて、“お気に入りを解除しました”という横書きの文字列（メッセージ）２１０が画面の略中央に表示される。これと同時に、ＣＰＵ３２は、現在再生されている静止画像についてのお気に入り登録を解除し、具体的には当該静止画像のＪＰＥＧ圧縮画像ファイルのアプリケーション・マーカ・セグメントに埋め込まれているお気に入り符号を削除するとともに、当該ＪＰＥＧ圧縮画像ファイルをお気に入りファイル６６から削除する。このように現在再生されている静止画像のお気に入り登録が解除されることで、文字列１０４の右側に表示されていた“＊”印１０６が画面から消去される。なお、ＣＰＵ３２は、上述のお気に入りファイル６６の更新に合わせて、管理リストファイル７０の内容をも更新する。
【０１２９】
そして、図２２（ｃ）のメッセージ画面が表示されてから一定時間（数秒程度）が経過すると、液晶モニタ３０の画面表示は、図２２（ｄ）に示すように、図２２（ａ）と同様の元の画像に戻る。
【０１３０】
このお気に入り画像の登録の解除は、図２３（ａ）に示すように上述したマルチ画面が表示されている状態からも可能である。なお、このマルチ画面を表示させる手順については、図１４を参照して説明した通りである。
【０１３１】
すなわち、図２３（ａ）に示すように、既にお気に入り画像として登録されている静止画像のサムネイル１１８を含むマルチ画面において、お気に入り画像として登録されている任意の静止画像のサムネイル１１８上にポインタ１２６が置かれた状態でジャンプキー２４が押下されると、ＣＰＵ３２は、当該ポインタ１２６が置かれたサムネイル１１８に対応する静止画像を再生する。そして、ＣＰＵ３２は、図２３（ｂ）に示すように、当該再生された静止画像上に、お気に入り登録解除画面をＯＳＤ表示させる。
【０１３２】
この図２３（ｂ）に示すお気に入り登録解除画面は、上述した図２２（ｂ）に示すお気に入り登録解除画面と同様の画面であり、カーソル２０８によって文字列２０４（設定）が選択された状態でセットキー２０が押下されると、液晶モニタ３０の画面表示は、図２３（ｃ）に示すメッセージ画面に遷移する。この図２３（ｃ）に示すメッセージ画面もまた、図２２（ｃ）に示すメッセージ画面と同様の画面であり、このメッセージ画面の表示とともに、ＣＰＵ３２は、現在再生されている静止画像についてのお気に入り登録を解除する。
【０１３３】
そして、図２３（ｃ）のメッセージ画面が表示されてから一定時間（数秒程度）が経過すると、液晶モニタ３０の画面表示は、図２３（ｄ）に示すように、図２３（ａ）と同様のマルチ画面表示に戻る。ただし、図２３（ｄ）においては、今回お気に入り登録が解除された静止画像に対応するサムネイル（図２３（ｄ）においては“０１２３”番のシリアル番号が付されたサムネイル）１１８の周囲からマーク１２２の表示が消える。
【０１３４】
次に、連写画像再生モードが選択される、具体的にはメインスイッチ１６によって再生モードが選択され、かつモード選択ダイヤル１４によって連写画像モードが選択されると、液晶モニタ３０に、図２４（ａ）に示すようなマルチ画面が表示される。
【０１３５】
このマルチ画面では、連写画像撮影モードで撮影された複数の静止画像のうちサンプル画像として特定された静止画像のサムネイル１１８，１１８，・・・が、縦３行×横３列のマトリクス状にマルチ表示され、特に連写画像再生モードが選択された直後は、当該サンプル画像のうち撮影日時の最も新しいものから順に９つのサンプル画像のサムネイル１１８，１１８，・・・がマルチ表示される。ここで、サンプル画像とは、上述した各ＳＥＱＴＹＹＹＹフォルダに記憶されている各ＪＰＥＧ圧縮画像ファイルのうち、当該各ＳＥＱＴＹＹＹＹフォルダ内において最も記録日時の古いＪＰＥＧ圧縮画像ファイル（ＳＥＱＴ０００１．ｊｐｇ）、若しくはお気に入り符号が付加されたＪＰＥＧ圧縮画像ファイルによって表される静止画像のことを言う。
【０１３６】
そして、この図２４（ａ）のマルチ画面においては、上述した図１４（ａ）に示す静止画像再生モードにおけるマルチ画面と同様に、各サムネイル１１８，１１８，・・・の右下隅に、それぞれに対応する静止画像のシリアル番号を表す文字列１２０，１２０，・・・が表示される。ただし、この連写画像再生モードにおけるマルチ画面においては、当該文字列１２０，１２０，・・・で表されるシリアル番号として、各静止画像が含まれるＳＥＱＴＹＹＹＹフォルダのシリアル番号が表示される。そして、お気に入り画像のサムネイル１１８については、その周囲を囲むように矩形のマーク１２２が付され、当該サムネイル１１８の左上隅には、対応する静止画像の撮影日を表す文字列１２４が表示される。そして、左上隅に表示されたサムネイル１１８を指示するように、ポインタ１２６が表示される。このポインタ１２６は、十字キー２２の操作に応じて任意のサムネイル１１８を指示するように上下左右に移動する。
【０１３７】
この図２４（ａ）に示すマルチ画面を表示させるために、連写画像再生モードが選択されると、ＣＰＵ３２は、まず、管理リストファイル７０を参照し、この管理ファイルリストから上述のサンプル画像を特定する。そして、ＣＰＵ３２は、特定されたサンプル画像に関する情報、たとえばファイル名や記録日時などの情報を、自身に内蔵されたレジスタＲｄに一時記憶する。さらに、ＣＰＵ３２は、サンプル画像のうち、撮影日時の新しいものから順に９つのサンプル画像を特定し、特定された９つのＪＰＥＧ圧縮画像ファイルの読み出しを、メモリ制御回路４６に命令する。これ以降は、図１４を参照して説明したのと同様の手順によって、図２４（ａ）のマルチ画面が表示される。
【０１３８】
なお、図２４（ａ）は、“００５０”番〜“００５５”番というシリアル番号が付された６つのＳＥＱＴＹＹＹＹフォルダにおいてそれぞれ“０００１”番というシリアル番号（図２４（ａ）においてかっこ書きで表された番号）が付された６つの静止画像，“００５０”番というシリアル番号が付されたＳＥＱＴＹＹＹＹフォルダにおいて“０００３”番および“０００６”番という各シリアル番号が付された２つの静止画像，および“００５３”番というＳＥＱＴＹＹＹＹフォルダにおいて“０００４”番というシリアル番号が付された静止画像の各サムネイル１１８，１１８，・・・がマルチ表示されている状態を示す。そして、シリアル番号“００５０”番のＳＥＱＴＹＹＹＹフォルダにおけるシリアル番号“０００３”番および“０００６”番という２つの静止画像，シリアル番号“００５２”番のＳＥＱＴＹＹＹＹフォルダにおけるシリアル番号“０００１”番の静止画像，およびシリアル番号“００５３”番のＳＥＱＴＹＹＹＹフォルダにおけるシリアル番号“０００４”番の静止画像が、お気に入り画像として登録されている状態を示す。
【０１３９】
この図２４（ａ）に示すマルチ画面においても、上述した図１４（ａ）に示すマルチ画面と同様に、ポインタ１２６によって任意のサムネイル１１８が選択された状態でセットキー２０が押下されると、図２４（ｂ）に示すように、当該選択されたサムネイル１１８に対応する静止画像が再生される。また、選択されたサムネイル１１８に対応する静止画像に文字入力機能による文字が入力されている場合には、点線の矩形図形１００で示すように当該文字がＯＳＤ表示される。
【０１４０】
また、図２４（ａ）に示す状態で、十字キー２２の上ボタンとジャンプキー２４とが同時に押下されると、図２４（ｃ）に示すように、全てのサムネイル１１８，１１８，・・・が、言わば前方に更新される。一方、図２４（ａ）に示す状態で、十字キー２２の下ボタンとジャンプキー２４とが同時に押下された場合は、図２４（ｄ）に示すように、全てのサムネイル１１８，１１８，・・・が、言わば後方に更新される。さらに、図には示さないが、ポインタ１２６の位置および十字キー２２の操作によっては、静止画像再生モードにおけるマルチ画面と同様、当該マルチ画面が上下方向にスクロールして、サムネイル１１８，１１８，・・・が３つずつ更新される。
【０１４１】
そして、上述の図２４（ｂ）に示す画面を表示させるのと同様の手順によって、図２５（ａ）に示すように任意のＳＥＱＴＹＹＹＹフォルダ内の任意の静止画像が再生されているときに十字キー２２の右ボタンが押下されると、図２５（ｂ）に示すように同一フォルダ内の次の（撮影日時が次に古い）静止画像が再生される。なお、当該次の静止画像が存在しない場合には、同一フォルダ内において撮影日時が最も古い静止画像が再生される。
【０１４２】
一方、図２５（ａ）の状態で十字キー２２の左ボタンが押下されると、図２５（ｃ）に示すように同一フォルダ内の一つ前（撮影日時が次に新しい）静止画像が再生される。なお、当該一つ前の静止画像が存在しない場合には、同一フォルダ内において撮影日時が最も新しい静止画像が再生される。
【０１４３】
さらに、図２５（ａ）の状態でモードキー１８が押下されると、液晶モニタ３０の画面には、図２５（ｄ）に示すように、上述の図１３（ｄ）に示したのと同様の再生設定画面がＯＳＤ表示される。なお、この連写画像再生モードにおける再生設定画面においては、当該画面の下側に表示される文字列１０４によって、現在再生されている静止画像のファイルが記録されているＳＥＱＴＹＹＹＹフォルダのシリアル番号と、当該静止画像のシリアル番号とが、ハイフン（−）を挟んで表される。また、現在再生されている静止画像がお気に入り画像であるときには、文字列１０４の右側に“＊”印が表示される。
【０１４４】
なお、図２５（ｄ）は、“００５０”番というシリアル番号が割り当てられたＳＥＱＴＹＹＹＹフォルダ内の“０００３”番というシリアル番号が付された静止画像が表示されている状態を示す。そして、この静止画像は、文字列１０２の内容から、“西暦２００２年７月３０日８時１０分”に撮影（厳密にはメモリカード６２に記録）された画像であることが判る。また、“＊”印１０６が表示されていることから、当該静止画像はお気に入り画像であることが判る。
【０１４５】
この図２５（ｄ）に示す再生設定画面が表示されている状態において、モードキー１８が押下されると、液晶モニタ３０の画面表示は、当該再生設定画面が表示される前の状態に戻る。
【０１４６】
一方、図２５（ｄ）の再生設定画面において、カーソル１１６によって一番上にあるマルチ表示アイコン１０８が選択された状態でセットキー２０が押下されると、液晶モニタ３０の画面表示は、上述の図２４（ａ）に示すマルチ画面表示に遷移する。
【０１４７】
また、カーソル１１６によって上から２番目の言わばジャンプ再生設定アイコン１１０が選択された状態でセットキー２０が押下されると、液晶モニタ３０の画面表示は、上述の図１５（ａ）に示すジャンプ再生設定画面または図１７（ａ）に示すジャンプ再生解除画面に遷移する。これらジャンプ再生設定画面またはジャンプ再生解除画面において、上述の手順と同様にジャンプ再生モードを設定しまたは当該設定を解除することができる。
【０１４８】
なお、当該ジャンプ再生モードが設定された場合、お気に入り静止画像のみが再生対象となる。たとえば、図２６（ａ）に示すように任意のＳＥＱＴＹＹＹＹフォルダ内の任意のお気に入り静止画像が表示されている状態で十字キー２２の右ボタンが押下されると、次のお気に入り静止画像、詳しくは図２６（ａ）で再生されているお気に入り静止画像の次に撮影日時の古いお気に入り静止画像が、再生される。このとき、再生対象となるお気に入り静止画像は、図２６（ａ）で再生されているお気に入り静止画像と同一のフォルダに記録されているものに限定されない。つまり、ＳＥＱＴＹＹＹＹフォルダの違いに関係なく、連写画像撮影モードで記録され、かつお気に入り画像として登録された全てのお気に入り静止画像が、再生対象となる。なお、次のお気に入り静止画像が存在しない場合には、記録日時が最も古いお気に入り静止画像が再生される。
【０１４９】
一方、図２６（ａ）の状態で十字キー２２の左ボタンが押下されると、１つ前のお気に入り静止画像、詳しくは図２６（ａ）の状態で再生されているお気に入り静止画像の次に撮影日時の新しいお気に入り静止画像が、再生される。このときも、再生対象となるお気に入り静止画像は、図２６（ａ）で再生されているお気に入り静止画像と同一のフォルダに記録されているものに限定されない。なお、１つ前のお気に入り静止画像が存在しない場合には、記録日時が最も新しいお気に入り静止画像が再生される。
【０１５０】
さらに、図２６（ａ）の状態でモードキー１８が押下されると、液晶モニタ３０の画面表示が、図２６（ｄ）に示すように再生設定画面に遷移する。この再生設定画面が表示されている状態でモードキー１８が押下されると、液晶モニタ３０の画面表示は、図２６（ａ）の状態に戻る。一方、図２６（ｄ）の再生設定画面においてカーソル１１６によってマルチ表示アイコン１０８が選択された状態でセットキー２０が押下されると、液晶モニタ３０の画面表示は、図２６（ｅ）に示すような状態に遷移する。
【０１５１】
すなわち、図２６（ｅ）に示すように、お気に入り画像として登録された静止画像のサムネイル１１８，１１８，・・・のみがマルチ表示される。したがって、これら全てのサムネイル１１８，１１８，・・・に対して、それぞれに対応するＳＥＱＴＹＹＹＹフォルダのシリアル番号を表す文字列１２０，１２０，・・・が表示されることは勿論のこと、それぞれに対応する静止画像の撮影日を表す文字列１２４，１２４，・・・も表示される。そして、全てのサムネイル１１８，１１８，・・・の周囲にマーク１２２が付される。なお、この図２６（ｅ）に示すマルチ画面においても、上述の図２４（ａ）に示すマルチ画面と同様に、ポインタ１２６の位置および十字キー２２の操作によっては画面がスクロールし、またジャンプキー２４および十字キー２２の同時操作によってサムネイル１１８，１１８，・・・が更新される。
【０１５２】
また、図２５（ｄ）の再生設定画面において（図２６（ｄ）においても同様）、カーソル１１６によって上から３番目の言わばリスト表示アイコン１１２が選択された状態でセットキー２０が押下されると、液晶モニタ３０に、上述した図１８（ａ）に示すファイルリストが表示される。このファイルリストが表示された状態でモードキー１８またはセットキー２０が押下されると、液晶モニタ３０の画面表示は図２５（ｄ）の再生設定画面に戻る。
【０１５３】
そして、図２５（ｄ）の再生設定画面において、カーソル１１６によって一番下の言わば消去アイコン１１４が選択された状態でセットキー２０が押下されると、液晶モニタ３０の画面表示は、上述の図１９（ａ）に示す消去方法選択画面に遷移する。これによって、メモリカード６２に記憶されている任意のファイルを上述したのと同様の手順で消去することができる。
【０１５４】
なお、この連写画像再生モードにおいて図１９（ａ）の消去方法選択画面が表示された場合であって、当該消去方法選択画面で“グループ消去”が選択され、かつ図１９（ｃ）のお気に入り消去確認画面において“ＹＥＳ”が選択され、しかも図１９（ｄ）の消去開始確認画面において“ＹＥＳ”が選択された場合は、その時点で再生されている静止画像が記録されているＳＥＱＴＹＹＹＹフォルダが、当該フォルダ内の全てのファイル（ＪＰＥＧ圧縮画像ファイル）とともに消去される。また、図１９（ａ）の消去方法選択画面において“グループ消去”が選択され、かつ図１９（ｂ）のお気に入り消去確認画面において“ＮＯ”が選択され、しかも図１９（ｃ）の消去開始確認画面において“ＹＥＳ”が選択された場合は、その時点で再生されている静止画像が記録されているＳＥＱＴＹＹＹＹフォルダ内のお気に入り画像を除く全ての静止画像のファイルが消去される。
【０１５５】
次に、動画像再生モードが選択される、具体的にはメインスイッチ１６によって再生モードが選択され、かつモード選択ダイヤル１４によって動画像モードが選択されると、液晶モニタ３０に、図２７（ａ）に示すようなマルチ画面が表示される。
【０１５６】
このマルチ画面では、動画像撮影モードで撮影された動画像を構成する複数のフレーム画像のうちサンプル画像として特定されたフレーム画像のサムネイル１１８，１１８，・・・が、縦３行×横３列のマトリクス状にマルチ表示され、特に動画像再生モードが選択された直後は、当該サンプル画像のうち撮影日時の最も新しいものから順に９つのサンプル画像のサムネイル１１８，１１８，・・・がマルチ表示される。ここで、サンプル画像とは、各ムービファイルで表される各動画像の最初のフレーム画像（１コマ）、若しくはお気に入り画像として登録されたフレーム画像のことを言う。
【０１５７】
そして、この図２７（ａ）のマルチ画面においては、上述した図１４（ａ）または図２４（ａ）に示すマルチ画面と同様に、各サムネイル１１８，１１８，・・・の右下隅に、それぞれに対応する動画像のシリアル番号を表す文字列１２０，１２０，・・・が表示される。そして、お気に入り画像のサムネイル１１８については、その周囲を囲むように矩形のマーク１２２が付され、当該サムネイル１１８の左上隅には、対応する動画像の撮影日を表す文字列１２４が表示される。そして、左上隅に表示されたサムネイル１１８を指示するように、ポインタ１２６が表示される。このポインタ１２６は、十字キー２２の操作に応じて任意のサムネイル１１８を指示するように上下左右に移動する。
【０１５８】
この図２７（ａ）に示すマルチ画面を表示させるために、動画像再生モードが選択されると、ＣＰＵ３２は、まず、管理リストファイル７０を参照し、この管理ファイルリストから上述のサンプル画像を特定する。そして、ＣＰＵ３２は、特定されたサンプル画像に関する情報、たとえばファイル名や記録日時などの情報を、レジスタＲｄに一時記憶する。さらに、ＣＰＵ３２は、サンプル画像のうち、撮影日時の新しいものから順に９つのサンプル画像を特定し、特定された９つのサンプル画像を含むムービファイルの読み出しを、メモリ制御回路４６に命令する。
【０１５９】
メモリ制御回路４６は、ＣＰＵ３２からの読み出し命令に応答して、メモリインタフェース回路６０を介してメモリカード６２から指定されたムービファイルを順次読み出し、読み出したムービファイルを、順次ＳＤＲＡＭ４８内の圧縮画像ファイル記憶領域４８ｃに記憶する。そして、メモリ制御回路４６は、圧縮画像ファイル記憶領域４８ｃから当該ムービファイルを順次読み出し、読み出したムービファイルを順次圧縮伸長回路５８に入力する。
【０１６０】
圧縮伸長回路５８には、ＣＰＵ３２からサムネイル伸長命令が与えられており、圧縮伸長回路５８は、この伸長命令に応答して、入力されたムービファイルのプレビューに埋め込まれたＪＰＥＧ圧縮サムネイルファイルのうち上述のサンプル画像に対応するものを伸長し、当該サンプル画像に対応するサムネイルデータを順次再現する。再現されたサムネイルデータは、メモリ制御回路４６によって、一旦、ＳＤＲＡＭ４８の画像データ記憶領域４８ａに記憶され、ここでマルチ画面表示に対応するべく並べ替えを行われ、さらに１つの画像データとして纏められた後、バッファメモリ５０を介して混合回路５２に入力される。
【０１６１】
ＣＰＵ３２はまた、メモリカード６２から読み出されたムービファイルのファイル名から、当該ムービファイルに割り当てられたシリアル番号を認識する。さらに、ＣＰＵ３２は、当該ムービファイルのユーザ定義データアトムに格納されている情報からそれぞれのサンプル画像がお気に入り画像として登録されているか否かを判断する。そして、ＣＰＵ３２は、認識したシリアル番号に基づいて図２７（ａ）における文字列１２０，１２０，・・・をＯＳＤ表示するとともに、それぞれのサンプル画像がお気に入り画像として登録されているか否かの判断結果に基づいて上述したマーク１２２および文字列１２４をＯＳＤ表示し、さらに上述したポインタ１２６をＯＳＤ表示するためのＯＳＤデータを生成する。このＯＳＤデータは、混合回路５２に入力される。
【０１６２】
混合回路５２は、バッファメモリ５０から入力される画像データと、ＯＳＤメモリ５４から入力されるＯＳＤデータとを混合し、混合後のデータをビデオエンコーダ５６に入力する。ビデオエンコーダ５６は、混合回路５２から入力されるデータを複合画像信号に変換し、変換後の複合画像信号を液晶モニタ３０に入力する。これによって、液晶モニタ３０に、図２７（ａ）に示すマルチ画面が表示される。
【０１６３】
なお、図２７（ａ）は、“００３１”番というシリアル番号が割り当てられた動画像を構成する“１”フレーム目および“１０”フレーム目〜“１３”フレーム目までの各画像，“００３２”番のシリアル番号が割り当てられた動画像の“１”フレーム目の画像，および“００３３”番のシリアル番号が割り当てられた動画像を構成する“１”フレーム目〜“３”フレーム目までの各画像のサムネイル１１８，１１８，・・・がマルチ表示されている状態を示す。そして、シリアル番号“００３１”番の動画像を構成する“１０”フレーム目〜“１３”フレーム目までの画像，およびシリアル番号“００３３”番の動画像を構成する“１”フレーム目〜“３”フレーム目までの画像が、お気に入り画像として登録されている状態を示す。
【０１６４】
この図２７（ａ）において、ポインタ１２６によって任意のサムネイル１１８が選択された状態でセットキー２０が押下されると、図２７（ｂ）に示すように、当該選択されたサムネイル１１８に対応するフレーム画像がフルサイズで表示される。そして、画面の下側には、当該フルサイズで表示されたフレーム画像の撮影日時を表す文字列１０２と、フレーム画像を含む動画像に割り当てられたシリアル番号を表す文字列１０４とが、上下２段にＯＳＤ表示される。また、フルサイズで表示されているフレーム画像がお気に入り画像として登録されている場合には、文字列１０４の右側に“＊”印１０６がＯＳＤ表示される。
【０１６５】
なお、図２７（ｂ）は、“００３１”番というシリアル番号が割り当てられた動画像の“１０”フレーム目のフレーム画像が表示されている状態を示す。このフレーム画像は、文字列１０２の内容から“西暦２００２年７月２１日１５時３１分”に撮影（厳密にはメモリカード６２に記録）された画像であることが判る。また、“＊”印１０６が表示されていることから、当該フレーム画像はお気に入り画像として登録されていることが判る。
【０１６６】
また、図２７（ａ）に示す状態で、十字キー２２の上ボタンとジャンプキー２４とが同時に押下されると、図２７（ｃ）に示すように、全てのサムネイル１１８，１１８，・・・が、言わば前方に更新される。一方、図２７（ａ）に示す状態で、十字キー２２の下ボタンとジャンプキー２４とが同時に押下された場合は、図２７（ｄ）に示すように、全てのサムネイル１１８，１１８，・・・が、言わば後方に更新される。さらに、図には示さないが、ポインタ１２６の位置および十字キー２２の操作によってはマルチ表示されているサムネイル１１８，１１８，・・・が上下方向にスクロールし、当該サムネイル１１８，１１８，・・・が３つずつ更新される。
【０１６７】
そして、上述の図２７（ｂ）に示す画面を表示させるのと同様の手順によって、図２８（ａ）に示すように任意の動画像を構成する任意のフレーム画像が再生されているときに十字キー２２の右ボタンが押下されると、図２８（ｂ）に示すように同一の動画像を構成する次のフレーム画像がフルサイズで表示される。なお、当該次のフレーム画像が存在しない場合には、同一動画像の先頭フレームの画像が再生される。
【０１６８】
一方、図２８（ａ）の状態で十字キー２２の左ボタンが押下されると、図２８（ｃ）に示すように同一の動画像を構成する一つ前のフレーム画像が再生される。なお、当該一つ前のフレーム画像が存在しない場合には、同一動画像の最後尾フレームが再生される。
【０１６９】
そして、これら図２８（ａ），図２８（ｂ）または図２８（ｃ）に示す状態でセットキー２０が押下されると、図２８（ｄ）に示すように、現在表示されているフレーム画像から動画像の再生が開始される。ここで、再生対象となる動画像に上述した文字入力機能による文字が入力されている場合には、図２８（ｄ）に点線の矩形図形１００で示すように、液晶モニタ３０の画面の下側部分に当該文字が横書きで表示される。この文字１００は、動画像が再生されている間、継続して表示される。
【０１７０】
この動画像の再生中に再びセットキー２０が押下されると、図２８（ｅ）に示すように当該動画像の再生が停止される。これによって、図２８（ｄ）における文字１００の表示に代えて、文字列１０２および文字列１０４が再度画面の下側に表示される。なお、図２８（ｅ）に示す状態は、文字列１０４の内容から、“００３１”番というシリアル番号が割り当てられた動画像の“３８”フレーム目の画像が表示されている最中に動画像の再生が停止された状態であることが判る。また、このフレーム画像は、文字列１０２の内容から“西暦２００２年７月２１日１５時３１分”に撮影（厳密にはメモリカード６２に記録）された画像であることが判る。さらに、文字列１０４の右側に“＊”印１０６が表示されていないことから、当該フレーム画像はお気に入り画像ではないことが判る。
【０１７１】
そして、この図２８（ｅ）に示す状態でセットキー２０が押下されると、図２８（ｆ）に示すように、現在表示されているフレーム画像から動画像の再生が再開される。そして、現在再生されている動画像の最後尾フレーム画像が表示されると、図２８（ｇ）に示すように、当該最後尾フレーム画像が表示された状態で、動画像の再生が自動的に停止される。このように最後尾のフレーム画像が表示されて動画像の再生が自動的に停止された場合も、画面の下側に文字列１０２および１０４が表示され、当該最後尾フレーム画像がお気に入り画像である場合には、“＊”印１０６が表示される。なお、図２８（ｇ）においては、“＊”印１０６が表示されていないので、この図２８（ｇ）に示す最後尾フレーム画像はお気に入り画像でないことが判る。
【０１７２】
この図２８（ｇ）に示す状態でモードキー１８が押下されると、液晶モニタ３０には、図２８（ｈ）に示すように、上述した図１３（ｄ）または図２５（ｄ）に示したのと同様の再生設定画面がＯＳＤ表示される。このことは、動画像再生が行われていない図２８（ａ），図２８（ｂ），図２８（ｃ）および図２８（ｅ）に示す状態でモードキー１８が押下された場合も同様である。
【０１７３】
このように図２８の各図に示される画像表示を実現するために、上述の図２７（ａ）に示す状態においてポインタ１２６によって任意のサムネイル１１８が選択された状態でセットキー２０が押下されると、ＣＰＵ３２は、この押下に応答して、当該選択されたサムネイル１１８のデータ（ＪＰＥＧ圧縮サムネイルファイル）を含むムービファイルの読み出しをメモリ制御回路４６に命令する。
【０１７４】
メモリ制御回路４６は、ＣＰＵ３２からの読み出し命令に応答して、メモリインタフェース回路６０を介してメモリカード６２から指定のムービファイルを読み出し、読み出したムービファイルを、一旦、ＳＤＲＡＭ４８内の圧縮画像ファイル記憶領域４８ｃに記憶する。そして、メモリ制御回路４６は、圧縮画像ファイル記憶領域４８ｃに記憶したムービファイルを読み出し、読み出したムービファイルを圧縮伸長回路５８に入力する。
【０１７５】
圧縮伸長回路５８には、ＣＰＵ３２から伸長命令が与えられており、圧縮伸長回路５８は、この伸長命令に応答して、入力されたムービファイルのうち上述の選択されたサムネイル１１８に対応する画像データを伸長し、元の画像データを再現する。再現された画像データは、メモリ制御回路４６によって、一旦、ＳＤＲＡＭ４８の画像データ記憶領域４８ａに記憶された後、バッファメモリ５０を介して混合回路５２に入力される。
【０１７６】
ＣＰＵ３２はまた、メモリカード６２から読み出されたムービファイルのムービアトムを参照することで、伸長された画像データの記録日時およびフレーム番号を認識する。そして、この認識に基づいて図２７（ｂ）における文字列１０２および１０４をＯＳＤ表示するためのＯＳＤデータを生成する。さらに、ＣＰＵ３２は、メモリカード６２から読み出されたムービファイルのユーザ定義データアトムを参照することで、伸長された画像データがお気に入り画像のデータであるか否かを判断する。伸長された画像がお気に入り画像のデータである場合には、“＊”印１０６をＯＳＤ表示するためのＯＳＤデータをも生成する。そして、ＣＰＵ３２は、生成したＯＳＤデータをＯＳＤメモリ５４に入力する。
【０１７７】
ＯＳＤメモリ５４に入力されたＯＳＤデータは、混合回路５２に入力され、ここでバッファメモリ５０から当該混合回路５２に入力された画像データと混合された後、ビデオエンコーダ５６に入力される。ビデオエンコーダ５６は、入力されたデータを複合画像信号に変換し、変換後の複合画像信号を液晶モニタ３０に入力する。これによって、液晶モニタ３０に、図２７（ｂ）に示すような画面が表示される。つまり、図２７（ａ）に示す画面上で選択されたサムネイル１１８に対応するフレーム画像が表示されるとともに、このフレーム画像の下側に文字列１０２および１０４がＯＳＤ表示され、さらに当該フレーム画像がお気に入り画像である場合には文字列１０４の右側に“＊”印１０６がＯＳＤ表示される。
【０１７８】
このように液晶モニタ３０に任意の動画像を構成する任意のフレーム画像が表示されている状態、たとえば図２８（ａ）の状態で、十字キー２２の右ボタンが押下されると、ＣＰＵ３２は、現在表示されているフレーム画像の次のフレーム画像を特定する。なお、次のフレーム画像が存在しない場合には、同じ動画像中の先頭フレームの画像を特定する。そして、特定されたフレーム画像の画像データを伸長するように、圧縮伸長回路５８に対して伸長命令を与える。なお、圧縮伸長回路５８には、メモリ制御回路４６によってＳＤＲＡＭ４８の圧縮画像ファイル記憶領域４８ｃから読み出されたムービファイルが、入力される。
【０１７９】
圧縮伸長回路５８には、ＣＰＵ３２から与えられる伸長命令に従って、入力されたムービファイルのうち上述の特定されたフレーム画像に対応する画像データを伸長し、元の画像データを再現する。これ以降は、上述の図２７（ｂ）に示す画像が表示されるときと同様の手順が繰り返され、これによって図２８（ｂ）に示すように当該特定されたフレーム画像（次のフレーム画像または先頭フレームの画像）が液晶モニタ３０に表示されるとともに、当該フレーム画像に対応する内容の文字列１０２および１０４がＯＳＤ表示される。
【０１８０】
一方、図２８（ａ）に示すように液晶モニタ３０に任意の動画像を構成する任意のフレーム画像が表示されている状態で、十字キー２２の左ボタンが押下されると、ＣＰＵ３２は、現在表示されているフレーム画像の１つ前のフレーム画像を特定する。なお、１つ前のフレーム画像が存在しない場合には、同じ動画像中の最後尾フレームの画像を特定する。これ以降は、上述の十字キー２２の右ボタンが押下された場合と同様の手順が繰り返され、これによって図２８（ｃ）に示すように当該特定されたフレーム画像（１つ前のフレーム画像または最後尾フレーム画像）が液晶モニタ３０に表示されるとともに、当該フレーム画像に対応する内容の文字列１０２および１０４がＯＳＤ表示される。
【０１８１】
さらに、図２８（ａ），図２８（ｂ）または図２８（ｃ）に示すように任意の動画像を構成する任意のフレーム画像が液晶モニタ３０に表示されている状態で、セットキー２０が押下されると、ＣＰＵ３２は、このセットキー２０の押下に応答して、動画像再生動作に入る。すなわち、ＣＰＵ３２は、現在表示されているフレーム画像の次のフレーム画像から順次伸長するように、圧縮伸長回路５８に対して連続伸長命令を与える。なお、圧縮伸長回路５８には、メモリ制御回路４６によってＳＤＲＡＭ４８の圧縮画像ファイル記憶領域４８ｃから読み出されたムービファイルが、入力される。
【０１８２】
圧縮伸長回路５８は、ＣＰＵ３２から与えられる連続伸長命令に応答して、入力されたムービファイルのうち現在表示されているフレーム画像の次のフレーム画像から順次１フレームずつ伸長し、元の画像データを順次再現する。再現された画像データは、メモリ制御回路４６によって、一旦、ＳＤＲＡＭ４８の画像データ記憶領域４８ａに記憶された後、バッファメモリ５０を介して順次混合回路５２に入力される。
【０１８３】
ＣＰＵ３２はまた、上述した管理リストファイル７０を参照することで、再生対象となるムービファイルに文字入力機能による文字が入力されているか否かを判断する。ここで、文字が入力されている場合、ＣＰＵ３２は、入力文字ファイル６８を参照して当該入力されている文字を認識し、その認識結果に基づいて当該文字をＯＳＤ表示するためのＯＳＤデータを生成する。生成されたＯＳＤデータは、ＯＳＤメモリ５４に入力される。
【０１８４】
ＯＳＤメモリ５４に入力されたＯＳＤデータは、混合回路５２に入力され、ここでバッファメモリ５０から当該混合回路５２に順次入力される画像データと混合された後、ビデオエンコーダ５６に入力される。ビデオエンコーダ５６は、入力されたデータを複合画像信号に変換し、変換後の複合画像信号を液晶モニタ３０に入力する。これによって、図２８（ｄ）に示すように動画像の再生が開始されるとともに、当該動画像に文字入力機能による文字が入力されている場合には、その文字１００がＯＳＤ表示される。
【０１８５】
そして、この動画像の再生中にセットキー２０が押下されると、ＣＰＵ３２は、このセットキー２０の押下に応答して、メモリ制御回路４６に対して再生停止命令を与える。これによって、バッファメモリ５０に蓄積されている画像データの更新が停止される、当該動画像の再生が停止される。ＣＰＵ３２はまた、現在表示されているフレーム画像に対応する文字列１０２および１０４を表示するためのＯＳＤデータを生成し、生成したＯＳＤデータをＯＳＤメモリ５４に入力する。これによって、液晶モニタ３０には、図２８（ｅ）に示すようにセットキー２０の押下タイミングに応じた途中のフレーム画像と、このフレーム画像に対応する内容の文字列１０２および１０４とが表示される。
【０１８６】
このように動画像の再生が停止されている状態で、再びセットキー２０が押下されると、ＣＰＵ３２は、このセットキー２０の押下に応答して、メモリ制御回路４６に対して再生開始命令を与える。これによって、バッファメモリ５０に蓄積される画像データの更新が再開され、動画像の再生が再開される。
【０１８７】
そして、動画像の最後尾フレームが表示されると、ＣＰＵ３２は、メモリ制御回路４６に対して読み出し停止命令を与えるとともに、圧縮伸長回路５８に対して圧縮停止命令を与える。これによって、一連の動画像再生動作が終了し、液晶モニタ３０の表示画面が図２８（ｇ）に示すような状態となる。
【０１８８】
そして、この図２８（ｇ）に示す状態、または図２８（ａ），図２８（ｂ），図２８（ｃ）および図２８（ｅ）のいずれかに示す状態でモードキー１８が押下されると、ＣＰＵ３２は、図２８（ｈ）に示すような再生設定画面をＯＳＤ表示するためのＯＳＤデータを生成し、生成されたＯＳＤデータをＯＳＤメモリ５４に入力する。これによって、液晶モニタ３０に図２８（ｈ）に示す再生設定画面がＯＳＤ表示される。
【０１８９】
この図２８（ｈ）に示す再生設定画面が表示されている状態において、モードキー１８が押下されると、液晶モニタ３０の画面表示は、当該再生設定画面が表示される前の状態に戻る。
【０１９０】
一方、この再生設定画面において、カーソル１１６によって一番上にあるマルチ表示アイコン１０８が選択された状態でセットキー２０が押下されると、液晶モニタ３０の画面表示は、上述の図２７（ａ）に示すマルチ画面表示に遷移する。
【０１９１】
また、カーソル１１６によって上から２番目にあるジャンプ再生設定アイコン１１０が選択された状態でセットキー２０が押下されると、液晶モニタ３０の画面表示は、上述の図１５（ａ）に示すジャンプ再生設定画面または図１７（ａ）に示すジャンプ再生解除画面に遷移する。これらジャンプ再生設定画面またはジャンプ再生解除画面において、上述の手順と同様にジャンプ再生モードを設定しまたは当該設定を解除することができる。
【０１９２】
なお、当該ジャンプ再生モードが設定された場合、液晶モニタ３０の画面表示は次のように遷移する。たとえば、図２９（ａ）に示すように任意の動画像を構成する任意のお気に入りフレーム画像が表示されている状態で十字キー２２の右ボタンが押下されると、液晶モニタ３０には、図２９（ｂ）に示すように同じ動画像内の次のお気に入りフレーム画像が表示される。なお、当該次のお気に入りフレーム画像が存在しない場合には、同じ動画像内の先頭フレーム画像が表示される。
【０１９３】
一方、図２９（ａ）の状態で十字キー２２の左ボタンが押下されると、液晶モニタ３０には、図２９（ｃ）に示すように同じ動画像内の１つ前のお気に入りフレーム画像が表示される。なお、当該１つ前のお気に入りフレーム画像が存在しない場合には、同じ動画像内の最後尾フレーム画像が表示される。
【０１９４】
そして、これら図２９（ａ），図２９（ｂ）または図２９（ｃ）に示す状態でセットキー２０が押下されると、上述した図２８（ｄ）に示すように、現在表示されているフレーム画像から動画像の再生が開始される。この場合、お気に入り画像として登録されているフレーム画像のみならず、当該現在表示されているフレーム画像以降の全てのフレーム画像が再生（表示）対象となる。この動画像の再生は、上述のジャンプ再生モードが設定されていない場合と同様に、セットキー２０の押下によって一時停止または再開され、最後のフレーム画像が表示された時点で自動的に停止される。
【０１９５】
さらに、図２９（ａ）の状態でモードキー１８が押下されると、液晶モニタ３０の画面表示が、図２９（ｄ）に示すように再生設定画面に遷移する。この再生設定画面が表示されている状態でモードキー１８が押下されると、液晶モニタ３０の画面表示は、図２９（ａ）の状態に戻る。一方、この再生設定画面においてカーソル１１６によってマルチ表示アイコン１０８が選択された状態でセットキー２０が押下されると、液晶モニタ３０の画面表示は、図２９（ｅ）に示すような状態に遷移する。
【０１９６】
すなわち、図２９（ｅ）に示すように、お気に入り画像として登録されたフレーム画像のサムネイル１１８，１１８，・・・のみがマルチ表示される。したがって、これら全てのサムネイル１１８，１１８，・・・に対して、それぞれに対応する動画像のシリアル番号を表す文字列１２０，１２０，・・・が表示されることは勿論のこと、それぞれに対応するフレーム画像の撮影日を表す文字列１２４，１２４，・・・も表示される。そして、全てのサムネイル１１８，１１８，・・・の周囲にマーク１２２が付される。なお、この図２６（ｅ）に示すマルチ画面においても、上述の図２４（ａ）に示すマルチ画面と同様に、ポインタ１２６の位置および十字キー２２の操作によっては画面がスクロールし、またジャンプキー２４および十字キー２２の同時操作によってサムネイル１１８，１１８，・・・が更新される。
【０１９７】
また、図２８（ｈ）の再生設定画面において（図２９（ｅ）においても同様）、カーソル１１６によって上から３番目のリスト表示アイコン１１２が選択された状態でセットキー２０が押下されると、液晶モニタ３０に、上述した図１８（ａ）に示すファイルリストが表示される。そして、このファイルリストが表示された状態でモードキー１８またはセットキー２０が押下されると、液晶モニタ３０の画面表示は図２８（ｈ）の再生設定画面に戻る。
【０１９８】
そして、図２８（ｈ）の再生設定画面において、カーソル１１６によって一番下の消去アイコン１１４が選択された状態でセットキー２０が押下されると、液晶モニタ３０の画面表示は、上述の図１９（ａ）に示す消去方法選択画面に遷移する。これによって、メモリカード６２に記憶されている任意のファイルを上述と同様の手順で消去することができる。
【０１９９】
さて、上述の静止画像再生モードにおいては、ＣＰＵ３２は、ＲＯＭ７２に記憶されている制御プログラムに従って、図３０〜図４５のフロー図で示される各処理を実行する。
【０２００】
すなわち、静止画像再生モードが選択されると、ＣＰＵ３２は、図３０のステップＳ１に進み、メモリカード６２内に静止画像撮影モードで記録された画像ファイルが存在するか否かを判断する。この判断は、管理リストファイル７０を参照して行われる。
【０２０１】
ここで、メモリカード６２内に静止画像撮影モードで記録された画像ファイルが存在しない場合、ＣＰＵ３２は、ステップＳ１からステップＳ３に進み、液晶モニタ３０に、上述した図１９（ｆ）に示すメッセージ画面をＯＳＤ表示させる。そして、ＣＰＵ３２は、ステップＳ５に進み、モード選択ダイヤル１４またはメインスイッチ１６が操作されるのを待つ。
【０２０２】
ステップＳ５においてモード選択ダイヤル１４またはメインスイッチ１６が操作されると、ＣＰＵ３２は、ステップＳ７に進む。そして、ＣＰＵ３２は、このステップＳ７において、現在、液晶モニタ３０に表示されている画面の内容を全てクリアして、静止画像再生モードを抜ける。
【０２０３】
一方、ステップＳ１において、静止画像撮影モードで記録された画像ファイルがメモリカード６２内にあると判断した場合、ＣＰＵ３２は、ステップＳ９に進む。ＣＰＵ３２は、このステップＳ９において、初期設定を行い、具体的には後述するフラグＦａに“０”を設定するとともに、フラグＦｂ，ＦｃおよびＦｇの各々に“１”を設定する。
【０２０４】
このステップＳ９の処理後、ＣＰＵ３２は、ステップＳ１１に進み、静止画像撮影モードによって最後に記録された静止画像、換言すれば撮影日時が最も新しい静止画像を再生する。そして、ＣＰＵ３２は、ステップＳ１３に進み、現在再生されている静止画像を特定するための情報、ここではファイル名を、自身に内蔵されたレジスタＲａに記憶する。
【０２０５】
そして、ＣＰＵ３２は、ステップＳ１５に進み、上述の管理リストファイル７０の参照結果からレジスタＲａに記録された（厳密にはファイル名が記録された）静止画像に文字入力機能による文字が入力されているか否かを判断する。ここで、文字が入力されていると判断すると、ＣＰＵ３２は、ステップＳ１７に進み、当該文字入力の有無の指標となるフラグＦｄに“１”を設定した後、ステップＳ１９に進む。そして、このステップＳ１９において入力文字ファイル６８を参照して当該文字の内容を認識した後、ステップＳ２１に進み、当該認識した文字をＯＳＤ表示する。これによって、液晶モニタ３０に図１２（または図１３(ａ)）に示すような画面が表示される。このステップＳ２１の処理後、ＣＰＵ３２は、ステップＳ２３に進む。
【０２０６】
一方、ステップＳ１５において文字が入力されていないと判断した場合、ＣＰＵ３２は、ステップＳ２５に進む。そして、ＣＰＵ３２は、このステップＳ２５において、上述のフラグＦｄに“０”を設定した後、ステップＳ２３に進む。この場合、図１２における文字１００は表示されない。
【０２０７】
ステップＳ２３において、ＣＰＵ３２は、何らかの操作が成されるのを待つ。そして、何らかの操作が成されると、ステップＳ２７に進み、当該操作の内容を判別する。ここで、モード選択ダイヤル１４またはメインスイッチ１６が操作された場合、ＣＰＵ３２は、ステップＳ７を経て、この静止画像再生モードを抜ける。
【０２０８】
一方、ステップＳ２７において、十字キー２２の右ボタンが押下された場合、ＣＰＵ３２は、図３１のステップＳ２９に進む。このステップＳ２９において、ＣＰＵ３２は、上述のフラグＦｄに“１”が設定されているか否か、つまり液晶モニタ３０に文字１００がＯＳＤ表示されているか否かを判断する。ここで、フラグＦｄに“１”が設定されている場合、つまり液晶モニタ３０に文字１００が表示されている場合、ＣＰＵ３２は、ステップＳ３１に進み、当該文字１００のＯＳＤ表示を解除して、ステップＳ３３に進む。一方、フラグＦｄに“１”が設定されていない場合、つまり文字１００がＯＳＤ表示されていない場合は、ＣＰＵ３２は、ステップＳ３１をスキップして直接ステップＳ３３に進む。
【０２０９】
ステップＳ３３において、ＣＰＵ３２は、上述したフラグＦａに“１”が設定されているか否かを判断する。このフラグＦａは、上述したジャンプ再生モードが設定されているか否かを表す指標で、当該フラグＦａが“１”の場合、ジャンプ再生モードが設定されていることを表し、当該フラグＦａが“０”の場合、ジャンプ再生モードが設定されていないことを表す。
【０２１０】
このステップＳ３３において、フラグＦａに“１”が設定されていない場合、つまりジャンプ再生モードが設定されていない場合、ＣＰＵ３２は、ステップＳ３５に進み、メモリカード６２内に次の静止画像が存在するか否かを判断する。この判断は、管理リストファイル７０を参照することで行われる。ここで、次の静止画像が存在する場合、ＣＰＵ３２は、ステップＳ３７に進み、当該次の静止画像を再生した後、図３０のステップＳ１３に戻る。一方、次の静止画像が存在しない場合、ＣＰＵ３２は、ステップＳ３５からステップＳ３９に進む。そして、このステップＳ３９において、撮影日時が最も古い静止画像を再生した後、図３０のステップＳ１３に戻る。
【０２１１】
また、ステップＳ３３においてフラグＦａに“１”が設定されている場合、つまりジャンプ再生モードが設定されている場合、ＣＰＵ３２は、ステップＳ４１に進み、お気に入りファイル６６を参照する。そして、ＣＰＵ３２は、ステップＳ４３に進み、当該お気に入りファイル６６の参照結果から次のお気に入り静止画像が存在するか否かを判断する。このように、お気に入り静止画像の有無については、お気に入りファイル６６を参照することで、たとえば全てのファイルに関する情報が格納された管理ファイルリストを参照する場合に比べて、当該お気に入り静止画像の有無を早期に判断できる。ここで、次のお気に入り静止画像が存在する場合、ＣＰＵ３２は、ステップＳ４５に進み、当該次のお気に入り静止画像を再生した後、図３０のステップＳ１３に戻る。一方、次のお気に入り静止画像が存在しない場合、ＣＰＵ３２は、ステップＳ４３からステップＳ４７に進む。そして、このステップＳ４７において、撮影日時が最も古いお気に入り静止画像を再生した後、図３０のステップＳ１３に戻る。
【０２１２】
図３０のステップＳ２７において、十字キー２２の左ボタンが押下された場合、ＣＰＵ３２は、図３２のステップＳ４９に進む。このステップＳ４９において、ＣＰＵ３２は、フラグＦｄに“１”が設定されているか否かを判断する。ここで、フラグＦｄに“１”が設定されている場合、つまり液晶モニタ３０に文字１００が表示されている場合、ＣＰＵ３２は、ステップＳ５１に進み、当該文字１００のＯＳＤ表示を解除した後、ステップＳ５３に進む。一方、フラグＦｄに“１”が設定されていない場合は、ＣＰＵ３２は、ステップＳ５１をスキップして直接ステップＳ５３に進む。
【０２１３】
ステップＳ５３において、ＣＰＵ３２は、上述したフラグＦａに“１”が設定されているか否かを判断する。ここで、フラグＦａに“１”が設定されていない場合、ＣＰＵ３２は、ステップＳ５５に進み、メモリカード６２内に１つ前の静止画像が存在するか否かを判断する。この判断は、管理リストファイル７０を参照することで行われる。ここで、１つ前の静止画像が存在する場合、ＣＰＵ３２は、ステップＳ５７に進み、当該１つ前の静止画像を再生した後、図３０のステップＳ１３に戻る。一方、１つ前の静止画像が存在しない場合、ＣＰＵ３２は、ステップＳ５５からステップＳ５９に進む。そして、このステップＳ５９において、撮影日時が最も新しい静止画像を再生した後、図３０のステップＳ１３に戻る。
【０２１４】
また、ステップＳ５３においてフラグＦａに“１”が設定されている場合、ＣＰＵ３２は、ステップＳ６１に進み、お気に入りファイル６６を参照する。そして、ＣＰＵ３２は、ステップＳ６３に進み、当該お気に入りファイル６６の参照結果から１つ前のお気に入り静止画像が存在するか否かを判断する。ここで、１つ前のお気に入り静止画像が存在する場合、ＣＰＵ３２は、ステップＳ６５に進み、当該１つ前のお気に入り静止画像を再生した後、図３０のステップＳ１３に戻る。一方、１つ前のお気に入り静止画像が存在しない場合、ＣＰＵ３２は、ステップＳ６３からステップＳ６７に進む。そして、このステップＳ６７において、撮影日時が最も新しいお気に入り静止画像を再生した後、図３０のステップＳ１３に戻る。
【０２１５】
さらに、図３０のステップＳ２７において、ジャンプキー２４が押下された場合、ＣＰＵ３２は、ステップＳ６９のお気に入り登録処理に進む。そして、ＣＰＵ３２は、このステップＳ６９において、お気に入り静止画像の登録または当該登録の解除を行う。このステップＳ６９における処理の内容については、後で詳しく説明する。
【０２１６】
ＣＰＵ３２は、ステップＳ６９の処理後、ステップＳ７１に進み、上述したフラグＦｂに“１”が設定されているか否かを判断する。このフラグＦｂは、各処理の途中でモード選択ダイヤル１４またはメインスイッチ１６が操作されたか否かを表す指標であり、当該フラグＦｂに“１”が設定されている場合は、モード選択ダイヤル１４およびメインスイッチ１６のいずれも操作されていないことを表す。一方、このフラグＦｂに“０”が設定されている場合には、モード選択ダイヤル１４またはメインスイッチ１６が操作されたことが表される。
【０２１７】
フラグＦｂに“１”が設定されている場合、つまりステップＳ６９の処理中にモード選択ダイヤル１４およびメインスイッチ１６のいずれも操作されていない場合、ＣＰＵ３２は、ステップＳ７１でＹＥＳと判断し、ステップＳ１３に戻る。一方、フラグＦｂに“１”が設定されていない場合、つまりステップＳ６９の処理中にモード選択ダイヤル１４またはメインスイッチ１６が操作された場合、ＣＰＵ３２は、ステップＳ７を経てこの静止画像再生モードを抜ける。
【０２１８】
また、モードキー１８が押下された場合、ＣＰＵ３２は、ステップＳ２７から図３３のステップＳ７３に進む。このステップＳ７３において、ＣＰＵ３２は、フラグＦｄに“１”が設定されているか否かを判断する。ここで、フラグＦｄに“１”が設定されている場合、つまり液晶モニタ３０に文字１００が表示されている場合、ＣＰＵ３２は、ステップＳ７５に進み、当該文字１００のＯＳＤ表示を解除して、ステップＳ７７に進む。一方、フラグＦｄに“１”が設定されていない場合は、ＣＰＵ３２は、ステップＳ７５をスキップして直接ステップＳ７７に進む。
【０２１９】
ステップＳ７７において、ＣＰＵ３２は、液晶モニタ３０に上述の図１３（ｄ）（図１５（ｂ）なども同様）に示す再生設定画面をＯＳＤ表示させる（厳密にはこのＯＳＤ表示を実現するためのＯＳＤデータを生成する）。そして、このステップＳ７７の処理後、ＣＰＵ３２は、ステップＳ７９に進み、何らかの操作が成されるのを待つ。何らかの操作が成されると、ＣＰＵ３２は、ステップＳ８１に進み、当該操作の内容を判別する。
【０２２０】
ここで、モード選択ダイヤル１４またはメインスイッチ１６が操作された場合、ＣＰＵ３２は、図３０のステップＳ７を経て、この静止画像再生モードを抜ける。
【０２２１】
一方、モードキー１８が押下された場合、ＣＰＵ３２は、ステップＳ８１からステップＳ８３に進む。そして、このステップＳ８３において、再生設定画面のＯＳＤ表示を解除した後、図３０のステップＳ１３に戻る。
【０２２２】
さらに、ステップＳ８１において十字キー２２の上ボタンまたは下ボタンが押下されたと判断すると、ＣＰＵ３２は、ステップＳ８５に進む。そして、このステップＳ８５において、当該上ボタンまたは下ボタンの押下に応答して再生設定画面上のカーソル１１６を上下方向に移動させた後、ステップＳ７９に戻る。
【０２２３】
そして、ステップＳ８１においてセットキー２０が押下されたと判断すると、ＣＰＵ３２は、図３４のステップＳ８６に進む。そして、このステップＳ８６において再生設定画面のＯＳＤ表示を解除した後、ステップＳ８７に進み、セットキー２０が押下されたときに当該再生設定画面上でカーソル１１６によって選択されていたアイコン１０８，１１０，１１２または１１４を判別する。
【０２２４】
ここで、マルチ表示アイコン１０８が選択された場合、ＣＰＵ３２は、ステップＳ８９のマルチ表示処理に進む。このようにＣＰＵ３２がステップＳ８９を処理したとき、液晶モニタ３０に上述の図１４（ａ）に示すマルチ画面が表示される。このステップＳ８９における処理の内容については、後で詳しく説明する。
【０２２５】
ＣＰＵ３２は、ステップＳ８９の処理後、ステップＳ９１に進み、上述したフラグＦｂに“１”が設定されているか否かを判断する。ここで、このフラグＦｂに“１”が設定されている場合、つまりステップＳ８９の処理中にモード選択ダイヤル１４およびメインスイッチ１６のいずれも操作されていない場合、ＣＰＵ３２は、図３０のステップＳ１３に戻る。一方、フラグＦｂに“０”が設定されている場合、つまりステップＳ８９の処理中にモード選択ダイヤル１４またはメインスイッチ１６が操作された場合、ＣＰＵ３２は、図３０のステップＳ７を経てこの静止画像再生モードを抜ける。
【０２２６】
ステップＳ８７において、ジャンプ再生設定アイコン１１０が選択された場合、ＣＰＵ３２は、ステップＳ９３のジャンプ再生設定処理に進む。そして、ＣＰＵ３２は、このステップＳ９３において、ジャンプ再生モードの設定または当該設定の解除を行う。このステップＳ９３における処理の内容については、後で詳しく説明する。
【０２２７】
ＣＰＵ３２は、ステップＳ９３の処理後、ステップＳ９５に進み、上述したフラグＦｂに“１”が設定されているか否かを判断する。ここで、フラグＦｂに“０”が設定されている場合、つまりステップＳ９３の処理中にモード選択ダイヤル１４またはメインスイッチ１６が操作された場合、ＣＰＵ３２は、図３０のステップＳ７を経てこの静止画像再生モードを抜ける。一方、フラグＦｂに“１”が設定されている場合、つまりステップＳ９３の処理中にモード選択ダイヤル１４およびメインスイッチ１６のいずれも操作されていない場合、ＣＰＵ３２は、ステップＳ９５からステップＳ９６に進む。
【０２２８】
ステップＳ９６において、ＣＰＵ３２は、上述したフラグＦｇに“１”が設定されているか否かを判断する。このフラグＦｇは、図１８（ａ）のファイルリスト画面が表示されたときにモードキー１８およびセットキー２０のいずれが押下されたのかを表す指標であり、当該フラグＦｇに“１”が設定されている場合は、モードキー１８が押下されたことを表す。一方、フラグＦｇに“０”が設定されている場合には、セットキー２０が押下されたことが表される。ここで、このフラグＦｇに“１”が設定されている場合、つまり図１８（ａ）のファイルリスト画面が表示されている状態でモードキー１８が押下された場合、ＣＰＵ３２は、図１８（ｃ）に示す再生設定画面を液晶モニタ３０に表示させるべく、図３３のステップＳ７７に戻る。これに対して、フラグＦｇに“０”が設定されている場合、つまり図１８（ａ）のファイルリスト画面が表示されている状態でセットキー２０が押下された場合は、ＣＰＵ３２は、図１８（ｂ）に示すマルチ画面を表示させるべく、ステップＳ８９のマルチ表示処理を実行する。
【０２２９】
上述のステップＳ８７において、リスト表示アイコン１１２が選択された場合、ＣＰＵ３２は、ステップＳ９７のリスト表示処理に進む。このようにＣＰＵ３２がステップＳ９７を処理したとき、液晶モニタ３０に上述の図１８（ａ）に示すファイルリスト画面が表示される。このステップＳ９７における処理の内容についても、後で詳しく説明する。このステップＳ９７の処理後、ＣＰＵ３２は、上述のステップＳ９５に進む。
【０２３０】
また、ステップＳ８７において、消去アイコン１１４が選択された場合、ＣＰＵ３２は、ステップＳ９９の消去処理に進む。そして、ＣＰＵ３２は、このステップＳ９９において、メモリカード６２から任意の画像ファイル（または音声ファイル）を消去する。このステップＳ９９における処理の内容については、後で詳しく説明する。
【０２３１】
ＣＰＵ３２は、ステップＳ９９の処理後、ステップＳ１０１に進み、上述したフラグＦｃに“０”が設定されているか否かを判断する。このフラグＦｃは、現在選択されている再生モードで再生可能な画像ファイルがメモリカード６２内に存在するか否かを表す指標であり、当該フラグＦｃに“１”が設定されている場合は、現在選択されている再生モードで再生可能な画像ファイルが存在することを表す。一方、このフラグＦｃに“０”が設定されている場合には、現在選択されている再生モードで再生可能な画像ファイルがメモリカード６２内に無いことを表す。
【０２３２】
ステップＳ１０１において、フラグＦｃに“１”が設定されている場合、つまりステップＳ９９の処理後も現在選択されている再生モードで再生可能な画像ファイルが残っている場合、ＣＰＵ３２は、上述のステップＳ９５に進む。一方、フラグＦｃに“０”が設定されている場合、つまりステップＳ９９の処理によって現在選択されている再生モードで再生可能な画像ファイルが全て消去された場合、ＣＰＵ３２は、図３０のステップＳ３に進む。これによって、液晶モニタ３０に上述の図１９（ｆ）に示すメッセージ画面が表示される。
【０２３３】
さて、図３０におけるステップＳ６９のお気に入り登録処理においては、ＣＰＵ３２は、次のような動作をする。
【０２３４】
すなわち、図３５を参照して、ＣＰＵ３２は、まず、ステップＳ１１１において、上述したレジスタＲａに記録されている静止画像はお気に入り画像であるか否かを判断する。ここで、お気に入り画像である場合、ＣＰＵ３２は、ステップＳ１１３に進み、液晶モニタ３０に上述の図２２（ｂ）（または図２３（ｂ））に示すお気に入り登録解除画面をＯＳＤ表示させる。そして、ＣＰＵ３２は、ステップＳ１１５に進み、何らかの操作が成されるのを待ち、何らかの操作が成されると、ステップＳ１１７に進み、当該操作の内容を判別する。
【０２３５】
ここで、モード選択ダイヤル１４またはメインスイッチ１６が操作された場合、ＣＰＵ３２は、ステップＳ１１９に進む。そして、このステップＳ１１９において、上述したフラグＦｂに“０”を設定し、このお気に入り登録処理を終了する。
【０２３６】
一方、ステップＳ１１７においてジャンプキー２４が押下されたと判断した場合、ＣＰＵ３２は、ステップＳ１２１に進む。そして、このステップＳ１２１において、お気に入り登録解除画面のＯＳＤ表示を解除し、このお気に入り登録処理を終了する。
【０２３７】
また、ステップＳ１１７において十字キー２２の上ボタンまたは下ボタンが押下されたと判断すると、ＣＰＵ３２は、ステップＳ１２３に進む。そして、このステップＳ１２３において、当該上ボタンまたは下ボタンの押下に応答してお気に入り登録解除画面上のカーソル２０８を上下方向に移動させた後、ステップＳ１１５に戻る。
【０２３８】
そして、ステップＳ１１７においてセットキー２０が押下されたと判断すると、ＣＰＵ３２は、ステップＳ１２５に進む。そして、このステップＳ１２５において、当該セットキー２０が押下されたとき上述のカーソル２０８によって“解除”（文字列２０４）が選択されたのか、それとも“戻る”（文字列２０６）が選択されたのかを判断する。ここで、“戻る”が選択されたとき、ＣＰＵ３２は、上述のステップＳ１２１に進み、お気に入り登録解除画面のＯＳＤ表示を解除し、このお気に入り登録処理を終了する。
【０２３９】
一方、ステップＳ１２５において“解除”が選択されたと判断すると、ＣＰＵ３２は、ステップＳ１２７に進む。そして、ＣＰＵ３２は、このステップＳ１２７において、レジスタＲａに記憶されている静止画像のお気に入り登録を解除した後、ステップＳ１２９において、お気に入りファイル６６の内容を更新し、さらにステップＳ１３１において、管理リストファイル７０の内容を更新する。
【０２４０】
そして、ＣＰＵ３２は、ステップＳ１３３において、お気に入り登録解除画面のＯＳＤ表示を解除した後、ステップＳ１３５において、上述の図２２（ｃ）（または図２３（ｃ））に示すメッセージ画面をＯＳＤ表示する。そして、ステップＳ１３７において、一定時間（数秒程度）が経過するのを待つ。これによって、図２２（ｃ）のメッセージ画面が当該一定時間にわたって表示される。この一定時間の経過後、ＣＰＵ３２は、ステップＳ１３９に進み、当該メッセージ画面のＯＳＤ表示を解除する。そして、ＣＰＵ３２は、ステップＳ１４１において、レジスタＲａの記憶内容に従って静止画像を再描画して、一連のお気に入り登録処理を終了する。また、上述のステップＳ１１１において、レジスタＲａに記憶されている静止画像がお気に入り画像でない場合、ＣＰＵ３２は、図３６のステップＳ１４３に進む。このステップＳ１４３において、ＣＰＵ３２は、液晶モニタ３０に上述の図２０（ｂ）（または図２１（ｂ））に示すお気に入り登録設定画面をＯＳＤ表示させ、その後、ステップＳ１４５に進み、何らかの操作が成されるのを待ち、何らかの操作が成されると、ステップＳ１４７に進み、当該操作の内容を判別する。
【０２４１】
ここで、モード選択ダイヤル１４またはメインスイッチ１６が操作された場合、ＣＰＵ３２は、ステップＳ１４９に進む。そして、このステップＳ１４９において、フラグＦｂに“０”を設定し、このお気に入り登録処理を終了する。
【０２４２】
一方、ステップＳ１４７においてジャンプキー２４が押下されたと判断した場合、ＣＰＵ３２は、ステップＳ１５１に進む。そして、このステップＳ１５１において、お気に入り登録設定画面のＯＳＤ表示を解除し、このお気に入り登録処理を終了する。
【０２４３】
また、ステップＳ１４７において十字キー２２の上ボタンまたは下ボタンが押下されたと判断すると、ＣＰＵ３２は、ステップＳ１５３に進む。そして、このステップＳ１５３において、当該上ボタンまたは下ボタンの押下に応答してお気に入り登録設定画面上のカーソル１９８を移動させた後、ステップＳ１４５に戻る。
【０２４４】
そして、ステップＳ１４７においてセットキー２０が押下されたと判断すると、ＣＰＵ３２は、ステップＳ１５５に進む。そして、このステップＳ１５５において、当該セットキー２０が押下されたとき上述のカーソル１９８によって“設定”（文字列１９４）が選択されたのか、“戻る”（文字列１９６）が選択されたのかを判断する。ここで、“戻る”が選択されたとき、ＣＰＵ３２は、上述のステップＳ１５１に進み、お気に入り登録設定画面のＯＳＤ表示を解除し、お気に入り登録処理を終了する。
【０２４５】
一方、ステップＳ１５５において“設定”が選択されたと判断すると、ＣＰＵ３２は、ステップＳ１５７に進む。そして、ＣＰＵ３２は、このステップＳ１５７において、レジスタＲａに記憶されている静止画像をお気に入り画像として登録した後、ステップＳ１５９において、お気に入りファイル６６の内容を更新し、さらにステップＳ１６１において、管理リストファイル７０の内容を更新する。
【０２４６】
そして、ＣＰＵ３２は、ステップＳ１６３において、お気に入り登録設定画面のＯＳＤ表示を解除した後、ステップＳ１６５において、上述の図２０（ｃ）（または図２１（ｃ））に示すメッセージ画面をＯＳＤ表示する。そして、ステップＳ１６７において、一定時間（数秒程度）が経過するのを待つ。これによって、図２０（ｃ）のメッセージ画面が当該一定時間にわたって表示される。この一定時間の経過後、ＣＰＵ３２は、ステップＳ１６９に進み、当該メッセージ画面のＯＳＤ表示を解除する。そして、ＣＰＵ３２は、ステップＳ１７１において、レジスタＲａの記憶内容に従って静止画像を再描画して、一連のお気に入り登録処理を終了する、上述の図３４におけるステップＳ８９のマルチ表示処理においては、ＣＰＵ３２は、次のような動作をする。
【０２４７】
すなわち、図３７を参照して、ＣＰＵ３２は、まず、ステップＳ１８０において、上述したフラグＦｇに“１”が設定されているか否かを判断する。ここで、フラグＦｇに“１”が設定されている場合、つまり図１８（ａ）のファイルリスト画面が表示されている状態でモードキー１８が押下された場合、ＣＰＵ３２は、ステップＳ１８１に進む。そして、このステップＳ１８１において、現在再生されている静止画像のファイル名をレジスタＲａに記憶するとともに、別のレジスタＲbにも当該ファイル名を記憶する。その後、ＣＰＵ３２は、ステップＳ１８２に進み、上述したフラグＦａに“１”が設定されているか否かを判断する。
【０２４８】
一方、上述のフラグＦｇに“０”が設定されている場合には、ＣＰＵ３２は、ステップＳ１８０からステップＳ１８３に進む。そして、このステップＳ１８３において当該フラグＦｇに“１”を設定し直した後、ステップＳ１８２に進む。
【０２４９】
ステップＳ１８２においてフラグＦａに“１”が設定されていない場合、つまりジャンプ再生モードが設定されていない場合、ＣＰＵ３２は、ステップＳ１８５に進み、レジスタＲｂに記憶されている静止画像以降に撮影された９画面分の静止画像のサムネイル１１８，１１８，・・・を、上述の図１４（ａ）に示すようにマルチ表示する。なお、これら９画面分の静止画像は、管理リストファイル７０を参照することで特定される。このステップＳ１８５の処理後、ＣＰＵ３２は、ステップＳ１８７に進む。
【０２５０】
一方、フラグＦａに“１”が設定されている場合、つまりジャンプ再生モードが設定されている場合、ＣＰＵ３２は、ステップＳ１８２からステップＳ１８９に進み、お気に入りファイル６６を参照する。そして、ステップＳ１９１に進み、当該お気に入りファイル６６の参照結果から、レジスタＲｂに記憶されているお気に入り静止画像以降に撮影された９画面分のお気に入り静止画像を特定し、特定されたお気に入り静止画像のサムネイルを、上述の図１６（ｅ）に示すようにマルチ表示する。このステップＳ１９１の処理後、ＣＰＵ３２は、ステップＳ１８７に進む。
【０２５１】
ステップＳ１８７において、ＣＰＵ３２は、何らかの操作が成されるのを待ち、何らかの操作が成されると、ステップＳ１９３に進み、当該操作の内容を判別する。
【０２５２】
ここで、モード選択ダイヤル１４またはメインスイッチ１６が操作された場合、ＣＰＵ３２は、ステップＳ１９５に進む。そして、このステップＳ１９５において、上述したフラグＦｂに“０”を設定し、このマルチ表示処理を終了する。
【０２５３】
一方、ステップＳ１９３において十字キー２２が操作（上下左右のいずれかのボタンが押下）されたと判断すると、ＣＰＵ３２は、ステップＳ１９７に進む。そして、このステップＳ１９７において、当該十字キー２２の操作に応じてマルチ画面上のポインタ１２６を移動させることができるか否か、換言すればマルチ画面をスクロールさせる必要があるか否かを判断する。ここで、ポインタ１２６を移動させることができる場合には、ＣＰＵ３２は、ステップＳ１９９に進み、十字キー２２の操作に応じてポインタ１２６を移動させた後、ステップＳ１８７に戻る。
【０２５４】
一方、ステップＳ１９７においてポインタ１２６を移動させることが不可能であると判断した場合には、ＣＰＵ３２は、ステップＳ２０１に進む。そして、このステップＳ２０１において、ポインタ１２６を前方（マルチ画面において上方）および後方（マルチ画面において下方）のいずれに移動させることができないのかを判断する。ここで、ポインタ１２６を前方に向けて移動させることができない場合、ＣＰＵ３２は、マルチ画面表示をスクロールダウンさせるべく、図３８のステップＳ２０３に進む。
【０２５５】
このステップＳ２０３において、ＣＰＵ３２は、フラグＦａに“１”が設定されているか否かを判断する。ここで、当該フラグＦａに“１”が設定されていない場合、ＣＰＵ３２は、ステップＳ２０５に進み、レジスタＲｂに記憶されている静止画像の３つ前の静止画像を特定する。この特定は、管理リストファイル７０を参照することで行われる。そして、このステップＳ２０５の処理後、ＣＰＵ３２は、ステップＳ２０７に進み、特定された静止画像をレジスタＲｂに記憶した後、つまり当該レジスタＲｂの内容を更新した後、図３７のステップＳ１８２に戻る。
【０２５６】
一方、フラグＦａに“１”が設定されている場合、ＣＰＵ３２は、ステップＳ２０３からステップＳ２０９に進み、お気に入りファイル６６を参照する。そして、ＣＰＵ３２は、ステップＳ２１１に進み、当該お気に入りファイル６６の参照結果から、レジスタＲｂに記憶されている静止画像の３つ前のお気に入り静止画像を特定する。そして、このステップＳ２１１の処理後、ＣＰＵ３２は、ステップＳ２０７を経て図３７のステップＳ１８２に戻る。
【０２５７】
また、図３７のステップＳ２０１においてポインタ１２６を後方に向けて移動させることができないと判断した場合、ＣＰＵ３２は、マルチ画面表示をスクロールアップさせるべく、図３８のステップＳ２１３に進む。このステップＳ２１３において、ＣＰＵ３２は、フラグＦａに“１”が設定されているか否かを判断する。ここで、フラグＦａに“１”が設定されていない場合、ＣＰＵ３２は、ステップＳ２１５に進み、レジスタＲｂに記憶されている静止画像の３つ後ろの静止画像を特定する。この特定は、管理リストファイル７０を参照することで行われる。そして、このステップＳ２１５の処理後、ＣＰＵ３２は、ステップＳ２０７を経て図３７のステップＳ１８２に戻る。
【０２５８】
一方、フラグＦａに“１”が設定されている場合、ＣＰＵ３２は、ステップＳ２１３からステップＳ２１７に進み、お気に入りファイル６６を参照する。そして、ＣＰＵ３２は、ステップＳ２１９に進み、当該お気に入りファイル６６の参照結果から、レジスタＲｂに記憶されている静止画像の３つ後ろのお気に入り静止画像を特定する。そして、このステップＳ２１９の処理後、ＣＰＵ３２は、ステップＳ２０７を経て図３７のステップＳ１８２に戻る。
【０２５９】
さらに、ステップＳ１９３において十字キー２２の上ボタンとジャンプキー２４とが同時に押下されたと判断すると、ＣＰＵ３２は、マルチ表示されている全てのサムネイル１１８，１１８，・・・を前方に向けて更新させるべく図３８のステップＳ２２１に進む。このステップＳ２２１において、ＣＰＵ３２は、フラグＦａに“１”が設定されているか否かを判断する。ここで、フラグＦａに“１”が設定されていない場合、ＣＰＵ３２は、ステップＳ２２３に進み、管理リストファイル７０を参照して、レジスタＲｂに記憶されている静止画像の９つ前の静止画像を特定する。そして、このステップＳ２２３の処理後、ＣＰＵ３２は、ステップＳ２０７を経て図３７のステップＳ１８２に戻る。
【０２６０】
一方、フラグＦａに“１”が設定されている場合、ＣＰＵ３２は、ステップＳ２２１からステップＳ２２５に進み、お気に入りファイル６６を参照する。そして、ＣＰＵ３２は、ステップＳ２２７に進み、当該お気に入りファイル６６の参照結果から、レジスタＲｂに記憶されている静止画像の９つ前のお気に入り静止画像を特定する。そして、このステップＳ２２７の処理後、ＣＰＵ３２は、ステップＳ２０７を経て図３７のステップＳ１８２に戻る。
【０２６１】
また、ステップＳ１９３において十字キー２２の下ボタンとジャンプキー２４とが同時に押下されたと判断すると、ＣＰＵ３２は、マルチ表示されている全てのサムネイル１１８，１１８，・・・を後方に向けて更新させるべく図３８のステップＳ２２９に進む。このステップＳ２２９において、ＣＰＵ３２は、フラグＦａに“１”が設定されているか否かを判断する。ここで、フラグＦａに“１”が設定されていない場合、ＣＰＵ３２は、ステップＳ２３１に進み、管理リストファイル７０を参照して、レジスタＲｂに記憶されている静止画像の９つ後ろの静止画像を特定する。そして、このステップＳ２３１の処理後、ＣＰＵ３２は、ステップＳ２０７を経て図３７のステップＳ１８２に戻る。
【０２６２】
一方、フラグＦａに“１”が設定されている場合、ＣＰＵ３２は、ステップＳ２２９からステップＳ２３３に進み、お気に入りファイル６６を参照する。そして、ＣＰＵ３２は、ステップＳ２３５に進み、当該お気に入りファイル６６の参照結果から、レジスタＲｂに記憶されている静止画像の９つ後ろのお気に入り静止画像を特定する。そして、このステップＳ２３５の処理後、ＣＰＵ３２は、ステップＳ２０７を経て図３７のステップＳ１８２に戻る。
【０２６３】
そして、ステップＳ１９３においてセットキー２０が押下されたと判断した場合、ＣＰＵ３２は、ステップＳ２３７に進み、マルチ画面表示を解除する。そして、ＣＰＵ３２は、ステップＳ２３９に進み、マルチ画面上のポインタ１２６によって選択されたサムネイル１１８に対応する静止画像を再生（フルサイズで表示）し、一連のマルチ表示処理を終了する。
【０２６４】
また、ステップＳ１９３においてモードキー１８が押下されたと判断した場合、ＣＰＵ３２は、ステップＳ２４１に進み、マルチ画面表示を解除する。そして、ＣＰＵ３２は、ステップＳ２４３に進み、レジスタＲａの記憶内容に従う静止画像を再生（フルサイズで表示）して、一連のマルチ表示処理を終了する。
【０２６５】
さらに、ステップＳ１９３においてジャンプキー２４が押下されたと判断すると、ＣＰＵ３２は、お気に入り登録の設定または解除をするべく、図３９のステップＳ２４５に進む。このステップＳ２４５において、ＣＰＵ３２は、マルチ画面上のポインタ１２６によって選択されたサムネイル１１８に対応する静止画像を再生（フルサイズで表示）する。そして、ＣＰＵ３２は、ステップＳ２４７に進み、現在再生されている静止画像をレジスタＲａに記憶する。つまり、当該レジスタＲａの記憶内容を更新する。このステップＳ２４７の処理後、ＣＰＵ３２は、ステップＳ２４９に進む。
【０２６６】
ステップＳ２４９においては、ＣＰＵ３２は、図３０におけるステップＳ６９と同様の処理、つまり図３５および図３６の各フロー図で示される処理を実行する。そして、このステップＳ２４９の処理後、ＣＰＵ３２は、ステップＳ２５１に進み、フラグＦｂに“１”が設定されているか否かを判断する。ここで、フラグＦｂに“１”が設定されている場合、つまりステップＳ２４９の処理中にモード選択ダイヤル１４およびメインスイッチ１６のいずれも操作されていない場合、ＣＰＵ３２は、図３７のステップＳ１８２に戻る。一方、フラグＦｂに“１”が設定されていない場合、つまりステップＳ２４９の処理中にモード選択ダイヤル１４またはメインスイッチ１６が操作された場合、ＣＰＵ３２は、この一連のマルチ表示処理を終了する。
【０２６７】
図３４におけるステップＳ９３のジャンプ再生設定処理においては、ＣＰＵ３２は、次のような動作をする。
【０２６８】
すなわち、図４０を参照して、ＣＰＵ３２は、まず、ステップＳ２６１において、上述したフラグＦａに“０”が設定されているか否かを判断する。ここで、フラグＦａが“０”の場合、つまりジャンプ再生モードが設定されていない場合、ＣＰＵ３２は、ステップＳ２６３に進み、液晶モニタ３０に上述の図１５（ａ）に示すジャンプ再生設定画面をＯＳＤ表示させる。そして、ＣＰＵ３２は、ステップＳ２６５に進み、何らかの操作が成されるのを待ち、何らかの操作が成されると、ステップＳ２６７に進み、当該操作の内容を判別する。
【０２６９】
ここで、モード選択ダイヤル１４またはメインスイッチ１６が操作された場合、ＣＰＵ３２は、ステップＳ２６９に進む。そして、このステップＳ２６９において、上述したフラグＦｂに“０”を設定し、このジャンプ再生設定処理を終了する。
【０２７０】
一方、ステップＳ２６７においてモードキー１８が押下されたと判断した場合、ＣＰＵ３２は、ステップＳ２７１に進む。そして、このステップＳ２７１において、ジャンプ再生設定画面のＯＳＤ表示を解除し、このジャンプ再生設定処理を終了する。
【０２７１】
また、ステップＳ２６７において十字キー２２の上ボタンまたは下ボタンが押下されたと判断すると、ＣＰＵ３２は、ステップＳ２７３に進む。そして、このステップＳ２７３において、当該上ボタンまたは下ボタンの押下に応答してジャンプ再生設定画面上のカーソル１３４を上下方向に移動させた後、ステップＳ２６５に戻る。
【０２７２】
そして、ステップＳ２６７においてセットキー２０が押下されたと判断すると、ＣＰＵ３２は、ステップＳ２７５に進む。そして、このステップＳ２７５において、当該セットキー２０が押下されたとき上述のカーソル１３４によって“設定”（文字列１３０）が選択されたのか、それとも“戻る”（文字列１３２）が選択されたのかを判断する。ここで、“戻る”が選択されたとき、ＣＰＵ３２は、上述のステップＳ２７１に進み、ジャンプ再生設定画面のＯＳＤ表示を解除し、この一連のジャンプ設定処理を終了する。
【０２７３】
一方、ステップＳ２７５において“設定”が選択されたと判断すると、ＣＰＵ３２は、ステップＳ２７７に進む。そして、ＣＰＵ３２は、このステップＳ２７７において、フラグＦａに“１”を設定した後、ステップＳ２７９において、ジャンプ再生設定画面のＯＳＤ表示を解除する。
【０２７４】
さらに、ＣＰＵ３２は、ステップＳ２８１に進み、上述の図１５（ｃ）に示すメッセージ画面をＯＳＤ表示する。このステップＳ２８１の処理後、ＣＰＵ３２は、ステップＳ２８３において、一定時間（数秒程度）が経過するのを待つ。これによって、図１５（ｃ）のメッセージ画面が当該一定時間にわたって表示される。この一定時間の経過後、ＣＰＵ３２は、ステップＳ２８５に進み、当該メッセージ画面のＯＳＤ表示を解除する。
【０２７５】
ステップＳ２８５の処理後、ＣＰＵ３２は、ステップＳ２８７において、レジスタＲａに記憶されている静止画像はお気に入り画像であるか否かを判断する。ここで、当該静止画像がお気に入り画像である場合には、ＣＰＵ３２は、この一連のジャンプ再生設定処理を終了する、一方、レジスタＲａに記憶されている静止画像がお気に入り画像でない場合、ＣＰＵ３２は、ステップＳ２８９に進み、お気に入りファイル６６を参照する。そして、ＣＰＵ３２は、ステップＳ２９１に進み、当該お気に入りファイル６６の参照結果から、レジスタＲａに記憶されている静止画像、換言すれば現在再生されている静止画像と、撮影日時の近いお気に入り静止画像を特定する。ここでは、レジスタＲａに記憶されている静止画像の次に撮影日時の古いお気に入り静止画像を特定する。なお、当該次に撮影日時の古いお気に入り静止画像が存在しない場合には、撮影日時の最も古いお気に入り静止画像を特定する。そして、ＣＰＵ３２は、特定されたお気に入り静止画像を再生（フルサイズで表示）して、この一連のジャンプ再生設定処理を終了する。
【０２７６】
また、上述のステップＳ２６１においてフラグＦａに“０”が設定されていない場合、つまりジャンプ再生モードが設定されている場合、ＣＰＵ３２は、図４１のステップＳ２９３に進む。このステップＳ２９３において、ＣＰＵ３２は、液晶モニタ３０に上述の図１７（ａ）に示すジャンプ再生解除画面をＯＳＤ表示させる。そして、ＣＰＵ３２は、ステップＳ２９５に進み、何らかの操作が成されるのを待ち、何らかの操作が成されると、ステップＳ２９７に進み、当該操作の内容を判別する。
【０２７７】
ここで、モード選択ダイヤル１４またはメインスイッチ１６が操作された場合、ＣＰＵ３２は、ステップＳ２９９に進む。そして、このステップＳ２９９において、上述したフラグＦｂに“０”を設定し、一連のジャンプ再生設定処理を終了する。
【０２７８】
一方、ステップＳ２９７においてモードキー１８が押下されたと判断した場合、ＣＰＵ３２は、ステップＳ３０１に進む。そして、このステップＳ３０１において、ジャンプ再生設定画面のＯＳＤ表示を解除し、一連のジャンプ再生設定処理を終了する。
【０２７９】
また、ステップＳ２９７において十字キー２２の上ボタンまたは下ボタンが押下されたと判断すると、ＣＰＵ３２は、ステップＳ３０３に進む。そして、このステップＳ３０３において、当該上ボタンまたは下ボタンの押下に応答してジャンプ再生解除画面上のカーソル１４２を上下方向に移動させた後、ステップＳ２９５に戻る。
【０２８０】
そして、ステップＳ２９７においてセットキー２０が押下されたと判断すると、ＣＰＵ３２は、ステップＳ３０５に進む。そして、このステップＳ３０５において、当該セットキー２０が押下されたとき上述のカーソル１４２によって“解除”（文字列１３８）が選択されたのか、それとも“戻る”（文字列１４０）が選択されたのかを判断する。ここで、“戻る”が選択されたとき、ＣＰＵ３２は、上述のステップＳ３０１に進み、ジャンプ再生解除画面のＯＳＤ表示を解除し、一連のジャンプ設定処理を終了する。
【０２８１】
一方、ステップＳ３０５において“解除”が選択されたと判断すると、ＣＰＵ３２は、ステップＳ３０７に進む。そして、ＣＰＵ３２は、このステップＳ３０７において、フラグＦａに“０”を設定した後、ステップＳ３０９において、ジャンプ再生解除画面のＯＳＤ表示を解除する。
【０２８２】
さらに、ＣＰＵ３２は、ステップＳ３１１に進み、上述の図１７（ｃ）に示すメッセージ画面をＯＳＤ表示する。このステップＳ３１１の処理後、ＣＰＵ３２は、ステップＳ３１３において、一定時間（数秒程度）が経過するのを待つ。これによって、図１７（ｃ）のメッセージ画面が当該一定時間にわたって表示される。この一定時間の経過後、ＣＰＵ３２は、ステップＳ３１５に進み、当該メッセージ画面のＯＳＤ表示を解除し、一連のジャンプ再生設定処理を終了する、図３４におけるステップＳ９７のリスト表示処理においては、ＣＰＵ３２は、次のような動作をする。
【０２８３】
すなわち、図４２を参照して、ＣＰＵ３２は、まず、ステップＳ３２１において、現在の液晶モニタ３０の画面表示をクリアする。そして、ＣＰＵ３２は、ステップＳ３２３において、管理リストファイル７０を参照し、この参照結果に基づいて、ステップＳ３２５において、上述の図１８（ａ）に示すファイルリスト画面をＯＳＤ表示する。
【０２８４】
ステップＳ３２５の処理後、ＣＰＵ３２は、ステップＳ３２７に進み、何らかの操作が成されるのを待つ。そして、何らかの操作が成されると、ＣＰＵ３２は、ステップＳ３２９に進み、当該操作の内容を判別する。
【０２８５】
ここで、モード選択ダイヤル１４またはメインスイッチ１６が操作された場合、ＣＰＵ３２は、ステップＳ３３０に進む。そして、このステップＳ３３０において、フラグＦｂに“０”を設定し、このリスト表示処理を終了する。
【０２８６】
一方、ステップＳ３２９において十字キー２２の上ボタンまたは下ボタンが押下されたと判断すると、ＣＰＵ３２は、ステップＳ３３１に進む。そして、このステップＳ３３１において、当該十字キー２２の操作に応じてファイルリスト画面上のカーソル１６１を移動させることができるか否か、換言すればファイルリスト画面の表示内容をスクロールさせる必要があるか否かを判断する。ここで、カーソル１６１を移動させることができる場合には、ＣＰＵ３２は、ステップＳ３３２に進み、十字キー２２の操作に応じてカーソル１６１を移動させた後、ステップＳ３２７に戻る。カーソル１６１を移動させることができない場合は、ＣＰＵ３２は、ステップＳ３３１からステップＳ３３３に進む。そして、このステップＳ３３３において、十字キー２２の操作に応じてファイルリスト画面の表示内容を上下方向にスクロールさせた後、ステップＳ３２７に戻る。
【０２８７】
ステップＳ３２９においてモードキー１８が押下されたと判断すると、ＣＰＵ３２は、ステップＳ３３５に進む。そして、このステップＳ３３５において、図１８（ａ）のファイルリスト画面のＯＳＤ表示を解除した後、ステップＳ３３７に進む。このステップＳ３３７において、ＣＰＵ３２は、レジスタＲａの記憶内容に従う静止画像を再生（フルサイズで表示）し、この一連のリスト表示処理を終了する。
【０２８８】
さらに、ステップＳ３２９においてセットキー２０が押下されたと判断すると、ＣＰＵ３２は、ステップＳ３３８に進む。そして、このステップＳ３３８において、上述のファイルリスト画面上でカーソル１６１によって選択された文字列１５４に対応する記録日を認識するとともに、認識した記録日（厳密には当該記録日を表す情報）を自身に内蔵されたレジスタＲｅに記憶する。そして、この記憶後、ＣＰＵ３２はステップＳ３３９に進む。
【０２８９】
ステップＳ３３９において、ＣＰＵ３２は、レジスタＲａに記憶されている画像と同じ撮影モード、つまり現在設定されている撮影モードと同じモードで撮影された画像が、記録日Ｒｅに記録（撮影）されているか否かを判断する。かかる画像が存在する場合、ＣＰＵ３２は、ステップＳ３４０に進み、その記録日Ｒｅにおいて最も記録時間の古い（早い）画像を上述したレジスタＲａおよびＲｂに記憶する。そして、ステップＳ３４１で上述したフラグＦｇに“０”を設定した後、この図４２で示されるリスト表示処理を終了する。
【０２９０】
一方、ステップＳ３３９において現在の撮影モードと同じモードで撮影された画像が記憶日Ｒｅに記録されていないと判断すると、ＣＰＵ３２は、ステップＳ３４２に進む。そして、このステップＳ３４２において、記録日Ｒｅの次の記録日、つまり記録日Ｒｅ以降に何らかの画像が記録された日が存在するか否かを判断する。ここで、当該次の記録日が存在する場合、ＣＰＵ３２は、ステップＳ３４３に進み、その日を新たにレジスタＲｅに記憶する。そして、この新たな記録日Ｒｅの記憶後、ＣＰＵ３２は、ステップＳ３３９に戻る。
【０２９１】
ステップＳ３４２において記録日Ｒｅの次の記録日が存在しない場合は、ＣＰＵ３２は、ステップＳ３４４に進む。そして、このステップＳ３４４において、最も古い記録日、換言すればメモリカード６２に記録されている全ての画像のうち最も撮影日時の古い画像が記録された日を、新たにレジスタＲｅに記憶した後、ステップＳ３３９に戻る。
【０２９２】
上述の図３４におけるステップＳ９９の消去登録処理においては、ＣＰＵ３２は、次のような動作をする。
【０２９３】
すなわち、図４３を参照して、ＣＰＵ３２は、まず、ステップＳ３５１において、液晶モニタ３０に上述の図１９（ａ）に示す消去方法選択画面をＯＳＤ表示させる。そして、ＣＰＵ３２は、ステップＳ３５３に進み、何らかの操作が成されるのを待つ。何らかの操作が成されると、ＣＰＵ３２は、ステップＳ３５５に進み、当該操作の内容を判別する。
【０２９４】
ここで、モード選択ダイヤル１４またはメインスイッチ１６が操作された場合、ＣＰＵ３２は、ステップＳ３５７に進む。そして、このステップＳ３５７において、フラグＦｂに“０”を設定し、この消去処理を終了する。
【０２９５】
一方、ステップＳ３５５においてモードキー１８が押下されたと判断すると、ＣＰＵ３２は、ステップＳ３５９に進む。そして、このステップＳ３５９において、消去方法選択画面のＯＳＤ表示を解除し、この消去処理を終了する。
【０２９６】
また、ステップＳ３５５において十字キー２２の上ボタンまたは下ボタンが押下されたと判断すると、ＣＰＵ３２は、ステップＳ３６１に進む。そして、このステップＳ３６１において、当該上ボタンまたは下ボタンの押下に応答して消去方法選択画面上のカーソル１７０を上下方向に移動させた後、ステップＳ３５３に戻る。
【０２９７】
ステップＳ３５５においてセットキー２０が押下されたと判断すると、ＣＰＵ３２は、ステップＳ３６３に進む。そして、このステップＳ３６３において、当該セットキー２０が押下されたとき上述のカーソル１７０によって“全て消去”（文字列１６２），“グループ消去”（文字列１６４），“１枚消去”（文字列１６６）および“戻る”（文字列１６８）のいずれが選択されたのかを判断する。
【０２９８】
ここで、“戻る”が選択されたとき、ＣＰＵ３２は、上述のステップＳ３５９に進む。そして、このステップＳ３５９において、消去方法選択画面のＯＳＤ表示を解除し、一連の消去処理を終了する。
【０２９９】
一方、ステップＳ３６３において“全て消去”が選択されたと判断すると、ＣＰＵ３２は、ステップＳ３６５に進む。そして、ＣＰＵ３２は、このステップＳ３６５において、自身に内蔵されたレジスタＲｃに“０”という数値を記憶した後、ステップＳ３６７に進み、消去方法選択画面のＯＳＤ表示を解除する。
【０３００】
また、ステップＳ３６３において“グループ消去”が選択されると、ＣＰＵ３２は、ステップＳ３６９に進む。そして、このステップＳ３６９において、上述のレジスタＲｃに“１”という数値を記憶した後、ＣＰＵ３２は、ステップＳ３６７に進み、消去方法選択画面のＯＳＤ表示を解除する。
【０３０１】
ステップＳ３６７の処理後、図４４のステップＳ３７１に進む。そして、このステップＳ３７１において、液晶モニタ３０に上述の図１９（ｃ）に示すお気に入り消去確認画面をＯＳＤ表示させる。そして、ＣＰＵ３２は、ステップＳ３７３に進み、何らかの操作が成されるのを待ち、何らかの操作が成されると、ステップＳ３７５に進み、当該操作の内容を判別する。
【０３０２】
ここで、モード選択ダイヤル１４またはメインスイッチ１６が操作された場合、ＣＰＵ３２は、ステップＳ３７７に進む。そして、このステップＳ３７７において、フラグＦｂに“０”を設定し、この消去処理を終了する。
【０３０３】
一方、ステップＳ３７５において十字キー２２の上ボタンまたは下ボタンが押下されたと判断すると、ＣＰＵ３２は、ステップＳ３７９に進む。そして、このステップＳ３７９において、当該上ボタンまたは下ボタンの押下に応答してお気に入り消去確認画面上のカーソル１７８を上下方向に移動させた後、ステップＳ３７３に戻る。
【０３０４】
そして、ステップＳ３７５においてセットキー２０が押下されたと判断すると、ＣＰＵ３２は、ステップＳ３８１に進む。このステップＳ３８１において、ＣＰＵ３２は、当該セットキー２０が押下されたとき上述のカーソル１７８によって“ＹＥＳ”（文字列１７４）および“ＮＯ”（文字列１７６）のいずれが選択されたのかを判断する。
【０３０５】
ここで、“ＹＥＳ”が選択されたとき、ＣＰＵ３２は、ステップＳ３８３に進み、お気に入り画像を消去するか否かの指標となるフラグＦｅに“１”を設定する。このステップＳ３８３の処理後、ＣＰＵ３２は、ステップＳ３８５に進み、お気に入り消去確認画面のＯＳＤ表示を解除する。
【０３０６】
一方、ステップＳ３８１において、“ＮＯ”が選択されたと判断すると、ＣＰＵ３２は、ステップＳ３８７に進み、上述のフラグＦｅに“０”を設定する。そして、このステップＳ３８７の処理後、ＣＰＵ３２は、ステップＳ３８５に進み、お気に入り消去確認画面のＯＳＤ表示を解除する。
【０３０７】
ステップＳ３８５の処理後、ＣＰＵ３２は、ステップＳ３８９に進み、液晶モニタ３０に上述の図１９（ｄ）に示す消去開始確認画面をＯＳＤ表示する。そして、ＣＰＵ３２は、ステップＳ３９１に進み、何らかの操作が成されるのを待ち、何らかの操作が成されると、ステップＳ３９３に進み、当該操作の内容を判別する。
【０３０８】
なお、図４３のステップＳ３６３において“１枚消去”が選択されたと判断した場合、ＣＰＵ３２は、ステップＳ３９５に進み、上述したレジスタＲｃに“２”という数値を記憶する。そして、ＣＰＵ３２は、ステップＳ３９７において、消去方法選択画面のＯＳＤ表示を解除した後、図４４のステップＳ３８９に進む。
【０３０９】
図４４のステップＳ３９３において、モード選択ダイヤル１４またはメインスイッチ１６が操作されたと判断すると、ＣＰＵ３２は、上述したステップＳ３７７に進む。そして、このステップＳ３７７において、フラグＦｂに“０”を設定して、一連の消去処理を終了する。
【０３１０】
一方、ステップＳ３９３において十字キー２２の上ボタンまたは下ボタンが押下されたと判断すると、ＣＰＵ３２は、ステップＳ３９９に進む。そして、このステップＳ３９９において、当該上ボタンまたは下ボタンの押下に応答して消去開始確認画面上のカーソル１８６を上下方向に移動させた後、ステップＳ３９１に戻る。
【０３１１】
そして、ステップＳ３９３においてセットキー２０が押下されたと判断すると、ＣＰＵ３２は、ステップＳ４０１に進む。このステップＳ４０１において、ＣＰＵ３２は、当該セットキー２０が押下されたとき上述のカーソル１８６によって“ＹＥＳ”（文字列１８２）および“ＮＯ”（文字列１８４）のいずれが選択されたのかを判断する。
【０３１２】
ここで、“ＮＯ”が選択されたとき、ＣＰＵ３２は、ステップＳ４０３に進み、消去開始確認画面のＯＳＤ表示を解除する。そして、このステップＳ４０３の処理後、ＣＰＵ３２は、図４３のステップＳ３５１に戻る。
【０３１３】
一方、ステップＳ４０１において、“ＹＥＳ”が選択されたと判断すると、ＣＰＵ３２は、図４５のステップＳ４０５に進む。そして、このステップＳ４０５において消去開始確認画面のＯＳＤ表示を解除した後、ＣＰＵ３２は、ステップＳ４０７に進み、液晶モニタ３０に上述の図１９（ｅ）に示すメッセージ画面をＯＳＤ表示させる。
【０３１４】
ステップＳ４０７の処理後、ＣＰＵ３２は、ステップＳ４０９に進む。そして、このステップＳ４０９において、上述したレジスタＲｃに記憶されている数値が“０”であるか否かを判断する。ここで、レジスタＲｃに“０”という数値が記憶されている場合、つまり図１９（ａ）の消去方法選択画面において“全て消去”が選択された場合、ＣＰＵ３２は、ステップＳ４１１に進む。そして、このステップＳ４１１において、上述したフラグＦｅに“１”が設定されているか否かを判断する。
【０３１５】
このステップＳ４１１においてフラグＦｅに“１”が設定されていると判断した場合、つまり図１９（ｃ）のお気に入り消去確認画面において“ＹＥＳ”が選択された場合、ＣＰＵ３２は、ステップＳ４１３に進む。そして、このステップＳ４１３において、メモリカード６２内に記録されている全ての画像ファイルを消去した後、ステップＳ４１５に進む。
【０３１６】
一方、ステップＳ４１１においてフラグＦｅに“１”が設定されていないと判断した場合、つまり図１９（ｃ）のお気に入り消去確認画面において“ＮＯ”が選択された場合、ＣＰＵ３２は、ステップＳ４１７に進む。そして、このステップＳ４１７において、メモリカード６２内に記録されている画像ファイルのうちお気に入り画像のみを残し、それ以外の画像ファイルを全て消去する。このステップＳ４１７の処理後、ＣＰＵ３２は、ステップＳ４１５に進む。
【０３１７】
なお、上述のステップＳ４０９においてレジスタＲｃに記憶されている数値が“０”でない場合、つまり図１９（ａ）の消去方法選択画面において“全て消去”が選択されなかった場合、ＣＰＵ３２は、さらにステップＳ４１９に進む。そして、このステップＳ４１９において、当該レジスタＲｃに記憶されている数値が“１”であるか否かを判断する。
【０３１８】
ここで、レジスタＲｃに“１”という数値が記憶されている場合、つまり図１９（ａ）の消去方法選択画面において“グループ消去”が選択された場合、ＣＰＵ３２は、ステップＳ４２１に進む。そして、このステップＳ４２１において、フラグＦｅに“１”が設定されているか否かを判断する。
【０３１９】
このステップＳ４２１においてフラグＦｅに“１”が設定されていると判断した場合、ＣＰＵ３２は、ステップＳ４２３に進む。そして、このステップＳ４２３において、メモリカード６２内に記録されている画像ファイルのうち、レジスタＲａに記憶されている画像と同一のフォルダ内に記録され、かつ当該レジスタＲａに記憶されている画像と同じ撮影モードで記録された画像を、全て消去する。このステップＳ４２３の処理後、ＣＰＵ３２は、ステップＳ４１５に進む。
【０３２０】
一方、ステップＳ４２１においてフラグＦｅに“１”が設定されていない場合、ＣＰＵ３２は、ステップＳ４２５に進む。そして、このステップＳ４２５において、メモリカード６２内に記録されている画像ファイルのうち、お気に入り画像については無条件に残し、それ以外の画像ファイルでレジスタＲａに記憶されている画像と同一のフォルダ内に記録され、かつ当該レジスタＲａに記憶されている画像と同じ撮影モードで記録された画像を、全て消去する。このステップＳ４２５の処理後、ＣＰＵ３２は、ステップＳ４１５に進む。
【０３２１】
また、上述のステップＳ４１９においてレジスタＲｃに記憶されている数値が“１”でない場合、つまり図１９（ａ）の消去方法選択画面において“１枚消去”が選択された場合、ＣＰＵ３２は、ステップＳ４２７に進む。そして、このステップＳ４２７において、レジスタＲａに記憶されている画像のファイルをメモリカード６２から消去した後、ステップＳ４１５に進む。
【０３２２】
ステップＳ４１５において、ＣＰＵ３２は、ファイル消去後の状況に応じてお気に入りファイル６６の内容を更新する。そして、ＣＰＵ３２は、ステップＳ４２９において、入力文字ファイル６８の内容を更新し、さらにステップＳ４３１において、管理リストファイル７０の内容を更新する。そして、ステップＳ４３５において、レジスタＲａに記憶されている画像と同じ撮影モードで記録された画像ファイルがメモリカード６２内に残っているか否かを判断する。この判断は、ステップＳ４３１による更新後の管理リストファイル７０を参照することで行われる。
【０３２３】
ここで、レジスタＲａに記憶されている画像と同じ撮影モードで記録された画像ファイルがメモリカード６２内に残っている場合、ＣＰＵ３２は、ステップＳ４３７に進む。そして、ＣＰＵ３２は、このステップＳ４３７において、レジスタＲａに記憶されている画像の次の画像をフルサイズで表示し、さらにステップＳ４３９において、現在表示されている画像（ファイル名）をレジスタＲａに記憶した後、図４３のステップＳ３５１に戻る。
【０３２４】
一方、ステップＳ４３５において、レジスタＲａに記憶されている画像と同じ撮影モードで記録された画像ファイルがメモリカード６２内に残っていないと判断した場合、ＣＰＵ３２は、ステップＳ４４１に進む。そして、このステップＳ４４１において、上述したフラグＦｃに“０”を設定して、一連の消去処理を終了する。
【０３２５】
次に、上述の連写画像再生モードにおけるＣＰＵ３２の動作について説明する。この連写画像再生モードにおいては、ＣＰＵ３２は、上述した制御プログラムに従って、図４６〜図５３のフロー図で示される各処理を実行する。
【０３２６】
すなわち、連写画像再生モードが選択されると、ＣＰＵ３２は、図４６のステップＳ５０１に進み、メモリカード６２内に連写画像撮影モードで記録された画像ファイルが存在するか否かを判断する。この判断は、管理リストファイル７０を参照して行われる。
【０３２７】
ここで、メモリカード６２内に連写画像撮影モードで記録された画像ファイルが存在しない場合、ＣＰＵ３２は、ステップＳ５０１からステップＳ５０３に進み、液晶モニタ３０に、上述した図１９（ｆ）に示すメッセージ画面をＯＳＤ表示させる。そして、ＣＰＵ３２は、ステップＳ５０５に進み、モード選択ダイヤル１４またはメインスイッチ１６が操作されるのを待つ。
【０３２８】
ステップＳ５０５においてモード選択ダイヤル１４またはメインスイッチ１６が操作されると、ＣＰＵ３２は、ステップＳ５０７に進む。そして、このステップＳ５０７において、ＣＰＵ３２は、現在、液晶モニタ３０に表示されている画面の内容を全てクリアして、この連写画像再生モードを抜ける。
【０３２９】
一方、ステップＳ５０１において、連写画像撮影モードで記録された画像ファイルがメモリカード６２内にあると判断した場合、ＣＰＵ３２は、ステップＳ５０９に進む。このステップＳ５０９において、ＣＰＵ３２は、初期設定を行い、具体的には上述したフラグＦａに“０”を設定するとともに、フラグＦｂおよびＦcの各々に“１”を設定する。
【０３３０】
ステップＳ５０９の処理後、ＣＰＵ３２は、ステップＳ５１１に進み、上述したサンプル画像を抽出し、抽出されたサンプル画像のファイル名を、レジスタＲｄに記憶する。なお、サンプル画像の特定は、管理リストファイル７０を参照することで行われる。
【０３３１】
ステップＳ５１１の処理後、ＣＰＵ３２は、ステップＳ５１５に進む。そして、このステップＳ５１５において、ＣＰＵ３２は、上述のレジスタＲｄに（ファイル名が）記憶されたサンプル画像のうち、撮影日時が後ろから９番目のサンプル画像を特定する。そして、ＣＰＵ３２は、ステップＳ５１５に進み、当該特定されたサンプル画像をレジスタＲｂに記憶する。
【０３３２】
ステップＳ５１５の処理後、ＣＰＵ３２は、ステップＳ５１７に進み、上述したフラグＦａに“１”が設定されているか否かを判断する。ここで、フラグＦａに“１”が設定されていない場合、つまりジャンプ再生モードが設定されていない場合、ＣＰＵ３２は、ステップＳ５１９に進み、レジスタＲｂに記憶されている画像以降に連続撮影モードで撮影された９画面分の画像のサムネイル１１８，１１８，・・・を、上述の図２４（ａ）に示すようにマルチ表示する。なお、これら９画面分の画像は、管理リストファイル７０を参照することで特定される。このステップＳ５１９の処理後、ＣＰＵ３２は、図４７のステップＳ５２１に進む。
【０３３３】
一方、図４６のステップＳ５１７においてフラグＦａに“１”が設定されている場合、つまりジャンプ再生モードが設定されている場合、ＣＰＵ３２は、ステップＳ５２３に進み、お気に入りファイル６６を参照する。そして、ＣＰＵ３２は、ステップＳ５２５に進み、当該お気に入りファイル６６の参照結果に基づいて、レジスタＲｂに記憶されているお気に入り画像からそれ以降に連続撮影モードで撮影された９画面分のお気に入り画像を特定し、特定されたお気に入り画像のサムネイルを、上述の図２６（ｅ）に示すようにマルチ表示する。このステップＳ５２５の処理後、ＣＰＵ３２は、図４７のステップＳ５２１に進む。
【０３３４】
このステップＳ５２１において、ＣＰＵ３２は、何らかの操作が成されるのを待つ。そして、何らかの操作が成されると、ステップＳ５２７に進み、当該操作の内容を判別する。
【０３３５】
ここで、モード選択ダイヤル１４またはメインスイッチ１６が操作された場合、ＣＰＵ３２は、図４６のステップＳ５０７に進む。そして、このステップＳ５０７において、液晶モニタ３０の画面表示をクリアして、連写画像再生モードを抜ける。
【０３３６】
一方、ステップＳ５２７において十字キー２２が操作（上下左右のいずれかのボタンが押下）されたと判断すると、ＣＰＵ３２は、ステップＳ５２９に進む。そして、このステップＳ５２９において、当該十字キー２２の操作に応じてマルチ画面上のポインタ１２６を移動させることができるか否か、換言すればマルチ画面をスクロールさせる必要があるか否かを判断する。ここで、ポインタ１２６を移動させることができる場合、ＣＰＵ３２は、ステップＳ５３１に進み、十字キー２２の操作に応じてポインタ１２６を移動させた後、ステップＳ５２１に戻る。
【０３３７】
これに対し、ステップＳ５２９においてポインタ１２６を移動させることが不可能であると判断した場合には、ＣＰＵ３２は、ステップＳ５３３に進む。そして、このステップＳ５３３において、ポインタ１２６を前方（マルチ画面において上方）および後方（マルチ画面において下方）のいずれに移動させることができないのかを判断する。ここで、ポインタ１２６を前方に向けて移動させることができない場合、ＣＰＵ３２は、マルチ画面表示をスクロールダウンさせるべく、図４８のステップＳ５３５に進む。
【０３３８】
このステップＳ５３５において、ＣＰＵ３２は、フラグＦａに“１”が設定されているか否かを判断する。ここで、フラグＦａに“１”が設定されていない場合、ＣＰＵ３２は、ステップＳ５３７に進み、レジスタＲｂに記憶されているサンプル画像の３つ前のサンプル画像を特定する。この特定は、管理リストファイル７０を参照することで行われる。そして、このステップＳ５３７の処理後、ＣＰＵ３２は、ステップＳ５３９に進み、特定されたサンプル画像をレジスタＲｂに記憶した後、つまり当該レジスタＲｂの内容を更新した後、図４６のステップＳ５１７に戻る。
【０３３９】
一方、フラグＦａに“１”が設定されている場合、ＣＰＵ３２は、ステップＳ５３５からステップＳ５４１に進み、お気に入りファイル６６を参照する。そして、ＣＰＵ３２は、ステップＳ５４３に進み、当該お気に入りファイル６６の参照結果から、レジスタＲｂに記憶されているサンプル画像の３つ前のお気に入りサンプル画像を特定する。そして、このステップＳ５４３の処理後、ＣＰＵ３２は、ステップＳ５３９を経て図４６のステップＳ５１７に戻る。
【０３４０】
また、図４７のステップＳ５３３においてポインタ１２６を後方に向けて移動させることができないと判断した場合、ＣＰＵ３２は、マルチ画面表示をスクロールアップさせるべく、図４８のステップＳ５４５に進む。このステップＳ５４５において、ＣＰＵ３２は、フラグＦａに“１”が設定されているか否かを判断する。ここで、フラグＦａに“１”が設定されていない場合、ＣＰＵ３２は、ステップＳ５４７に進み、レジスタＲｂに記憶されているサンプル画像の３つ後ろのサンプル画像を特定する。この特定は、管理リストファイル７０を参照することで行われる。そして、このステップＳ５４７の処理後、ＣＰＵ３２は、ステップＳ５３９を経て図４６のステップＳ５１７に戻る。
【０３４１】
一方、フラグＦａに“１”が設定されている場合、ＣＰＵ３２は、ステップＳ５４５からステップＳ５４９に進み、お気に入りファイル６６を参照する。そして、ＣＰＵ３２は、ステップＳ５５１に進み、当該お気に入りファイル６６の参照結果から、レジスタＲｂに記憶されているサンプル画像の３つ後ろのお気に入りサンプル画像を特定する。そして、このステップＳ５５１の処理後、ＣＰＵ３２は、ステップＳ５３９を経て図４６のステップＳ５１７に戻る。
【０３４２】
さらに、図４７のステップＳ５２７において十字キー２２の上ボタンとジャンプキー２４とが同時に押下されたと判断すると、ＣＰＵ３２は、マルチ表示されている全てのサムネイル１１８，１１８，・・・を前方に向けて更新させるべく図４８のステップＳ５５３に進む。このステップＳ５５３において、ＣＰＵ３２は、フラグＦａに“１”が設定されているか否かを判断する。ここで、フラグＦａに“１”が設定されていない場合、ＣＰＵ３２は、ステップＳ５５５に進み、管理リストファイル７０を参照して、レジスタＲｂに記憶されているサンプル画像の９つ前のサンプル画像を特定する。そして、このステップＳ５５５の処理後、ＣＰＵ３２は、ステップＳ５３９を経て図４６のステップＳ５１７に戻る。
【０３４３】
一方、フラグＦａに“１”が設定されている場合、ＣＰＵ３２は、ステップＳ５５３からステップＳ５５７に進み、お気に入りファイル６６を参照する。そして、ＣＰＵ３２は、ステップＳ５５９に進み、当該お気に入りファイル６６の参照結果から、レジスタＲｂに記憶されているサンプル画像の９つ前のお気に入りサンプル画像を特定する。そして、このステップＳ５５９の処理後、ＣＰＵ３２は、ステップＳ５３９を経て図４６のステップＳ５１７に戻る。
【０３４４】
また、図４７のステップＳ５２７において十字キー２２の下ボタンとジャンプキー２４とが同時に押下されたと判断すると、ＣＰＵ３２は、マルチ表示されている全てのサムネイル１１８，１１８，・・・を後方に向けて更新させるべく図４８のステップＳ５６１に進む。このステップＳ５６１において、ＣＰＵ３２は、フラグＦａに“１”が設定されているか否かを判断する。ここで、フラグＦａに“１”が設定されていない場合、ＣＰＵ３２は、ステップＳ５６３に進み、管理リストファイル７０を参照して、レジスタＲｂに記憶されているサンプル画像の９つ後ろのサンプル画像を特定する。そして、このステップＳ５６３の処理後、ＣＰＵ３２は、ステップＳ５３９を経て図４６のステップＳ５１７に戻る。
【０３４５】
一方、フラグＦａに“１”が設定されている場合、ＣＰＵ３２は、ステップＳ５６１からステップＳ５６５に進み、お気に入りファイル６６を参照する。そして、ＣＰＵ３２は、ステップＳ５６７に進み、当該お気に入りファイル６６の参照結果から、レジスタＲｂに記憶されているサンプル画像の９つ後ろのお気に入りサンプル画像を特定する。そして、このステップＳ５６７の処理後、ＣＰＵ３２は、ステップＳ５３９を経て図４６のステップＳ５１７に戻る。
【０３４６】
さらに、図４７のステップＳ５２７においてモードキー１８またはセットキー２０が押下されたと判断した場合、ＣＰＵ３２は、ステップＳ５６９に進み、マルチ画面表示を解除する。そして、ＣＰＵ３２は、ステップＳ５７１に進み、マルチ画面上のポインタ１２６によって選択されたサムネイル１１８に対応する画像を再生（フルサイズで表示）した後、図４９のステップＳ５７３に進む。
【０３４７】
このステップＳ５７３において、ＣＰＵ３２は、現在表示されている画像のファイル名をレジスタＲａに記憶する。そして、ＣＰＵ３２は、ステップＳ５７５に進み、当該レジスタＲａに記録された（厳密にはファイル名が記録された）画像に文字入力機能による文字が入力されているか否かを判断する。ここで、文字が入力されていると判断すると、ＣＰＵ３２は、ステップＳ５７７に進み、上述したフラグＦｄに“１”を設定した後、ステップＳ５７９に進む。
【０３４８】
ステップＳ５７９において、ＣＰＵ３２は、入力文字ファイル６８を参照し、入力された文字の内容を認識する。そして、ＣＰＵ３２は、ステップＳ５８１に進み、当該認識した文字をＯＳＤ表示する。これによって、液晶モニタ３０に図２４（ｂ）に示すような画面が表示される。このステップＳ５８１の処理後、ＣＰＵ３２は、ステップＳ５８３に進む。
【０３４９】
なお、ステップＳ５７５において文字が入力されていないと判断した場合、ＣＰＵ３２は、ステップＳ５８５に進む。そして、このステップＳ５８５において、上述のフラグＦｄに“０”を設定した後、ＣＰＵ３２は、ステップＳ５８３に進む。この場合、図２４（ｂ）における文字１００は表示されない。
【０３５０】
ステップＳ５８３において、ＣＰＵ３２は、何らかの操作が成されるのを待つ。そして、何らかの操作が成されると、ＣＰＵ３２は、ステップＳ５８７に進み、当該操作の内容を判別する。ここで、モード選択ダイヤル１４またはメインスイッチ１６が操作された場合、ＣＰＵ３２は、図４６のステップＳ５０７に進み、ここで液晶モニタ３０の画面表示をクリアし、この連写画像再生モードを抜ける。
【０３５１】
一方、ステップＳ５８７において、十字キー２２の右ボタンが押下された場合、ＣＰＵ３２は、図５０のステップＳ５８９に進む。このステップＳ５８９において、ＣＰＵ３２は、上述のフラグＦｄに“１”が設定されているか否か、つまり液晶モニタ３０に文字１００がＯＳＤ表示されているか否かを判断する。ここで、フラグＦｄに“１”が設定されている場合、つまり液晶モニタ３０に文字１００が表示されている場合、ＣＰＵ３２は、ステップＳ５９１に進み、当該文字１００のＯＳＤ表示を解除して、ステップＳ５９３に進む。一方、フラグＦｄに“１”が設定されていない場合、つまり文字１００がＯＳＤ表示されていない場合は、ＣＰＵ３２は、ステップＳ５９１をスキップして直接ステップＳ５９３に進む。
【０３５２】
ステップＳ５９３において、ＣＰＵ３２は、上述したフラグＦａに“１”が設定されているか否かを判断する。ここで、フラグＦａに“１”が設定されていない場合、つまりジャンプ再生モードが設定されていない場合、ＣＰＵ３２は、ステップＳ５９５に進み、レジスタＲａに記憶されている画像と同じフォルダ内に次の画像が存在するか否かを判断する。この判断は、管理リストファイル７０を参照することで行われる。ここで、次の静止画像が存在する場合、ＣＰＵ３２は、ステップＳ５９７に進み、当該次の画像をフルサイズで表示した後、図４９のステップＳ５７３に戻る。一方、次の静止画像が存在しない場合、ＣＰＵ３２は、ステップＳ５９５からステップＳ５９９に進む。そして、このステップＳ５９９において、レジスタＲａに記憶されている画像と同じフォルダ内で撮影日時が最も古い画像をフルサイズで表示した後、図４９のステップＳ５７３に戻る。
【０３５３】
また、ステップＳ５９３においてフラグＦａに“１”が設定されている場合、つまりジャンプ再生モードが設定されている場合、ＣＰＵ３２は、ステップＳ６０１に進み、お気に入りファイル６６を参照する。そして、ＣＰＵ３２は、ステップＳ６０２に進み、当該お気に入りファイル６６の参照結果から、連続撮影モードで記録された次のお気に入り画像が存在するか否かを判断する。ここで、次のお気に入り画像が存在する場合、ＣＰＵ３２は、ステップＳ６０３に進み、当該次のお気に入り画像をフルサイズで表示した後、図４９のステップＳ５７３に戻る。一方、次のお気に入り画像が存在しない場合、ＣＰＵ３２は、ステップＳ６０２からステップＳ６０４に進む。そして、このステップＳ６０４において、連続撮影モードで記録された画像のうち撮影日時が最も古いお気に入り画像をフルサイズで表示した後、図４９のステップＳ５７３に戻る。
【０３５４】
図４９のステップＳ５８７において、十字キー２２の左ボタンが押下されたと判断した場合、ＣＰＵ３２は、図５１のステップＳ６０５に進む。このステップＳ６０５において、ＣＰＵ３２は、フラグＦｄに“１”が設定されているか否かを判断する。ここで、フラグＦｄに“１”が設定されている場合、つまり液晶モニタ３０に文字１００が表示されている場合、ＣＰＵ３２は、ステップＳ６０６に進み、当該文字１００のＯＳＤ表示を解除した後、ステップＳ６０７に進む。一方、フラグＦｄに“１”が設定されていない場合は、ＣＰＵ３２は、ステップＳ６０６をスキップしてステップＳ６０７に直接進む。
【０３５５】
ステップＳ６０７において、ＣＰＵ３２は、上述したフラグＦａに“１”が設定されているか否かを判断する。ここで、フラグＦａに“１”が設定されていない場合、ＣＰＵ３２は、ステップＳ６０８に進み、レジスタＲａに記憶されている画像と同じフォルダ内に１つ前の画像が存在するか否かを判断する。この判断は、管理リストファイル７０を参照することで行われる。ここで、１つ前の画像が存在する場合、ＣＰＵ３２は、ステップＳ６０９に進み、当該１つ前の画像をフルサイズで表示した後、図４９のステップＳ５７３に戻る。一方、１つ前の画像が存在しない場合、ＣＰＵ３２は、ステップＳ６０８からステップＳ６１０に進む。そして、このステップＳ６１０において、レジスタＲａに記憶されている画像と同一フォルダ内で撮影日時が最も新しい画像を表示した後、図４９のステップＳ５７３に戻る。
【０３５６】
また、ステップＳ６０３においてフラグＦａに“１”が設定されている場合、ＣＰＵ３２は、ステップＳ６１１に進み、お気に入りファイル６６を参照する。そして、ＣＰＵ３２は、ステップＳ６１３に進み、当該お気に入りファイル６６の参照結果から連続撮影モードで記録された１つ前のお気に入り画像が存在するか否かを判断する。ここで、１つ前のお気に入り画像が存在する場合、ＣＰＵ３２は、ステップＳ６１５に進み、当該１つ前のお気に入り画像をフルサイズで再生した後、図４９のステップＳ５７３に戻る。一方、１つ前のお気に入り静止画像が存在しない場合、ＣＰＵ３２は、ステップＳ６１３からステップＳ６１７に進む。そして、このステップＳ６１７において、連続撮影モードで記録された画像のうち撮影日時が最も新しいお気に入り画像をフルサイズで表示した後、図４９のステップＳ５７３に戻る。
【０３５７】
さらに、図４９のステップＳ５８７において、ジャンプキー２４が押下された場合、ＣＰＵ３２は、ステップＳ６１９のお気に入り登録処理に進む。このステップＳ６１９において、ＣＰＵ３２は、連続撮影モードで撮影された各画像についてお気に入り画像としての登録または当該登録の解除を行う。このステップＳ６１９における処理の内容については、上述の図３０におけるステップＳ６９（図３５および図３６の各フロー図で示される処理）と同様であるので、ここでは詳しい説明を省略する。
【０３５８】
ＣＰＵ３２は、ステップＳ６１９の処理後、ステップＳ６２１に進み、上述したフラグＦｂに“１”が設定されているか否かを判断する。ここで、フラグＦｂに“１”が設定されている場合、つまりステップＳ６１９の処理中にモード選択ダイヤル１４およびメインスイッチ１６のいずれも操作されていない場合、ＣＰＵ３２は、ステップＳ５７５に戻る。一方、フラグＦｂに“１”が設定されていない場合、つまりステップＳ６１９の処理中にモード選択ダイヤル１４またはメインスイッチ１６が操作された場合、ＣＰＵ３２は、図４６のステップＳ５０７に進む。そして、このステップＳ５０７において液晶モニタ３０の画面表示をクリアし、連写画像再生モードを抜ける。
【０３５９】
また、ステップＳ５８７において、モードキー１８が押下された場合、ＣＰＵ３２は、図５２のステップＳ６２３に進む。このステップＳ６２３において、ＣＰＵ３２は、フラグＦｄに“１”が設定されているか否かを判断する。ここで、フラグＦｄに“１”が設定されている場合、つまり液晶モニタ３０に文字１００が表示されている場合、ＣＰＵ３２は、ステップＳ６２５に進み、当該文字１００のＯＳＤ表示を解除して、ステップＳ６２７に進む。一方、フラグＦｄに“１”が設定されていない場合は、ＣＰＵ３２は、ステップＳ６２５をスキップして直接ステップＳ６２７に進む。
【０３６０】
ステップＳ６２７において、ＣＰＵ３２は、液晶モニタ３０に上述の図２５（ｄ）（または図２６（ｄ））に示す再生設定画面をＯＳＤ表示させる。そして、このステップＳ６２７の処理後、ＣＰＵ３２は、ステップＳ６２９に進み、何らかの操作が成されるのを待つ。何らかの操作が成されると、ＣＰＵ３２は、ステップＳ６３１に進み、当該操作の内容を判別する。
【０３６１】
ここで、モード選択ダイヤル１４またはメインスイッチ１６が操作された場合、ＣＰＵ３２は、図４６のステップＳ５０７を経て、この連写画像再生モードを抜ける。
【０３６２】
一方、モードキー１８が押下された場合、ＣＰＵ３２は、ステップＳ６３１からステップＳ６３３に進む。そして、このステップＳ６３３において、再生設定画面のＯＳＤ表示を解除した後、図４９のステップＳ５７３に戻る。
【０３６３】
さらに、ステップＳ６３１において十字キー２２の上ボタンまたは下ボタンが押下されたと判断すると、ＣＰＵ３２は、ステップＳ６３５に進む。そして、このステップＳ６３５において、当該上ボタンまたは下ボタンの押下に応答して再生設定画面上のカーソル１１６を上下方向に移動させた後、ステップＳ６２９に戻る。
【０３６４】
そして、ステップＳ６３１においてセットキー２０が押下されたと判断すると、ＣＰＵ３２は、図５３のステップＳ６３７に進む。そして、このステップＳ６３７において再生設定画面のＯＳＤ表示を解除した後、ステップＳ６３９に進み、セットキー２０が押下されたときに当該再生設定画面上でカーソル１１６によって選択されていたアイコン１０８，１１０，１１２または１１４を判別する。
【０３６５】
ここで、マルチ表示アイコン１０８が選択された場合、ＣＰＵ３２は、図４６のステップＳ５１７に戻る。
【０３６６】
一方、ステップＳ６３９においてジャンプ再生設定アイコン１１０が選択された場合、ＣＰＵ３２は、ステップＳ６４１のジャンプ再生設定処理に進む。このステップＳ６４１において、ＣＰＵ３２は、ジャンプ再生モードの設定または当該設定の解除を行う。このステップＳ６４１における処理の内容については、上述の図３４におけるステップＳ９３（図４０および図４１の各フロー図で示される処理）と同様であるので、ここでは詳しい説明を省略する。
【０３６７】
ＣＰＵ３２は、ステップＳ６４１の処理後、ステップＳ６４３に進み、上述したフラグＦｂに“１”が設定されているか否かを判断する。ここで、フラグＦｂに“１”が設定されている場合、つまりステップＳ６４１の処理中にモード選択ダイヤル１４およびメインスイッチ１６のいずれも操作されていない場合、ＣＰＵ３２は、図５２のステップＳ６２７に戻る。一方、フラグＦｂに“０”が設定されている場合、つまりステップＳ６４１の処理中にモード選択ダイヤル１４またはメインスイッチ１６が操作された場合、ＣＰＵ３２は、図４６のステップＳ５０７を経てこの連写画像再生モードを抜ける。
【０３６８】
そして、ステップＳ６３９において、リスト表示アイコン１１２が選択されたと判断すると、ＣＰＵ３２は、ステップＳ６４５のリスト表示処理に進む。ＣＰＵ３２がこのステップＳ６４５を処理することによって、液晶モニタ３０に上述の図１８（ａ）に示すファイルリストが表示される。このステップＳ６４５における処理の内容については、上述の図３４におけるステップＳ９７（図４２のフロー図で示される処理）と同様であるので、ここでは詳しい説明を省略する。このステップＳ６４５の処理後、ＣＰＵ３２は、上述のステップＳ６４３に進む。
【０３６９】
また、ステップＳ６３９において、消去アイコン１１４が選択されたと判断した場合、ＣＰＵ３２は、ステップＳ６４７の消去処理に進む。このステップＳ６４７において、ＣＰＵ３２は、メモリカード６２に記録されている任意の画像ファイル（または音声ファイル）を消去する。このステップＳ６４７における処理の内容については、上述のステップＳ９９（図４３〜図４５の各フロー図で示される処理）と同様であるので、ここでは詳しい説明を省略する。後で詳しく説明する。
【０３７０】
ＣＰＵ３２は、ステップＳ６４７の処理後、ステップＳ６４９に進み、上述したフラグＦｃに“０”が設定されているか否かを判断する。ここで、フラグＦｃに“１”が設定されている場合、つまりステップＳ６４７の処理後も現在選択されている再生モードで再生可能な画像ファイルが残っている場合、ＣＰＵ３２は、上述のステップＳ６４３に進む。一方、フラグＦｃに“０”が設定されている場合、つまりステップＳ６４７の処理によって現在選択されている再生モードで再生可能な画像ファイルが全て消去された場合、ＣＰＵ３２は、図４６のステップＳ５０３に進む。これによって、液晶モニタ３０に上述の図１９（ｆ）に示すメッセージ画面が表示される。
【０３７１】
なお、図４７のステップＳ５２７において、ジャンプキー２４が選択されたと判断すると、ＣＰＵ３２は、ステップＳ６５１に進む。そして、このステップＳ６５１において、マルチ画面表示を解除した後、ステップＳ６５３に進む。そして、ＣＰＵ３２は、このステップＳ６５３において、マルチ画面上でポインタ１２６によって選択されたサムネイル１１８に対応する画像を、液晶モニタ３０にフルサイズで表示する。そして、ＣＰＵ３２は、ステップＳ６５５に進み、現在表示されている画像をレジスタＲａに記憶する。
【０３７２】
ステップＳ６５５の処理後、ＣＰＵ３２は、ステップＳ６５７のお気に入り登録処理に進む。このステップＳ６５７において、ＣＰＵ３２は、連続撮影モードで撮影された各画像についてお気に入り画像としての登録または当該登録の解除を行う。このステップＳ６５７における処理の内容は、上述のステップＳ６１９と同様であるので、ここでは詳しい説明を省略する。
【０３７３】
そして、ＣＰＵ３２は、ステップＳ６５７の処理後、ステップＳ６５９に進み、上述したフラグＦｂに“１”が設定されているか否かを判断する。ここで、フラグＦｂに“１”が設定されている場合、つまりステップＳ６５７の処理中にモード選択ダイヤル１４およびメインスイッチ１６のいずれも操作されていない場合、ＣＰＵ３２は、図４６のステップＳ５１７に戻る。一方、フラグＦｂに“０”が設定されている場合、つまりステップＳ６５７の処理中にモード選択ダイヤル１４またはメインスイッチ１６が操作された場合、ＣＰＵ３２は、図４６のステップＳ５０７を経てこの連写画像再生モードを抜ける。
【０３７４】
次に、動画像再生モードにおけるＣＰＵ３２の動作について説明する。この動画像再生モードにおいては、ＣＰＵ３２は、上述した制御プログラムに従って、図５４〜図６２のフロー図で示される各処理を実行する。
【０３７５】
すなわち、動画像再生モードが選択されると、ＣＰＵ３２は、図５４のステップＳ７０１に進み、メモリカード６２内に動画像撮影モードで記録された画像ファイルが存在するか否かを判断する。この判断は、管理リストファイル７０を参照して行われる。
【０３７６】
ここで、メモリカード６２内に動画像撮影モードで記録された画像ファイルが存在しない場合、ＣＰＵ３２は、ステップＳ７０１からステップＳ７０３に進み、液晶モニタ３０に、上述した図１９（ｆ）に示すメッセージ画面をＯＳＤ表示させる。そして、ＣＰＵ３２は、ステップＳ７０５に進み、モード選択ダイヤル１４またはメインスイッチ１６が操作されるのを待つ。
【０３７７】
ステップＳ７０５においてモード選択ダイヤル１４またはメインスイッチ１６が操作されると、ＣＰＵ３２は、ステップＳ７０７に進む。そして、このステップＳ７０７において、ＣＰＵ３２は、現在、液晶モニタ３０に表示されている画面の内容を全てクリアして、この動画像再生モードを抜ける。
【０３７８】
一方、ステップＳ７０１において、動画像撮影モードで記録された画像ファイルがメモリカード６２内にあると判断した場合、ＣＰＵ３２は、ステップＳ７０９に進む。このステップＳ７０９において、ＣＰＵ３２は、初期設定を行い、具体的には上述したフラグＦａに“０”を設定するとともに、フラグＦｂおよびＦｃの各々に“１”を設定する。
【０３７９】
ステップＳ７０９の処理後、ＣＰＵ３２は、ステップＳ７１１に進み、上述したサンプル画像を抽出し、抽出されたサンプル画像のファイル名を、レジスタＲｄに記憶する。なお、サンプル画像の特定は、管理リストファイル７０を参照することで行われる。
【０３８０】
ステップＳ７１１の処理後、ＣＰＵ３２は、ステップＳ７１５に進む。そして、このステップＳ７１５において、ＣＰＵ３２は、上述のレジスタＲｄに（ファイル名が）記憶されたサンプル画像のうち、撮影日時が後ろから９番目のサンプル画像を特定する。そして、ＣＰＵ３２は、ステップＳ７１５に進み、当該特定されたサンプル画像をレジスタＲｂに記憶する。
【０３８１】
ステップＳ７１５の処理後、ＣＰＵ３２は、ステップＳ７１７に進み、上述したフラグＦａに“１”が設定されているか否かを判断する。ここで、フラグＦａに“１”が設定されていない場合、つまりジャンプ再生モードが設定されていない場合、ＣＰＵ３２は、ステップＳ７１９に進み、レジスタＲｂに記憶されている画像以降に動画像撮影モードで撮影された９フレーム（コマ）分の画像のサムネイル１１８，１１８，・・・を、上述の図２７（ａ）に示すようにマルチ表示する。なお、これら９フレーム分の画像は、管理リストファイル７０を参照することで特定される。このステップＳ７１９の処理後、ＣＰＵ３２は、図５５のステップＳ７２１に進む。
【０３８２】
一方、図５４のステップＳ７１７においてフラグＦａに“１”が設定されている場合、つまりジャンプ再生モードが設定されている場合、ＣＰＵ３２は、ステップＳ７２３に進み、お気に入りファイル６６を参照する。そして、ＣＰＵ３２は、ステップＳ７２５に進み、当該お気に入りファイル６６の参照結果から、レジスタＲｂに記憶されているお気に入り画像以降に動画像撮影モードで撮影された９フレーム分のお気に入り画像を特定し、特定されたお気に入り画像のサムネイルを、上述の図２９（ｅ）に示すようにマルチ表示する。このステップＳ７２５の処理後、ＣＰＵ３２は、図５５のステップＳ７２１に進む。
【０３８３】
このステップＳ７２１において、ＣＰＵ３２は、何らかの操作が成されるのを待つ。そして、何らかの操作が成されると、ステップＳ７２７に進み、当該操作の内容を判別する。
【０３８４】
ここで、モード選択ダイヤル１４またはメインスイッチ１６が操作された場合、ＣＰＵ３２は、図５４のステップＳ７０７に進む。そして、このステップＳ７０７において、液晶モニタ３０の画面表示をクリアして、動画像再生モードを抜ける。
【０３８５】
一方、ステップＳ７２７において十字キー２２が操作（上下左右のいずれかのボタンが押下）されたと判断すると、ＣＰＵ３２は、ステップＳ７２９に進む。そして、このステップＳ７２９において、当該十字キー２２の操作に応じてマルチ画面上のポインタ１２６を移動させることができるか否か、換言すればマルチ画面をスクロールさせる必要があるか否かを判断する。ここで、ポインタ１２６を移動させることができる場合、ＣＰＵ３２は、ステップＳ７３１に進み、十字キー２２の操作に応じてポインタ１２６を移動させた後、ステップＳ７２１に戻る。
【０３８６】
これに対し、ステップＳ７２９においてポインタ１２６を移動させることが不可能であると判断した場合には、ＣＰＵ３２は、ステップＳ７３３に進む。そして、このステップＳ７３３において、ポインタ１２６を前方（マルチ画面において上方）および後方（マルチ画面において下方）のいずれに移動させることができないのかを判断する。ここで、ポインタ１２６を前方に向けて移動させることができない場合、ＣＰＵ３２は、マルチ画面表示をスクロールダウンさせるべく、図５６のステップＳ７３５に進む。
【０３８７】
このステップＳ７３５において、ＣＰＵ３２は、フラグＦａに“１”が設定されているか否かを判断する。ここで、フラグＦａに“１”が設定されていない場合、ＣＰＵ３２は、ステップＳ７３７に進み、レジスタＲｂに記憶されているサンプル画像の３つ前のサンプル画像を特定する。この特定は、管理リストファイル７０を参照することで行われる。そして、このステップＳ７３７の処理後、ＣＰＵ３２は、ステップＳ７３９に進み、特定されたサンプル画像をレジスタＲｂに記憶した後、つまり当該レジスタＲｂの内容を更新した後、図５４のステップＳ７１７に戻る。
【０３８８】
一方、フラグＦａに“１”が設定されている場合、ＣＰＵ３２は、ステップＳ７３５からステップＳ７４１に進み、お気に入りファイル６６を参照する。そして、ＣＰＵ３２は、ステップＳ７４３に進み、当該お気に入りファイル６６の参照結果から、レジスタＲｂに記憶されているサンプル画像の３つ前のお気に入りサンプル画像を特定する。そして、このステップＳ７４３の処理後、ＣＰＵ３２は、ステップＳ７３９を経て図５４のステップＳ７１７に戻る。
【０３８９】
また、図５５のステップＳ７３３においてポインタ１２６を後方に向けて移動させることができないと判断した場合、ＣＰＵ３２は、マルチ画面表示をスクロールアップさせるべく、図５６のステップＳ７４５に進む。このステップＳ７４５において、ＣＰＵ３２は、フラグＦａに“１”が設定されているか否かを判断する。ここで、フラグＦａに“１”が設定されていない場合、ＣＰＵ３２は、ステップＳ７４７に進み、レジスタＲｂに記憶されているサンプル画像の３つ後ろのサンプル画像を特定する。この特定は、管理リストファイル７０を参照することで行われる。そして、このステップＳ７４７の処理後、ＣＰＵ３２は、ステップＳ７３９を経て図５４のステップＳ７１７に戻る。
【０３９０】
一方、フラグＦａに“１”が設定されている場合、ＣＰＵ３２は、ステップＳ７４５からステップＳ７４９に進み、お気に入りファイル６６を参照する。そして、ＣＰＵ３２は、ステップＳ７５１に進み、当該お気に入りファイル６６の参照結果から、レジスタＲｂに記憶されているサンプル画像の３つ後ろのお気に入りサンプル画像を特定する。そして、このステップＳ７５１の処理後、ＣＰＵ３２は、ステップＳ７３９を経て図５４のステップＳ７１７に戻る。
【０３９１】
さらに、図４５のステップＳ７２７において十字キー２２の上ボタンとジャンプキー２４とが同時に押下されたと判断すると、ＣＰＵ３２は、マルチ表示されている全てのサムネイル１１８，１１８，・・・を前方に向けて更新させるべく図５６のステップＳ７５３に進む。このステップＳ７５３において、ＣＰＵ３２は、フラグＦａに“１”が設定されているか否かを判断する。ここで、フラグＦａに“１”が設定されていない場合、ＣＰＵ３２は、ステップＳ７５５に進み、管理リストファイル７０を参照して、レジスタＲｂに記憶されているサンプル画像の９つ前のサンプル画像を特定する。そして、このステップＳ７５５の処理後、ＣＰＵ３２は、ステップＳ７３９を経て図５４のステップＳ７１７に戻る。
【０３９２】
一方、フラグＦａに“１”が設定されている場合、ＣＰＵ３２は、ステップＳ７５３からステップＳ７５７に進み、お気に入りファイル６６を参照する。そして、ＣＰＵ３２は、ステップＳ７５９に進み、当該お気に入りファイル６６の参照結果から、レジスタＲｂに記憶されているサンプル画像の９つ前のお気に入りサンプル画像を特定する。そして、このステップＳ７５９の処理後、ＣＰＵ３２は、ステップＳ７３９を経て図５４のステップＳ７１７に戻る。
【０３９３】
また、図５５のステップＳ７２７において十字キー２２の下ボタンとジャンプキー２４とが同時に押下されたと判断すると、ＣＰＵ３２は、マルチ表示されている全てのサムネイル１１８，１１８，・・・を後方に向けて更新させるべく図５６のステップＳ７６１に進む。このステップＳ７６１において、ＣＰＵ３２は、フラグＦａに“１”が設定されているか否かを判断する。ここで、フラグＦａに“１”が設定されていない場合、ＣＰＵ３２は、ステップＳ７６３に進み、管理リストファイル７０を参照して、レジスタＲｂに記憶されているサンプル画像の９つ後ろのサンプル画像を特定する。そして、このステップＳ７６３の処理後、ＣＰＵ３２は、ステップＳ７３９を経て図５４のステップＳ７１７に戻る。
【０３９４】
一方、フラグＦａに“１”が設定されている場合、ＣＰＵ３２は、ステップＳ７６１からステップＳ７６５に進み、お気に入りファイル６６を参照する。そして、ＣＰＵ３２は、ステップＳ７６７に進み、当該お気に入りファイル６６の参照結果から、レジスタＲｂに記憶されているサンプル画像の９つ後ろのお気に入りサンプル画像を特定する。そして、このステップＳ７６７の処理後、ＣＰＵ３２は、ステップＳ７３９を経て図５４のステップＳ７１７に戻る。
【０３９５】
さらに、図５５のステップＳ７２７においてモードキー１８またはセットキー２０が押下されたと判断した場合、ＣＰＵ３２は、ステップＳ７６９に進み、マルチ画面表示を解除する。そして、ＣＰＵ３２は、ステップＳ７７１に進み、マルチ画面上のポインタ１２６によって選択されたサムネイル１１８に対応する画像を再生（フルサイズで表示）した後、図５７のステップＳ７７３に進む。
【０３９６】
このステップＳ７７３において、ＣＰＵ３２は、現在表示されている画像のファイル名をレジスタＲａに記憶する。そして、ＣＰＵ３２は、ステップＳ７７５に進み、当該レジスタＲａに記録された（厳密にはファイル名が記録された）画像の情報、具体的には撮影日時およびシリアル番号を表す各文字列１０２および１０４をＯＳＤ表示する。また、当該画像がお気に入り画像である場合には、“＊”印をＯＳＤ表示する。これによって、液晶モニタ３０に図２７（ｂ）に示すような画面が表示される。
【０３９７】
このステップＳ７７５の処理後、ＣＰＵ３２は、ステップＳ７７７に進み、何らかの操作が成されるのを待つ。そして、何らかの操作が成されると、ＣＰＵ３２は、ステップＳ７７９に進み、当該操作の内容を判別する。ここで、モード選択ダイヤル１４またはメインスイッチ１６が操作された場合、ＣＰＵ３２は、図５４のステップＳ７０７を経て動画像再生モードを抜ける。
【０３９８】
一方、ステップＳ７７９において、十字キー２２の右ボタンが押下された場合、ＣＰＵ３２は、図５８のステップＳ７８１に進む。このステップＳ７８１において、ＣＰＵ３２は、上述の撮影日時やシリアル番号などの画像情報のＯＳＤ表示を解除する。そして、ＣＰＵ３２は、ステップＳ７８３に進み、上述したフラグＦａに“１”が設定されているか否かを判断する。
【０３９９】
ここで、フラグＦａに“１”が設定されていない場合、つまりジャンプ再生モードが設定されていない場合、ＣＰＵ３２は、ステップＳ７８５に進み、レジスタＲａに記憶されている画像と同じ動画像（動画クリップ）内に次のフレーム画像が存在するか否かを判断する。この判断は、管理リストファイル７０を参照することで行われる。ここで、次のフレーム画像が存在する場合、ＣＰＵ３２は、ステップＳ７８７に進み、当該次のフレーム画像をフルサイズで表示した後、図５７のステップＳ７７３に戻る。
【０４００】
一方、次のフレーム画像が存在しない場合、ＣＰＵ３２は、ステップＳ７８５からステップＳ７８９に進む。そして、このステップＳ７８９において、レジスタＲａに記憶されているフレーム画像と同じ動画像内の先頭フレームの画像をフルサイズで表示した後、図５７のステップＳ７７３に戻る。
【０４０１】
また、ステップＳ７８３においてフラグＦａに“１”が設定されている場合、つまりジャンプ再生モードが設定されている場合、ＣＰＵ３２は、ステップＳ７９１に進み、お気に入りファイル６６を参照する。そして、ＣＰＵ３２は、ステップＳ７９３に進み、当該お気に入りファイル６６の参照結果から、レジスタＲａに記憶されている画像と同じ動画像内に次のお気に入り画像が存在するか否かを判断する。ここで、次のお気に入り画像が存在する場合、ＣＰＵ３２は、ステップＳ７９５に進み、当該次のお気に入り画像をフルサイズで表示し、図５７のステップＳ７７３に戻る。
【０４０２】
一方、次のお気に入り画像が存在しない場合、ＣＰＵ３２は、ステップＳ７９３からステップＳ７９７に進む。そして、このステップＳ７９７において、レジスタＲａに記憶されているフレーム画像と同じ動画像に含まれるお気に入り画像のうち先頭のお気に入り画像をフルサイズで表示し、図５７のステップＳ７７３に戻る。
【０４０３】
図５７のステップＳ７７９において、十字キー２２の左ボタンが押下されたと判断すると、ＣＰＵ３２は、図５９のステップＳ７９９に進む。このステップＳ７９９において、ＣＰＵ３２は、上述の撮影日時やシリアル番号などの画像情報のＯＳＤ表示を解除する。そして、ＣＰＵ３２は、ステップＳ８０１に進み、上述したフラグＦａに“１”が設定されているか否かを判断する。
【０４０４】
ここで、フラグＦａに“１”が設定されていない場合、つまりジャンプ再生モードが設定されていない場合、ＣＰＵ３２は、ステップＳ８０３に進み、レジスタＲａに記憶されている画像と同じ動画像内に１つ前のフレーム画像が存在するか否かを判断する。この判断は、管理リストファイル７０を参照することで行われる。ここで、１つ前のフレーム画像が存在する場合、ＣＰＵ３２は、ステップＳ８０５に進み、当該１つ前のフレーム画像をフルサイズで表示した後、図５７のステップＳ７７３に戻る。
【０４０５】
一方、１つ前のフレーム画像が存在しない場合、ＣＰＵ３２は、ステップＳ８０３からステップＳ８０７に進む。そして、このステップＳ８０７において、レジスタＲａに記憶されているフレーム画像と同じ動画像内の最後尾フレームの画像をフルサイズで表示した後、図５７のステップＳ７７３に戻る。
【０４０６】
また、ステップＳ８０１においてフラグＦａに“１”が設定されている場合、つまりジャンプ再生モードが設定されている場合、ＣＰＵ３２は、ステップＳ８０９に進み、お気に入りファイル６６を参照する。そして、ＣＰＵ３２は、ステップＳ８１１に進み、当該お気に入りファイル６６の参照結果から、レジスタＲａに記憶されている画像と同じ動画像内に１つ前のお気に入り画像が存在するか否かを判断する。ここで、１つ前のお気に入り画像が存在する場合、ＣＰＵ３２は、ステップＳ８１３に進み、当該１つ前のお気に入り画像をフルサイズで表示し、図５７のステップＳ７７３に戻る。
【０４０７】
一方、１つ前のお気に入り画像が存在しない場合、ＣＰＵ３２は、ステップＳ８１１からステップＳ８１５に進む。そして、このステップＳ８１５において、レジスタＲａに記憶されているフレーム画像と同じ動画像に含まれるお気に入り画像のうち最後尾のお気に入り画像をフルサイズで表示し、図５７のステップＳ７７３に戻る。
【０４０８】
さらに、図５７のステップＳ７７９において、ジャンプキー２４が押下された場合、ＣＰＵ３２は、ステップＳ８１７のお気に入り登録処理に進む。このステップＳ８１７において、ＣＰＵ３２は、動画像を構成する個々のフレーム画像についてお気に入り画像として登録または当該登録の解除を行う。このステップＳ８１７における処理の内容については、上述の図３０におけるステップＳ６９（図３５および図３６の各フロー図で示される処理）と同様であるので、ここでは詳しい説明を省略する。
【０４０９】
ＣＰＵ３２は、ステップＳ８１７の処理後、ステップＳ８１９に進み、上述したフラグＦｂに“１”が設定されているか否かを判断する。ここで、フラグＦｂに“１”が設定されている場合、つまりステップＳ８１７の処理中にモード選択ダイヤル１４およびメインスイッチ１６のいずれも操作されていない場合、ＣＰＵ３２は、ステップＳ７７５に戻る。一方、フラグＦｂに“１”が設定されていない場合、つまりステップＳ８１７の処理中にモード選択ダイヤル１４またはメインスイッチ１６が操作された場合、ＣＰＵ３２は、図５４のステップＳ７０７を経て、動画像再生モードを抜ける。
【０４１０】
また、ステップＳ７７９において、モードキー１８が押下された場合、ＣＰＵ３２は、図６０のステップＳ８２１に進む。このステップＳ８２１において、ＣＰＵ３２は、液晶モニタ３０に上述の図２９（ｄ）（または図２８（ｈ））に示す再生設定画面をＯＳＤ表示させる。そして、このステップＳ８２１の処理後、ＣＰＵ３２は、ステップＳ８２３に進み、何らかの操作が成されるのを待つ。何らかの操作が成されると、ＣＰＵ３２は、ステップＳ８２５に進み、当該操作の内容を判別する。
【０４１１】
ここで、モード選択ダイヤル１４またはメインスイッチ１６が操作された場合、ＣＰＵ３２は、図５４のステップＳ５０７を経て、この動画像再生モードを抜ける。
【０４１２】
一方、モードキー１８が押下された場合、ＣＰＵ３２は、ステップＳ８２５からステップＳ８２７に進む。そして、このステップＳ８２７において、再生設定画面のＯＳＤ表示を解除した後、図５７のステップＳ７７３に戻る。
【０４１３】
さらに、ステップＳ８２５において十字キー２２の上ボタンまたは下ボタンが押下されたと判断すると、ＣＰＵ３２は、ステップＳ８２９に進む。そして、このステップＳ８２９において、当該上ボタンまたは下ボタンの押下に応答して再生設定画面上のカーソル１１６を上下方向に移動させた後、ステップＳ８２３に戻る。
【０４１４】
そして、ステップＳ８２５においてセットキー２０が押下されたと判断すると、ＣＰＵ３２は、図６１のステップＳ８３１に進む。そして、このステップＳ８３１において再生設定画面のＯＳＤ表示を解除した後、ステップＳ８３３に進み、セットキー２０が押下されたときに当該再生設定画面上でカーソル１１６によって選択されていたアイコン１０８，１１０，１１２または１１４を判別する。
【０４１５】
ここで、マルチ表示アイコン１０８が選択された場合、ＣＰＵ３２は、図５４のステップＳ７１７に戻る。
【０４１６】
一方、ステップＳ８３３においてジャンプ再生設定アイコン１１０が選択されたと判断した場合、ＣＰＵ３２は、ステップＳ８３５のジャンプ再生設定処理に進む。このステップＳ８３５において、ＣＰＵ３２は、ジャンプ再生モードの設定または当該設定の解除を行う。このステップＳ８３５における処理の内容については、上述の図３４におけるステップＳ９３（図４０および図４１の各フロー図で示される処理）と同様であるので、ここでは詳しい説明を省略する。
【０４１７】
ＣＰＵ３２は、ステップＳ８３５の処理後、ステップＳ８３７に進み、上述したフラグＦｂに“１”が設定されているか否かを判断する。ここで、フラグＦｂに“１”が設定されている場合、つまりステップＳ８３５の処理中にモード選択ダイヤル１４およびメインスイッチ１６のいずれも操作されていない場合、ＣＰＵ３２は、図６０のステップＳ８２１に戻る。一方、フラグＦｂに“０”が設定されている場合、つまりステップＳ８３５の処理中にモード選択ダイヤル１４またはメインスイッチ１６が操作された場合、ＣＰＵ３２は、図５４のステップＳ７０７を経てこの動画像再生モードを抜ける。
【０４１８】
そして、ステップＳ８３３において、リスト表示アイコン１１２が選択されたと判断すると、ＣＰＵ３２は、ステップＳ８３９のリスト表示処理に進む。ＣＰＵ３２がこのステップＳ８３９を処理することによって、液晶モニタ３０に上述の図１８（ａ）に示すファイルリストが表示される。このステップＳ８３９における処理の内容については、上述の図３４におけるステップＳ９７（図４２のフロー図で示される処理）と同様であるので、ここでは詳しい説明を省略する。このステップＳ８３９の処理後、ＣＰＵ３２は、上述のステップＳ８３７に進む。
【０４１９】
また、ステップＳ８３３において、消去アイコン１１４が選択されたと判断した場合、ＣＰＵ３２は、ステップＳ８４１の消去処理に進む。このステップＳ８４１において、ＣＰＵ３２は、メモリカード６２に記録されている任意の画像ファイル（または音声ファイル）を消去する。このステップＳ８４１における処理の内容については、上述の図３４におけるステップＳ９９（図４３〜図４５の各フロー図で示される処理）と同様であるので、ここでは詳しい説明を省略する。後で詳しく説明する。
【０４２０】
ＣＰＵ３２は、ステップＳ８４１の処理後、ステップＳ８４３に進み、上述したフラグＦｃに“０”が設定されているか否かを判断する。ここで、フラグＦｃに“１”が設定されている場合、つまりステップＳ８４１の処理後も現在選択されている再生モードで再生可能な画像ファイルが残っている場合、ＣＰＵ３２は、上述のステップＳ８３７に進む。一方、フラグＦｃに“０”が設定されている場合、つまりステップＳ８４１の処理によって現在選択されている再生モードで再生可能な画像ファイルが全て消去された場合、ＣＰＵ３２は、図５４のステップＳ７０３に進む。これによって、液晶モニタ３０に上述の図１９（ｆ）に示すメッセージ画面が表示される。
【０４２１】
さらに、図５７のステップＳ７７９においてセットキー２０が押下されたと判断すると、ＣＰＵ３２は、図６２のステップＳ８４５に進む。このステップＳ８４５において、ＣＰＵ３２は、レジスタＲａに記録されている画像（動画像）に文字入力機能による文字が入力されているか否かを判断する。ここで、文字が入力されていると判断すると、ＣＰＵ３２は、ステップＳ８４７に進み、上述したフラグＦｄに“１”を設定した後、ステップＳ８４９に進む。
【０４２２】
ステップＳ８４９において、ＣＰＵ３２は、入力文字ファイル６８を参照し、入力された文字の内容を認識する。そして、ＣＰＵ３２は、ステップＳ８５１に進み、当該認識した文字をＯＳＤ表示する。これによって、液晶モニタ３０に上述の図２８（ｄ）（または図２８（ｆ））に示すような画面が表示される。このステップＳ８５１の処理後、ＣＰＵ３２は、ステップＳ８５３に進む。
【０４２３】
なお、ステップＳ８４５において文字が入力されていないと判断した場合、ＣＰＵ３２は、ステップＳ８５５に進む。そして、このステップＳ８５５において、上述のフラグＦｄに“０”を設定した後、ＣＰＵ３２は、ステップＳ８５３に進む。この場合、図２８（ｄ）における文字１００は表示されない。
【０４２４】
ステップＳ８５３において、ＣＰＵ３２は、レジスタＲａに記憶されているフレーム画像から動画像の再生を開始する。そして、このステップＳ８５３の処理後、ＣＰＵ３２は、ステップＳ８５７に進み、セットキー２０が押下されたか否かを判断する。ここで、セットキー２０が押下されていないとき、ＣＰＵ３２は、さらにステップＳ８５９に進み、動画像の再生が終了したか否か、換言すれば最後尾フレームが表示されたか否かを判断する。このステップＳ８５９において動画像の再生が終了していないと判断すると、ＣＰＵ３２は、さらにステップＳ８６１に進み、モード選択ダイヤル１４またはメインスイッチ１６が操作されたか否かを判断する。ここで、これらモード選択ダイヤル１４およびメインスイッチ１６のいずれも操作されていない場合、ＣＰＵ３２は、ステップＳ８５７に戻る。
【０４２５】
一方、ステップＳ８５７においてセットキー２０が押下されたと判断するか、若しくはステップＳ８５９において動画像の再生が終了したと判断すると、ＣＰＵ３２は、ステップＳ８６３に進む。そして、このステップＳ８６３において、ＣＰＵ３２は、動画像の再生を停止させる。
【０４２６】
そして、ＣＰＵ３２は、ステップＳ８６５に進み、フラグＦｄに“１”が設定されているか否かを判断する。ここで、フラグＦｄに“１”が設定されている場合、つまり文字１００がＯＳＤ表示されている場合、ＣＰＵ３２は、ステップＳ８６７において、当該文字１００のＯＳＤ表示を解除した後、図５７のステップＳ７７３に戻る。一方、フラグＦｄに“１”が設定されていない場合、ＣＰＵ３２は、ステップＳ８６７をスキップして、図５７のステップＳ７７３に戻る。
【０４２７】
また、上述のステップＳ８６１においてモード選択ダイヤル１４およびメインスイッチ１６のいずれかが操作された場合、ＣＰＵ３２は、図５４のステップＳ７０７に進む。そして、このステップＳ７０７において、液晶モニタ３０の画面表示をクリアして、この動画像再生モードを抜ける。
【０４２８】
なお、図５５のステップＳ７２７において、ジャンプキー２４が選択されたと判断すると、ＣＰＵ３２は、ステップＳ８６９に進む。そして、このステップＳ８６９において、マルチ画面表示を解除した後、ステップＳ８７１に進む。そして、ＣＰＵ３２は、このステップＳ８７１において、マルチ画面上でポインタ１２６によって選択されたサムネイル１１８に対応する画像を、液晶モニタ３０にフルサイズで表示する。そして、ＣＰＵ３２は、ステップＳ８７３に進み、現在表示されている画像をレジスタＲａに記憶する。
【０４２９】
ステップＳ８７３の処理後、ＣＰＵ３２は、ステップＳ８７５のお気に入り登録処理に進む。このステップＳ８７５において、ＣＰＵ３２は、動画像を構成するフレーム画像毎にお気に入り画像としての登録または当該登録の解除を行う。このステップＳ８７５における処理の内容は、上述のステップＳ８１７と同様であるので、ここでは詳しい説明を省略する。
【０４３０】
ステップＳ８７５の処理後、ＣＰＵ３２は、ステップＳ８７７に進み、上述したフラグＦｂに“１”が設定されているか否かを判断する。ここで、フラグＦｂに“１”が設定されている場合、つまりステップＳ８７５の処理中にモード選択ダイヤル１４およびメインスイッチ１６のいずれも操作されていない場合、ＣＰＵ３２は、図５４のステップＳ７１７に戻る。一方、フラグＦｂに“０”が設定されている場合、つまりステップＳ８７５の処理中にモード選択ダイヤル１４またはメインスイッチ１６が操作された場合、ＣＰＵ３２は、図５４のステップＳ７０７を経てこの動画像再生モードを抜ける。
【０４３１】
以上の説明から判るように、この実施例のディジタルカメラ１０によれば、静止画像再生モード，連写画像再生モードおよび動画像再生モードのいずれの再生モードにおいても、ジャンプ再生モードが設定されたとき、お気に入り画像として登録された画像のみが再生対象となる。したがって、オペレータは、自分の気に入った画像を予めお気に入り画像として登録しておけば、当該お気に入り画像を容易に再生することができ、希望の画像を検索するのに要する時間が短縮される。
【０４３２】
なお、この実施例では、静止画像撮影モードおよび連続撮影モードで撮影された画像についてはＪＰＥＧ方式に従って圧縮し、動画像撮影モードで撮影された画像についてはクイック・タイム・ムービ方式に従って圧縮したが、これ以外の圧縮方式を採用してもよい。
【０４３３】
また、それぞれの画像に入力された文字を入力文字ファイル６８に格納するようにしたが、これに限らない。たとえば、静止画像撮影モードおよび連続撮影モードで撮影される画像については、ＪＰＥＧ圧縮画像ファイルのアプリケーション・マーカ・セグメントに当該文字のデータを埋め込んでもよい。さらに、動画像撮影モードで撮影される動画像については、ムービファイルのユーザ定義データアトムに当該文字のデータを格納してもよい。
【０４３４】
そして、マルチ画像表示においては、９つのサムネイル１１８，１１８，・・・が表示されるようにしたが、これ以外の数のサムネイル１１８，１１８，・・・が表示されるようにしてもよい。また、当該マルチ画面表示がスクロールする際に更新されるサムネイル１１８，１１８，・・・の数は、３に限らない。
【図面の簡単な説明】
【０４３５】
【図１】この発明の一実施例の概略構成を示すブロック図である。
【図２】図１の実施例のディジタルカメラの背面図である。
【図３】図１におけるメモリカード内のディレクトリ構造を示す図解図である。
【図４】図１の実施例において静止画像撮影モードで記録された任意の画像ファイルにお気に入り符号が付された状態を概念的に示す図解図である。
【図５】図１の実施例において静止画像撮影モードまたは連続撮影モードで記録されたＪＰＥＧ圧縮画像ファイルの構造を示す図解図である。
【図６】図１の実施例において連続撮影モードで記録された任意の画像ファイルにお気に入り符号が付された状態を概念的に示す図解図である。
【図７】図１の実施例において動画像撮影モードで記録された画像ファイルの任意のフレーム画像にお気に入り符号が付された状態を概念的に示す図解図である。
【図８】図１の実施例において動画像撮影モード記録されたムービファイルの構造を示す図解図である。
【図９】図１の実施例におけるお気に入りファイルの内容を概念的に示す図解図である。
【図１０】図１の実施例における入力文字ファイルの内容を概念的に示す図解図である。
【図１１】図１の実施例における管理リストファイルの内容を概念的に示す図解図である。
【図１２】図１の実施例における静止画像再生モードでの画面の表示例を示す図解図である。
【図１３】図１の実施例における静止画像再生モードでの画面表示の遷移状態を示す図解図である。
【図１４】図１２とは異なる態様の画面の表示例を示す図解図である。
【図１５】図１の実施例においてジャンプ再生モードを設定するときの画面の表示例を示す図解図である。
【図１６】図１の実施例における静止画像再生モードにおいてジャンプ再生モードが設定されたときの画面の表示例を示す図解図である。
【図１７】図１の実施例においてジャンプ再生モードを解除するときの画面の表示例を示す図解図である。
【図１８】図１の実施例においてファイルリストが表示されたときの画面の表示例を示す図解図である。
【図１９】図１の実施例において任意のファイルを消去するときの画面の表示例を示す図解図である。
【図２０】図１の実施例においてお気に入り画像を登録するときの画面の表示例を示す図解図である。
【図２１】図２０とは別の手順でお気に入り画像を登録するときの画面の表示例を示す図解図である。
【図２２】図１の実施例においてお気に入り画像の登録を解除するときの画面の表示例を示す図解図である。
【図２３】図２２とは別の手順でお気に入り画像の登録を解除するときの画面の表示例を示す図解図である。
【図２４】図１の実施例における連写画像再生モードでの画面の表示例を示す図解図である。
【図２５】図２４とは異なる態様の画面の表示例を示す図解図である。
【図２６】図１の実施例における連写画像再生モードにおいてジャンプ再生モードが設定されたときの画面の表示例を示す図解図である。
【図２７】図１の実施例における動画像再生モードでの画面の表示例を示す図解図である。
【図２８】図１の実施例における動画像再生モードにおいて動画像が再生されているときの画面の表示例を示す図解図である。
【図２９】図１の実施例における動画像再生モードにおいてジャンプ再生モードが設定されたときの画面の表示例を示す図解図である。
【図３０】図１の実施例において静止画像再生モードが選択されたときのＣＰＵの動作を示すフロー図である。
【図３１】図３０に続くフロー図である。
【図３２】図３０に続く図３１とは別のフロー図である。
【図３３】図３０に続くさらに別のフロー図である。
【図３４】図３３に続くフロー図である。
【図３５】図３０におけるお気に入り登録処理の詳細を示すフロー図である。
【図３６】図３５に続くフロー図である。
【図３７】図３４におけるマルチ表示処理の詳細を示すフロー図である。
【図３８】図３７に続くフロー図である。
【図３９】図３７に続く図３８とは別のフロー図である。
【図４０】図３４におけるジャンプ再生設定処理の詳細を示すフロー図である。
【図４１】図４０に続くフロー図である。
【図４２】図３４におけるリスト表示処理の詳細を示すフロー図である。
【図４３】図３４における消去処理の詳細を示すフロー図である。
【図４４】図４３に続くフロー図である。
【図４５】図４４に続くフロー図である。
【図４６】図１の実施例において連写画像再生モードが選択されたときのＣＰＵの動作を示すフロー図である。
【図４７】図４６に続くフロー図である。
【図４８】図４７に続くフロー図である。
【図４９】図４７に続く図４８とは別のフロー図である。
【図５０】図４９に続くフロー図である。
【図５１】図４９に続く図５０とは別のフロー図である。
【図５２】図４９に続くさらに別のフロー図である。
【図５３】図５２に続くフロー図である。
【図５４】図１の実施例において動画像再生モードが選択されたときのＣＰＵの動作を示すフロー図である。
【図５５】図５４に続くフロー図である。
【図５６】図５５に続くフロー図である。
【図５７】図５５に続く図５６とは別のフロー図である。
【図５８】図５７に続くフロー図である。
【図５９】図５７に続く図５８とは別のフロー図である。
【図６０】図５７に続くさらに別のフロー図である。
【図６１】図６０に続くフロー図である。
【図６２】図５７に続くさらに別のフロー図である。
【符号の説明】
【０４３６】
１０…ディジタルカメラ
２２…十字キー
２４…ジャンプキー
３２…ＣＰＵ
３０…液晶モニタ
６２…メモリカード
６６…お気に入りファイル
【図１】
2011199897.tif 000003
【図２】
2011199897.tif 000004
【図３】
2011199897.tif 000005
【図４】
2011199897.tif 000006
【図５】
2011199897.tif 000007
【図６】
2011199897.tif 000008
【図７】
2011199897.tif 000009
【図８】
2011199897.tif 000010
【図９】
2011199897.tif 000011
【図１０】
2011199897.tif 000012
【図１１】
2011199897.tif 000013
【図１２】
2011199897.tif 000014
【図１３】
2011199897.tif 000015
【図１４】
2011199897.tif 000016
【図１５】
2011199897.tif 000017
【図１６】
2011199897.tif 000018
【図１７】
2011199897.tif 000019
【図１８】
2011199897.tif 000020
【図１９】
2011199897.tif 000021
【図２０】
2011199897.tif 000022
【図２１】
2011199897.tif 000023
【図２２】
2011199897.tif 000024
【図２３】
2011199897.tif 000025
【図２４】
2011199897.tif 000026
【図２５】
2011199897.tif 000027
【図２６】
2011199897.tif 000028
【図２７】
2011199897.tif 000029
【図２８】
2011199897.tif 000030
【図２９】
2011199897.tif 000031
【図３０】
2011199897.tif 000032
【図３１】
2011199897.tif 000033
【図３２】
2011199897.tif 000034
【図３３】
2011199897.tif 000035
【図３４】
2011199897.tif 000036
【図３５】
2011199897.tif 000037
【図３６】
2011199897.tif 000038
【図３７】
2011199897.tif 000039
【図３８】
2011199897.tif 000040
【図３９】
2011199897.tif 000041
【図４０】
2011199897.tif 000042
【図４１】
2011199897.tif 000043
【図４２】
2011199897.tif 000044
【図４３】
2011199897.tif 000045
【図４４】
2011199897.tif 000046
【図４５】
2011199897.tif 000047
【図４６】
2011199897.tif 000048
【図４７】
2011199897.tif 000049
【図４８】
2011199897.tif 000050
【図４９】
2011199897.tif 000051
【図５０】
2011199897.tif 000052
【図５１】
2011199897.tif 000053
【図５２】
2011199897.tif 000054
【図５３】
2011199897.tif 000055
【図５４】
2011199897.tif 000056
【図５５】
2011199897.tif 000057
【図５６】
2011199897.tif 000058
【図５７】
2011199897.tif 000059
【図５８】
2011199897.tif 000060
【図５９】
2011199897.tif 000061
【図６０】
2011199897.tif 000062
【図６１】
2011199897.tif 000063
【図６２】
2011199897.tif 000064
【手続補正書】
【提出日】平成23年6月20日(2011.6.20)
【手続補正１】
【補正対象書類名】特許請求の範囲
【補正対象項目名】全文
【補正方法】変更
【補正の内容】
【特許請求の範囲】
【請求項１】
半導体メモリに形成された所定フォルダに記録されている画像ファイルを再生し、再生される画像を表示器に表示する第１再生動作を実行する第１再生動作制御手段と、
前記第１再生動作実行中に、操作手段が第１操作されることに応答して、装置本体のモードを前記表示器に画像が表示されている状態でファイル登録指示を受け付け可能な登録モードに設定する登録モード設定手段と、
前記登録モードにおいて、前記操作手段が第２操作されることに応答して、ファイル登録が受け付けられた画像に対応する画像ファイルに基づく情報であって、該画像ファイルを構成する情報量よりも少ない量の情報を生成し、該情報のみを前記所定フォルダとは異なる領域に記録する記録手段と、
前記第１再生動作実行中に、前記操作手段が第３操作されることに応答して、前記領域に記録された情報に基づいて画像を再生し、前記表示器に表示する第２再生動作を実行する第２再生動作制御手段を備えることを特徴とする、画像処理装置。
【手続補正２】
【補正対象書類名】明細書
【補正対象項目名】０００５
【補正方法】変更
【補正の内容】
【０００５】
この発明は、半導体メモリに形成された所定フォルダに記録されている画像ファイルを再生し、再生される画像を表示器に表示する第１再生動作を実行する第１再生動作制御手段と、第１再生動作実行中に、操作手段が第１操作されることに応答して、装置本体のモードを表示器に画像が表示されている状態でファイル登録指示を受け付け可能な登録モードに設定する登録モード設定手段と、登録モードにおいて、操作手段が第２操作されることに応答して、ファイル登録が受け付けられた画像に対応する画像ファイルに基づく情報であって、該画像ファイルを構成する情報量よりも少ない量の情報を生成し、該情報のみを所定フォルダとは異なる領域に記録する記録手段と、第１再生動作実行中に、操作手段が第３操作されることに応答して、領域に記録された情報に基づいて画像を再生し、表示器に表示する第２再生動作を実行する第２再生動作制御手段を備えることを特徴とする、画像処理装置である。
【手続補正３】
【補正対象書類名】明細書
【補正対象項目名】０００６
【補正方法】削除
【補正の内容】
【手続補正４】
【補正対象書類名】明細書
【補正対象項目名】０００７
【補正方法】削除
【補正の内容】
【手続補正５】
【補正対象書類名】明細書
【補正対象項目名】０００８
【補正方法】削除
【補正の内容】
【手続補正６】
【補正対象書類名】明細書
【補正対象項目名】０００９
【補正方法】削除
【補正の内容】
【手続補正７】
【補正対象書類名】明細書
【補正対象項目名】００１０
【補正方法】削除
【補正の内容】
【手続補正８】
【補正対象書類名】明細書
【補正対象項目名】００１１
【補正方法】削除
【補正の内容】
【手続補正９】
【補正対象書類名】明細書
【補正対象項目名】００１２
【補正方法】削除
【補正の内容】
【手続補正１０】
【補正対象書類名】明細書
【補正対象項目名】００１３
【補正方法】削除
【補正の内容】